(57)【要約】  対象者の生活習慣改善への取り組みのステージをより正確に判断することが可能な生活習慣改善支援装置を提供する。  対象者の生活習慣改善を支援する生活習慣改善支援装置であって、対象者の生活習慣を反映する値の測定値を取得する測定値取得部（５０１）と、測定値取得部（５０１）により取得される測定値または測定値取得部（５０１）により取得される測定値のデータ数である測定回数に基づいて対象者の生活習慣改善への取り組みの段階を判断するステージ判断部（５０３から５０７まで）とを備える。
2007083610.tif 000002
【特許請求の範囲】
【請求項１】
対象者の生活習慣改善を支援する生活習慣改善支援装置であって、
前記対象者の生活習慣を反映する値である測定値を取得する測定値取得手段と、
前記測定値取得手段により取得される前記測定値または前記測定値取得手段により取得される前記測定値のデータ数である測定回数に基づいて前記対象者の生活習慣改善への取り組みの段階を判断するステージ判断手段と
を備える生活習慣改善支援装置。
【請求項２】
前記生活習慣改善支援装置は、さらに、前記対象者が前記測定値の測定を行う回数の目標を示す目標測定回数を取得する目標測定回数取得手段を備え、
前記ステージ判断手段は、前記測定回数および前記目標測定回数に基づいて前記対象者の生活習慣改善への取り組みの段階を判断する
請求項１に記載の生活習慣改善支援装置。
【請求項３】
前記生活習慣改善支援装置は、さらに、前記対象者の前記測定値の目標を示す目標測定値を取得する目標測定値取得手段を備え、
前記ステージ判断手段は、前記測定値、前記測定回数および前記目標測定値に基づいて前記対象者の生活習慣改善への取り組みの段階を判断する
請求項１に記載の生活習慣改善支援装置。
【請求項４】
前記測定値取得手段は、一定の期間に属する測定日に対応する前記測定値を取得し、
前記ステージ判断手段は、一定の期間に属する測定日に対応する前記測定値または前記測定回数に基づいて前記対象者の前記生活習慣改善への取り組みの段階を判断する
請求項１に記載の生活習慣改善支援装置。
【請求項５】
前記測定値取得手段は、前記測定値および前記対象者が予想する測定値である予想値を取得し、
前記ステージ判断手段は、前記測定値、前記予想値および前記測定回数に基づいて前記対象者の前記生活習慣改善への取り組みの段階を判断する
請求項１に記載の生活習慣改善支援装置。
【請求項６】
前記測定値取得手段は、一定の期間に属する測定日に対応する、前記測定値および前記予想値を取得し、
前記ステージ判断手段は、一定の期間に属する測定日に対応する前記測定値、前記測定回数および前記予想値に基づいて前記対象者の前記生活習慣改善への取り組みの段階を判断する
請求項５に記載の生活習慣改善支援装置。
【請求項７】
前記生活習慣改善支援装置は、さらに、前記ステージ判断手段による判断結果から、前記生活習慣改善への取り組みの段階と前記生活習慣改善への取り組みの段階に応じた助言または指導方法とが格納されているテーブルを参照することにより、前記生活習慣改善への取り組みの段階に応じた助言または指導方法を決定する指導決定手段を備える
請求項１に記載の生活習慣改善支援装置。
【請求項８】
前記ステージ判断手段は、前記測定回数と第１の閾値とを比較し、比較結果に基づいて前記対象者の前記生活習慣改善への取り組みの段階を第１のステージと判断する第１ステージ判断部を有する
請求項１に記載の生活習慣改善支援装置。
【請求項９】
前記第１ステージ判断部は、前記測定回数と前記第１の閾値とを比較し、前記測定回数が前記第１の閾値未満である場合に、前記対象者の前記生活習慣改善への取り組みの段階を生活習慣の改善に対する関心がない段階である無関心期と判断する
請求項８に記載の生活習慣改善支援装置。
【請求項１０】
前記ステージ判断手段は、前記目標測定回数に第２の閾値を乗じることにより得られる数と前記測定回数とを比較し、比較結果に基づいて前記対象者の前記生活習慣改善への取り組みの段階を第２のステージと判断する第２ステージ判断部を有する
請求項２に記載の生活習慣改善支援装置。
【請求項１１】
前記第２ステージ判断部は、前記目標測定回数に前記第２の閾値を乗じることにより得られる数と前記測定回数とを比較し、前記目標測定回数に前記第２の閾値を乗じることにより得られる数が前記測定回数以下である場合に、前記対象者の前記生活習慣改善への取り組みの段階を生活習慣の改善に対する関心を持ち始めた段階である関心期と判断する
請求項１０に記載の生活習慣改善支援装置。
【請求項１２】
前記ステージ判断手段は、前記測定値および前記予想値の乖離度が一定の値以下であるデータ数の前記測定回数に対する割合と第３の閾値とを比較し、比較結果に基づいて前記対象者の前記生活習慣改善への取り組みの段階を第３のステージと判断する第３ステージ判断部を有する
請求項５に記載の生活習慣改善支援装置。
【請求項１３】
前記第３ステージ判断部は、前記測定値および前記予想値の乖離度が一定の値以下であるデータ数の前記測定回数に対する割合と前記第３の閾値とを比較し、前記測定値および前記予想値の乖離度が一定の値以下であるデータ数の前記測定回数に対する割合が前記第３の閾値より小さい場合に、前記対象者の前記生活習慣改善への取り組みの段階を生活習慣の改善に取り組み始めたが正しい知識が身についていない段階である第１の準備期と判断する
請求項１２に記載の生活習慣改善支援装置。
【請求項１４】
前記ステージ判断手段は、前記測定値が前記目標測定値以下であるデータ数の前記測定回数に対する割合と第４の閾値とを比較し、比較結果に基づいて前記対象者の前記生活習慣改善への取り組みの段階を第４のステージと判断する第４ステージ判断部を有する
請求項３に記載の生活習慣改善支援装置。
【請求項１５】
前記第４ステージ判断部は、前記測定値が前記目標測定値以下であるデータ数の前記測定回数に対する割合と前記第４の閾値とを比較し、前記測定値が前記目標測定値以下であるデータ数の前記測定回数に対する割合が前記第４の閾値より小さい場合に、前記対象者の前記生活習慣改善への取り組みの段階を身に付いた正しい知識を生活習慣改善に活用できていない段階である第２の準備期と判断する
請求項１４に記載の生活習慣改善支援装置。
【請求項１６】
前記第４ステージ判断部は、前記測定値が前記目標測定値以下であるデータ数の前記測定回数に対する割合と前記第４の閾値とを比較し、前記測定値が前記目標測定値以下であるデータ数の前記測定回数に対する割合が前記第４の閾値より小さい場合に、前記対象者の前記生活習慣改善への取り組みの段階を生活習慣の改善の取り組みを始めた段階である準備期と判断する
請求項１４に記載の生活習慣改善支援装置。
【請求項１７】
前記ステージ判断手段は、前記測定値が前記目標測定値以下となるデータ数の前記測定回数に対する割合が第４の閾値以上となる期間の長さと第５の閾値とを比較し、比較結果に基づいて前記対象者の前記生活習慣改善への取り組みの段階を第５のステージまたは第６のステージと判断する第５ステージ判断部を有する
請求項３に記載の生活習慣改善支援装置。
【請求項１８】
前記第５ステージ判断部は、前記測定値が前記目標測定値以下となるデータ数の前記測定回数に対する割合が前記第４の閾値以上となる期間の長さと前記第５の閾値とを比較し、前記期間の長さが前記第５の閾値より小さい場合に、前記対象者の前記生活習慣改善への取り組みの段階を生活習慣の改善に正しい知識を活用して取り組み始めた段階である実行期と判断する
請求項１７に記載の生活習慣改善支援装置。
【請求項１９】
前記第５ステージ判断部は、前記測定値が前記目標測定値以下となるデータ数の前記測定回数に対する割合が前記第４の閾値以上となる期間の長さと前記第５の閾値とを比較し、前記期間の長さが前記第５の閾値以上の場合に、前記対象者の前記生活習慣改善への取り組みの段階を前記対象者の健康のために適切な生活習慣が定着した段階である維持期と判断する
請求項１７に記載の生活習慣改善支援装置。
【請求項２０】
前記対象者の生活習慣を反映する値は、前記対象者の尿中に含まれる塩分の濃度または量である
請求項１に記載の生活習慣改善支援装置。
【請求項２１】
前記生活習慣改善支援装置は、さらに、前記ステージ判断手段による判断結果と、前記指導決定手段により決定された助言または指導方法との少なくとも一方を表示させる第１の表示制御手段を備える
請求項７に記載の生活習慣改善支援装置。
【請求項２２】
前記生活習慣改善支援装置は、さらに、前記測定値を測定する測定手段と、
前記対象者の測定値の目標を示す目標測定値および前記対象者が前記測定値の測定を行う回数の目標を示す目標測定回数の入力を受け付ける目標受付手段と、
前記対象者が測定した日時である測定日時、前記目標受付手段により受け付けられる前記目標測定値および前記目標測定回数、並びに前記測定手段により測定される前記測定値を記憶手段に格納する格納手段とを備え、
前記測定値取得手段は、前記記憶手段から前記測定日時、前記目標測定値、前記目標測定回数および前記測定値を取得する
請求項１に記載の生活習慣改善支援装置。
【請求項２３】
前記生活習慣改善支援装置は、さらに、前記測定値を測定する測定手段と、
前記対象者の測定値の目標を示す目標測定値および前記対象者が前記測定値の測定を行う回数の目標を示す目標測定回数の入力を受け付ける目標受付手段と、
前記予想値の入力を受け付ける予想値受付手段と、
前記対象者が測定した日時である測定日時、前記目標受付手段により受け付けられる前記目標測定値および前記目標測定回数、前記測定手段により測定される前記測定値、並びに前記予想受付手段により受け付けられる前記予想値を記憶手段に格納する格納手段とを備え、
前記測定値取得手段は、前記記憶手段から前記測定日時、前記目標測定値、前記目標測定回数、前記測定値および前記予想値を取得する
請求項１に記載の生活習慣改善支援装置。
【請求項２４】
前記測定値取得手段は、前記生活習慣改善支援装置の外部から取り外し可能な記憶媒体である記憶手段から前記測定値を取得する
請求項１に記載の生活習慣改善支援装置。
【請求項２５】
対象者の生活習慣改善を支援する生活習慣改善支援方法であって、
前記対象者の生活習慣を反映する値の測定値を取得する測定値取得ステップと、
前記測定値取得ステップにより取得される前記測定値または前記測定値取得ステップにより取得される前記測定値のデータ数から算出される測定回数に基づいて前記対象者の生活習慣改善への取り組みの段階を判断するステージ判断ステップとを含む生活習慣改善支援方法。
【請求項２６】
対象者の生活習慣改善を支援する生活習慣改善支援プログラムであって、
前記対象者の生活習慣を反映する値の測定値を取得する測定値取得ステップと、
前記測定値取得ステップにより取得される前記測定値または前記測定値取得ステップにより取得される前記測定値のデータ数から算出される測定回数に基づいて前記対象者の生活習慣改善への取り組みの段階を判断するステージ判断ステップとをコンピュータに実行させる生活習慣改善支援プログラム。
【発明の詳細な説明】
【技術分野】
【０００１】
本発明は、生活習慣の改善が必要な対象者に適した生活習慣改善支援の助言および指導方法を提供する生活習慣改善支援装置および方法に関する。
【背景技術】
【０００２】
生活習慣病の予防および治療において、対象者の現在の生活習慣から、その対象者に適した理想的な生活習慣を把握し、さらに理想的な生活習慣への改善を実施することは基本的な取組み課題である。生活習慣の例としては、食事、運動、たばこ、飲酒などの習慣などが挙げられる。【０００３】
ここで「対象者」とは、生活習慣改善の対象者であり、生活習慣病であるまたは生活習慣病となるおそれがあるなどのために、生活習慣の改善が必要である者をいい、以下においても同様である。【０００４】
従来、生活習慣改善の効果的な指導を行うため、行動科学の理論であるステージ理論が取り入れられている。具体的には、対象者の治療に対する状態（知識や意欲、実践度）を把握することで対象者を複数のステージに分類し、各ステージに応じた指導を実践するというような指導方法である。このような行動科学の理論は、対象者の状態に応じた指導を可能とする。【０００５】
ステージ理論を治療に取り入れるために、まず対象者のステージを判定することが必要となる。【０００６】
従来の対象者のステージの判定法としては、質問票の使用がある。すなわち、医療従事者が対象者に対して生活改善にする意欲の度合いを質問し、その回答により、「無関心期」・「関心期」・「準備期」・「実行期」・「維持期」という５つのステージに分類する。【０００７】
各ステージにおける生活改善に対する状態の一例として、「無関心期」は、生活改善に対する意欲がない状態を示す。「関心期」は、生活改善に対する意欲はあるがまだうまく取り組めていない状態を示す。「準備期」は、自分なりに生活改善に取り組んでいるかあるいは取り組んだ経験がある状態を示す。「実行期」は、正しい生活改善に取り組んでいるが、まだ継続期間が６ヶ月に到達していない状態を示す。「維持期」は、その生活改善への取り組みが６ヶ月以上継続している状態を示す。【０００８】
このような従来のステージ判定方法を禁煙に適用した例について、図１及び図２を参照して説明する。【０００９】
図１は、従来のステージ判定方法における質問および回答の例を示す図である。本図に示す例は、「禁煙しようと思いますか？」という質問に対して、「５）いいえ、禁煙を６ヶ月以内に始めようと考えていません」、「４）いいえ、しかし６ヶ月以内に禁煙を始めようと考えています」、「３）いいえ、しかし１ヶ月以内に禁煙を始めようと考えています（過去に行ったことがあります）」、「２）はい、禁煙を６ヶ月未満続けています」、「１）はい、禁煙を６ヶ月以上続けています」の５つの回答を想定している。【００１０】
図２は、従来のステージ判定方法における回答結果とステージとの対応を示す図である。本図は、図１に示す質問に対する各回答とステージとの対応を示す。【００１１】
すなわち本図は、「禁煙しようと思いますか？」という質問に対して、「５）いいえ、禁煙を６ヶ月以内に始めようと考えていません」と回答した対象者のステージを「無関心期」、「４）いいえ、しかし６ヶ月以内に禁煙を始めようと考えています」と回答した対象者のステージを「関心期」、「３）いいえ、しかし１ヶ月以内に禁煙を始めようと考えています（過去に行ったことがあります）」と回答した対象者のステージを「準備期」、「２）はい、禁煙を６ヶ月未満続けています」と回答した対象者のステージを「実行期」、「１）はい、禁煙を６ヶ月以上続けています」と回答した対象者のステージを「維持期」としている例を示す（例えば、非特許文献１参照）。【００１２】
また、従来、ステージ理論を用いた生活習慣改善支援装置が提案されている（例えば、特許文献１、特許文献２参照）。【００１３】
特許文献１記載の装置では、生活習慣改善に対する意欲を調べるための設問が画面上に表示され、その設問に対して利用書が回答を入力する。その回答に基づいて、利用者の取組み意欲を段階的に表したステージが割り付けられる構成となっている。【００１４】
また、特許文献２記載の装置では、保健指導対象者の生活習慣改善に対する意識レベルを確認するための質問が表示された画面を見ながら、保険指導者が保健指導対象者に対する面談を行い、保険指導対象者の回答を入力する。その回答に基づいて、保険指導対象者の意識レベルがどのステージに相当するのかが判定される。
【非特許文献１】畑栄一、土井由利子編、「行動科学−健康づくりのための理論と応用」、南江堂、２００３年１０月２５日、ｐ．７３−７５
【特許文献１】特開２００１−２２８３７号公報
【特許文献２】特開２００２−３５８３７２号公報
【発明の開示】
【発明が解決しようとする課題】
【００１５】
しかしながら、対象者のステージを判定するために、従来の技術は対象者への問診により対象者の生活習慣を把握する。そのため、その対象者のステージの判定を必ずしも正確に行うことができないという問題がある。【００１６】
例えば、減塩の指導を行う場合、対象者の減塩の状態を的確に把握するためには、その対象者の食生活について詳細な聞き取り調査を行う必要がある。【００１７】
聞き取りは対象者の記憶または記録している食事内容に基づくため、聞き取り調査が正確でない場合がある。対象者が回答する食事内容が不正確であれば、その対象者の状態を的確に把握することは困難であり、その結果、その対象者のステージを正確に判定できない。【００１８】
また、このような目的が明確な質問の場合、その質問の意図が対象者に伝わるため、対象者が自身の状態と一致しない回答をする可能性がある。対象者が自身の状態と一致しない回答をすれば、その対象者の状態を的確に把握することはできず、その結果、その対象者のステージを正確に判定できない。その結果、対象者のステージを正確に判定できない場合があった。【００１９】
さらに、このような問診は手間であり、対象者が食事内容の記録を失念するなどのミスを誘発し、対象者の不正確な回答の原因となる。【００２０】
そこで本発明は、上記の問題点に鑑み、対象者の生活習慣への取り組みの段階を反映するステージをより正確に判定することを可能とする生活習慣改善支援装置およびその方法を提供することを目的とする。
【課題を解決するための手段】
【００２１】
上記目的を達成するために、本発明に係る生活習慣改善支援装置は、対象者の生活習慣改善を支援する生活習慣改善支援装置であって、前記対象者の生活習慣を反映する値である測定値を取得する測定値取得手段と、前記測定値取得手段により取得される前記測定値または前記測定値取得手段により取得される前記測定値のデータ数である測定回数に基づいて前記対象者の生活習慣改善への取り組みの段階を判断するステージ判断手段とを備える。
【発明の効果】
【００２２】
本発明に係る生活習慣改善支援装置およびその方法によれば、対象者のステージを正確に判定することができ、対象者に対して、より適切な助言・指導を行うことが可能となる。
【図面の簡単な説明】
【００２３】
【図１】図１は、従来のステージ判定方法における質問および回答の例を示す図である。
【図２】図２は、従来のステージ判定方法における回答結果とステージとの対応を示す図である。
【図３】図３は、実施の形態１に係る生活習慣改善支援システムの構成を示す概略図である。
【図４】図４は、実施の形態１に係る生活習慣改善支援システムにおける尿中成分測定器および生活習慣改善支援装置の機能的構成を示すブロック図である。
【図５】図５は、実施の形態１に係る指導内容記憶部が記憶しているステージ指導内容テーブルの例を示す図である。
【図６】図６は、実施の形態１に係る記憶媒体が記憶している生活習慣の改善に関する情報の例を示す図である。
【図７】図７は、実施の形態１に係る判定プログラム記憶部４０８が記憶している第１のプログラムを実行するＣＰＵが発揮する機能の構成を示すブロック図である。
【図８】図８は、閾値記憶部が記憶している閾値データの第１の例を示す図である。
【図９】図９は、実施の形態１に係る尿中成分測定器において実行される処理のフローチャートである。
【図１０】図１０は、実施の形態１に係る尿中成分測定器の表示部に表示される予想値の入力要求の例を示す図である。
【図１１】図１１は、実施の形態１に係る尿中成分測定器の表示部に表示される測定チップの装着要求の例を示す図である。
【図１２】図１２は、実施の形態１に係る尿中成分測定器の表示部に表示される測定準備ができたことを通知するメッセージの例を示す図である。
【図１３】図１３は、実施の形態１に係る尿中成分測定器の表示部に表示される測定値の例を示す図である。
【図１４】図１４は、実施の形態１に係る尿中成分測定器の表示部に表示される予想値、目標値および測定値の例を示す図である。
【図１５】図１５は、実施の形態１に係る生活習慣改善支援装置４において実行される処理の流れを示すフローチャートである。
【図１６】図１６は、実施の形態１に係る生活習慣改善支援装置の表示部に表示される記憶媒体の挿入を促すメッセージの表示例である。
【図１７】図１７は、実施の形態１に係る生活習慣改善支援装置の表示部に表示される、対象者のステージおよび指導内容の表示例を示す図である。
【図１８】図１８は、図１５に示すステージ・指導内容判定処理Ｓ２０４においてＣＰＵが実行する処理の詳細の第１の例を示すフローチャートである。
【図１９】図１９は、実施の形態１に係る生活習慣改善支援システムの構成の第１の変形例を示す概略図である。
【図２０】図２０は、実施の形態１の第２の変形例に係る判定プログラム記憶部４０８が記憶している第２のプログラムを実行するＣＰＵが発揮する機能の構成を示すブロック図である。
【図２１】図２１は、閾値記憶部５０２が記憶している閾値データの第２の例を示す図である。
【図２２】図２２は、図１５に示すステージ・指導内容判定処理Ｓ２０４においてＣＰＵが実行する処理の詳細の第２の例を示すフローチャートである。
【図２３】図２３は、実施の形態２に係る生活習慣改善支援装置の機能的構成を示すブロック図である。
【図２４】図２４は、実施の形態２に係る生活習慣改善支援装置１０が実行する処理を示すフローチャートである。
【図２５】図２５は、実施の形態２に係る生活習慣改善支援装置の表示部に表示される、対象者のステージの表示例を示す図である。
【符号の説明】
【００２４】
１  尿中成分測定器
２  記憶媒体
３  測定チップ
４、１０  生活習慣改善支援装置
１０１、４０６  電源ボタン
１０２、４０１  入力部
１０３、４０３  表示部
１０４、４０２  記憶媒体挿入口
１０５  測定チップ接続口
１０６、４０４  ＣＰＵ
１０７、４０５  電源
１０８、４０７  タイマー
１０９  装着検知部
１１０  測定チップ用端子
１１１  電圧印加部
１１２  電気信号測定部
１１３、４１０  記憶媒体用端子
１１４、４０８  判定プログラム記憶部
１１５、４０９  指導内容記憶部
１１６  ステージ判定ボタン
３０１  電極
【発明を実施するための最良の形態】
【００２５】
本発明に係る生活改善支援装置は、対象者の生活習慣改善を支援する生活習慣改善支援装置であって、前記対象者の生活習慣を反映する値である測定値を取得する測定値取得手段と、前記測定値取得手段により取得される前記測定値または前記測定値取得手段により取得される前記測定値のデータ数である測定回数に基づいて前記対象者の生活習慣改善への取り組みの段階を判断するステージ判断手段とを備える。【００２６】
このように、測定手段により測定された測定値という客観的なデータから対象者の生活習慣への取り組み段階を判断することにより、対象者のステージを正確に判定することができ、対象者に対して、より適切な助言・指導を行うことが可能となる。【００２７】
好ましくは、前記生活習慣改善支援装置は、さらに、前記対象者が測定値の測定を行う回数の目標を示す目標測定回数を取得する目標測定回数取得手段を備え、前記ステージ判断手段は、前記測定回数および前記目標測定回数に基づいて前記対象者の生活習慣改善への取り組みの段階を判断する。【００２８】
また、前記生活習慣改善支援装置は、さらに、前記対象者の測定値の目標を示す目標測定値を取得する目標測定値取得手段を備え、前記ステージ判断手段は、前記測定値、前記測定回数および前記目標測定値に基づいて前記対象者の生活習慣改善への取り組みの段階を判断する。【００２９】
このように、対象者のステージ判断に目標測定回数、目標測定値を用いることにより、より詳細に対象者のステージを分類することができるため、より的確なステージ判断が可能となる。【００３０】
さらに好ましくは、前記測定値取得手段は、一定の期間に属する測定日に対応する前記測定値を取得し、前記ステージ判断手段は、一定の期間に属する測定日に対応する前記測定値または前記測定回数に基づいて前記対象者の前記生活習慣改善への取り組みの段階を判断する。【００３１】
このように、期間ごとに適切に選択したデータに基づいて対象者の生活習慣改善への取り組みの段階を判断するため、より適切なステージ判断を行うことが可能となる。【００３２】
さらに好ましくは、前記測定値取得手段は、前記測定値および前記対象者が予想する測定値である予想値を取得し、前記ステージ判断手段は、前記測定値、前記予想値および前記測定回数に基づいて前記対象者の前記生活習慣改善への取り組みの段階を判断する。【００３３】
また、前記測定値取得手段は、一定の期間に属する測定日に対応する、前記測定値および前記予想値を取得し、前記ステージ判断手段は、一定の期間に属する測定日に対応する前記測定値、前記測定回数および前記予想値に基づいて前記対象者の前記生活習慣改善への取り組みの段階を判断する。【００３４】
対象者が生活習慣の改善に関する正しい知識を有していれば、予想値と測定値は近い値となる。そのため、対象者が入力する予想値と測定値とを用いてステージ判断を行うことにより、対象者が生活習慣の改善に関する正しい知識を身につけているか否かをも考慮して、対象者の生活習慣改善への取り組みの段階を判断することが可能となる。【００３５】
さらに好ましくは、前記生活習慣改善支援装置は、さらに、前記ステージ判断手段による判断結果から、前記生活習慣改善への取り組みの段階と前記生活習慣改善への取り組みの段階に応じた助言または指導方法とが格納されているテーブルを参照することにより、前記生活習慣改善への取り組みの段階に応じた助言または指導方法を決定する指導決定手段を備える。【００３６】
これにより、生活習慣改善支援装置により対象者の生活習慣改善の取り組み段階を判定した対象者または対象者に対して生活習慣の改善の指導をする者は、生活習慣改善支援装置により提示される、正確なステージ判定に基づく助言または指導方法を参考にすることができ、対象者は適切な助言を得て生活習慣の改善に取り組むことができるため、効果的な生活習慣改善への取り組みが可能となる。【００３７】
さらに好ましくは、前記ステージ判断手段は、前記測定回数と第１の閾値とを比較し、比較結果に基づいて前記対象者の前記生活習慣改善への取り組みの段階を第１のステージと判断する第１ステージ判断部を有する。【００３８】
また、前記第１ステージ判断部は、前記測定回数と前記第１の閾値とを比較し、前記測定回数が前記第１の閾値未満である場合に、前記対象者の前記生活習慣改善への取り組みの段階を生活習慣の改善に対する関心がない段階である無関心期と判断する。【００３９】
このように、測定値の全データ数を用いて対象者の生活習慣改善への取り組みの段階を判断することで、客観的なデータに基づいて対象者が生活習慣改善の第１ステージにあるか否か、例えば、対象者の生活習慣の改善に対する関心があるか否かを判断することが可能となる。【００４０】
さらに好ましくは、前記ステージ判断手段は、前記目標測定回数に第２の閾値を乗じることにより得られる数と前記測定回数とを比較し、比較結果に基づいて前記対象者の前記生活習慣改善への取り組みの段階を第２のステージと判断する第２ステージ判断部を有する。【００４１】
また、前記第２ステージ判断部は、前記目標測定回数に前記第２の閾値を乗じることにより得られる数と前記測定回数とを比較し、前記目標測定回数に前記第２の閾値を乗じることにより得られる数が前記測定回数以下である場合に、前記対象者の前記生活習慣改善への取り組みの段階を生活習慣の改善に対する関心をもち始めた段階である関心期と判断する。【００４２】
このように、測定値の全データ数を用いて対象者の生活習慣改善への取り組みの段階を判断することで、客観的なデータに基づいて対象者が生活習慣改善の第２ステージにあるか否か、例えば、対象者の生活習慣の改善に対する関心をもち始めたか否かを判断することが可能となる。【００４３】
さらに好ましくは、前記ステージ判断手段は、前記測定値および前記予想値の乖離度が一定の値以下であるデータ数の前記測定回数に対する割合と第３の閾値とを比較し、比較結果に基づいて前記対象者の前記生活習慣改善への取り組みの段階を第３のステージと判断する第３ステージ判断部を有する。【００４４】
また、前記第３ステージ判断部は、前記測定値および前記予想値の乖離度が一定の値以下であるデータ数の前記測定回数に対する割合と前記第３の閾値とを比較し、前記測定値および前記予想値の乖離度が一定の値以下であるデータ数の前記測定回数に対する割合が前記第３の閾値より小さい場合に、前記対象者の前記生活習慣改善への取り組みの段階を生活習慣の改善に取り組み始めたが正しい知識が身についていない段階である第１の準備期と判断する。【００４５】
このように、測定値と予想値とを用いて対象者の生活習慣改善への取り組みの段階を判断することで、客観的なデータに基づいて対象者が生活習慣改善の第３ステージにあるか否か、例えば、生活習慣に関する正しい知識が身についているか否かを判断することが可能となる。【００４６】
さらに好ましくは、前記ステージ判断手段は、前記測定値が前記目標測定値以下であるデータ数および前記測定回数の比率と第４の閾値とを比較し、比較結果に基づいて前記対象者の前記生活習慣改善への取り組みの段階を第４のステージと判断する第４ステージ判断部を有する。【００４７】
また、前記第４ステージ判断部は、前記測定値が前記目標測定値以下であるデータ数の前記測定回数に対する割合と前記第４の閾値とを比較し、前記測定値が前記目標測定値以下であるデータ数の前記測定回数に対する割合が前記第４の閾値より小さい場合に、前記対象者の前記生活習慣改善への取り組みの段階を身に付いた正しい知識を生活習慣改善に活用できていない段階である第２の準備期と判断する。【００４８】
さらに、前記第４ステージ判断部は、前記測定値が前記目標測定値以下であるデータ数の前記測定回数に対する割合と前記第４の閾値とを比較し、前記測定値が前記目標測定値以下であるデータ数の前記測定回数に対する割合が前記第４の閾値より小さい場合に、前記対象者の前記生活習慣改善への取り組みの段階を生活習慣の改善の取り組みを始めた段階である準備期と判断する。【００４９】
このように、測定値のデータ数と目標測定回数とを用いて対象者の生活習慣改善への取り組みの段階を判断することで、客観的なデータに基づいて対象者が生活習慣改善の第４ステージにあるか否か、例えば、身に付いた正しい知識を生活習慣改善に活用できているか否か、または生活習慣の改善の取り組みを始めたか否かを判断することが可能となる。【００５０】
さらに好ましくは、前記ステージ判断手段は、前記測定値が前記目標測定値以下となるデータ数の前記測定回数に対する割合が第４の閾値以上となる期間の長さと第５の閾値とを比較し、比較結果に基づいて前記対象者の前記生活習慣改善への取り組みの段階を第５のステージまたは第６のステージと判断する第５ステージ判断部を有する。【００５１】
また、前記第５ステージ判断部は、前記測定値が前記目標測定値以下となるデータ数の前記測定回数に対する割合が前記第４の閾値以上となる期間の長さと前記第５の閾値とを比較し、前記期間の長さが前記第５の閾値より小さい場合に、前記対象者の前記生活習慣改善への取り組みの段階を生活習慣の改善に正しい知識を活用して取り組み始めた段階である実行期と判断する。【００５２】
さらに、前記第５ステージ判断部は、前記測定値が前記目標測定値以下となるデータ数の前記測定回数に対する割合が前記第４の閾値以上となる期間の長さと前記第５の閾値とを比較し、前記期間の長さが前記第５の閾値以上の場合に、前記対象者の前記生活習慣改善への取り組みの段階を前記対象者の健康のために適切な生活習慣が定着した段階である維持期と判断する。【００５３】
このように、測定値および予想値を用いて対象者の生活習慣改善への取り組みの段階を判断することで、客観的なデータに基づいて対象者が生活習慣改善の第５ステージと第６ステージとのいずれであるかを判断することが可能となる。第５ステージは、例えば、身についた正しい知識を生活習慣改善に活用して取り組み始めた段階であり、第６ステージは、例えば、前記対象者の健康のために適切な生活習慣が定着した段階である。【００５４】
さらに好ましくは、前記対象者の生活習慣を反映する値は、前記対象者の尿中に含まれる塩分の濃度または量である。【００５５】
尿中塩分濃度の測定値から対象者の塩分摂取量が算出できるため、尿中塩分濃度は対象者の生活習慣を反映する値の１つである。そのため、尿中塩分濃度の測定値から対象者の塩分摂取に関する生活習慣の改善を支援することが可能になる。【００５６】
さらに好ましくは、前記生活習慣改善支援装置は、さらに、前記ステージ判断手段による判断結果と、前記指導決定手段により決定された助言または指導方法との少なくとも一方を表示させる第１の表示制御手段を備える。【００５７】
また、前記生活習慣改善支援装置は、さらに、一定の測定回数分の前記測定値と、前記予想値と、前記目標測定回数と、前記目標測定値とを表示させる第２の表示制御手段を備える。【００５８】
このように第１表示制御手段を備えることにより、判断結果や助言・指導方法、各値を表示することができ、また第２表示制御手段を備えることにより、対象者は表示手段により表示された内容から自己の取り組み状況を理解することで、意欲的な取り組みを促すことが可能となる。また、対象者に生活習慣改善の指導を行う者は的確な判断結果から生活習慣改善の指導を行うことが可能となる。【００５９】
さらに好ましくは、前記生活習慣改善支援装置は、さらに、前記測定値を測定する測定手段と、前記対象者の測定値の目標を示す目標測定値および前記対象者が測定値の測定を行う回数の目標を示す目標測定回数の入力を受け付ける目標受付手段と、前記対象者が測定した日時である測定日時、前記目標受付手段により受け付けられる前記目標測定値および前記目標測定回数、並びに前記測定手段により測定される前記測定値を記憶手段に格納する格納手段とを備え、前記測定値取得手段は、前記記憶手段から前記測定日時、前記目標測定値、前記目標測定回数および前記測定値を取得する。【００６０】
また、前記生活習慣改善支援装置は、さらに、前記測定値を測定する測定手段と、前記対象者の測定値の目標を示す目標測定値および前記対象者が測定値の測定を行う回数の目標を示す目標測定回数の入力を受け付ける目標受付手段と、前記予想値の入力を受け付ける予想値受付手段と、前記対象者が測定した日時である測定日時、前記目標受付手段により受け付けられる前記目標測定値および前記目標測定回数、前記測定手段により測定される前記測定値、並びに前記予想受付手段により受け付けられる前記予想値を記憶手段に格納する格納手段とを備え、前記測定値取得手段は、前記記憶手段から前記測定日時、前記目標測定値、前記目標測定回数、前記測定値および前記予想値を取得する。【００６１】
このように、生活習慣改善支援装置が、測定器および入力機器を備えることにより、対象者は自身でステージ判断を行うことができるため対象者が生活習慣改善を意識する機会を増やすことができ、生活習慣改善への意欲を向上させることが可能となる。【００６２】
さらに好ましくは、前記測定値取得手段は、前記生活習慣改善支援装置の外部から取り外し可能な記憶媒体である記憶手段から前記測定値を取得する。【００６３】
これにより、クライアントは前記測定装置で記録したデータを容易に持ち運ぶことが可能となり利便性が向上する。【００６４】
なお、本発明は、このような手段を備える生活習慣改善支援装置として実現することができるだけでなく、生活習慣改善支援装置に含まれる手段をステップとする生活習慣改善支援方法として実現したり、生活習慣改善支援装置に含まれる手段をステップとしてコンピュータに実行させるプログラムとして実現することもできる。そして、そのようなプログラムは、ＣＤ−ＲＯＭ（Ｃｏｍｐａｃｔ  Ｄｉｓｃ−Ｒｅａｄ  Ｏｎｌｙ  Ｍｅｍｏｒｙ）等の記録媒体やインターネット等の通信ネットワークを介して流通させることができる。また、本発明は、このような手段を備える生活習慣改善支援システムとして実現することもできる。【００６５】
以下、本発明に係る実施の形態について、図面を参照してさらに詳しく説明する。【００６６】
（実施の形態１）
まず、実施の形態１に係る生活習慣改善支援システムの構成について図３及び図４を用いて説明する。【００６７】
図３は、実施の形態１に係る生活習慣改善支援システムの構成を示す概略図である。実施の形態１に係る生活習慣改善支援システムは、尿中成分測定器と生活習慣改善支援装置とが記憶媒体を介して情報のやり取りを行うことにより、生活習慣改善支援装置が、尿中成分測定器を用いて測定した対象者の尿中塩分濃度の測定値から当該対象者の生活習慣改善への取り組みのステージを判定するためのシステムであり、尿中成分測定器１と、生活習慣改善支援装置４とから構成される。【００６８】
ここで、「ステージ」は、行動科学のステージ理論に基づくものであり、本実施の形態に係るステージは、「無関心期」・「関心期」・「準備期」・「実行期」・「維持期」の５つのステージの分類を基本として、「準備期」をさらに、「第１の準備期」および「第２の準備期」の２つのステージに分類する。【００６９】
実施の形態１に係る尿中成分測定器１は、尿中の塩分濃度を測定するための機器であり、電源ボタン１０１と、入力部１０２と、表示部１０３と、記憶媒体挿入口１０４と、測定チップ接続口１０５とを備える。【００７０】
電源ボタン１０１は、対象者が押下することにより尿中成分測定器１の作動の入および切の切り換えを行うボタンである。【００７１】
入力部１０２は、ユーザが情報の入力を行う際に利用する操作処理部であり、例えば、テンキーボタン、キーボード、タッチパネル、音声入力器などである。【００７２】
表示部１０３は、尿中成分測定器１により測定された測定値や入力部１０２を介して入力された情報を表示する部位であり、例えば、ＬＣＤ（Ｌｉｑｕｉｄ  Ｃｒｙｓｔａｌ  Ｄｉｓｐｌａｙ）などである。【００７３】
記憶媒体挿入口１０４は、記憶媒体２を挿入する部位である。記憶媒体２は、対象者が計測した尿中の塩分量などの生活習慣の改善に関する情報が格納される記憶媒体であり、例えば、メモリカードなどである。【００７４】
測定チップ接続口１０５は、一対の電極３０１が配置された測定チップ３を接続するための開口部である。対象者は、尿を付着させた測定チップ３を測定チップ接続口１０５に接続することにより、尿中の塩分量を計測する。【００７５】
ここで、測定チップ３は、樹脂製である絶縁性の基板上に一対の電極３０１が配置されたチップである。測定チップ３は使い捨てにしてもよく、使用後に洗浄することにより繰り返して使用してもよい。【００７６】
また、実施の形態１に係る生活習慣改善支援装置４は、入力部４０１と、記憶媒体挿入口４０２と、表示部４０３とを備える。生活習慣改善支援装置４は、記憶媒体挿入口４０２に挿入された記憶媒体２から測定値を読み出し、その測定値に基づいて対象者のステージ判定を行う装置であり、例えば、ＰＣ（Ｐｅｒｓｏｎａｌ  Ｃｏｍｐｕｔｅｒ）である。【００７７】
入力部４０１は、利用者による生活習慣改善支援装置４への入力を受け付ける部位であり、例えば、キーボードやマウスなどである。【００７８】
記憶媒体挿入口４０２は、記憶媒体２を挿入する部位であり、尿中成分測定器１が備える記憶媒体挿入口１０４と同一の機能を有する。【００７９】
表示部４０３は、入力部４０１が受け付けた利用者の入力、記憶媒体から読み出した内容、生活習慣改善支援装置４における処理の結果などを表示する部位であり、例えば、モニタなどである。【００８０】
図４は、実施の形態１に係る生活習慣改善支援システムにおける尿中成分測定器１および生活習慣改善支援装置４の機能的構成を示すブロック図である。【００８１】
尿中成分測定器１は、電源ボタン１０１と、入力部１０２と、表示部１０３と、ＣＰＵ（Ｃｅｎｔｒａｌ  Ｐｒｏｃｅｓｓｉｎｇ  Ｕｎｉｔ）１０６と、電源１０７と、タイマ１０８と、装着検知部１０９と、測定チップ用端子１１０と、電圧印加部１１１と、電気信号測定部１１２と、記憶媒体用端子１１３とを備える。電源ボタン１０１と、入力部１０２と、表示部１０３とは、図３を参照して説明したため、ここではその説明を省略する。【００８２】
ＣＰＵ１０６は、各種の処理を実行する処理部である。ＣＰＵ１０６が実行する処理の詳細は、尿中成分測定器１が備える関連部位において説明し、また図９を参照して説明する。【００８３】
電源１０７は、電源ボタン１０１が押下されることにより電源が入になると、ＣＰＵ１０６に電力を供給する部位である。【００８４】
タイマ１０８は、時刻を計測する部位であり、例えば、時計である。タイマ１０８は、ＣＰＵ１０６から出力される時刻の取得要求を受け付けると、そのときの時刻をＣＰＵ１０６に出力する。【００８５】
装着検知部１０９は、測定チップ接続口１０５に測定チップ３が接続されたことを検知する部位である。装着検知部１０９は、測定チップ接続口１０５に測定チップ３が接続されたことを検知すると、それをＣＰＵ１０６に通知する。【００８６】
測定チップ用端子１１０は、測定チップ３の一対の電極３０１と電気的に接続する端子であり、例えば、金属端子である。【００８７】
電圧印加部１１１は、ＣＰＵ１０６の制御に従って、測定チップ用端子１１０を介して測定チップ３の一対の電極３０１に電圧を印加する部位である。【００８８】
電気信号測定部１１２は、測定チップ３の一対の電極３０１間に電圧印加部１１１が測定チップ用端子１１０を介して電圧を印加したときに得られる電気信号を測定する。ここで「電気信号」は、例えば、抵抗値または導電率である。すなわち、電気信号測定部１１２は、電圧印加部１１１が印加したときの、測定チップ３の一対の電極３０１間の抵抗値または導電率を測定する。【００８９】
尿中の塩分濃度は、対象者の尿を付着させた測定チップ３の一対の電極３０１に、測定チップ用端子１１０から電圧印加部１１１が印加する電圧に応じて、電気信号測定部１１２により測定される抵抗や導電率を塩分濃度に換算することにより測定される。【００９０】
記憶媒体用端子１１３は、記憶媒体２と尿中成分測定器１とを電気的に接続する部位であり、例えば、記憶媒体２の１例であるメモリカードのリーダである。【００９１】
このような機能を備える尿中成分測定器１を用いることにより、対象者自身が容易に尿中の塩分濃度を測定することができる。以下、尿中成分測定器１の操作は対象者が行うこととして説明するが、それ以外の者が操作をしても構わないのは勿論である。【００９２】
次に、生活習慣改善支援装置４は、入力部４０１と、記憶媒体挿入口４０２と、表示部４０３と、ＣＰＵ４０４と、電源４０５と、電源ボタン４０６と、タイマ４０７と、判定プログラム記憶部４０８と、指導内容記憶部４０９と、記憶媒体用端子４１０とを備える。入力部４０１と、記憶媒体挿入口４０２と、表示部４０３とは、図３において説明したため、ここでは説明を省略する。【００９３】
ＣＰＵ４０４は、各種の処理を実行する処理部である。ＣＰＵ４０４が備える機能および実行する処理の詳細は、生活習慣改善支援装置４が備える他の関連部位において説明し、また図７、図１３および図１４を参照して説明する。【００９４】
電源４０５は、ＣＰＵ４０４に電力を供給する部位であり、電源ボタン４０６は、利用者が押下することにより生活習慣改善支援装置４の作動の入および切の切り換えを行うボタンである。電源４０５は、電源ボタン４０６が押下されることにより電源が入になると、ＣＰＵ４０４に電力を供給する。【００９５】
タイマ４０７は、時刻を計測する部位であり、例えば、時計である。タイマ４０７は、ＣＰＵ４０４から出力される時刻の取得要求を受け付けると、そのときの時刻をＣＰＵ４０４に出力する。【００９６】
判定プログラム記憶部４０８は、ステージ判定を行うプログラムを記憶しており、例えば、ＨＤＤ（Ｈａｒｄ  Ｄｉｓｋ  Ｄｒｉｖｅ）である。判定プログラム記憶部４０８が記憶しているプログラムは、ＣＰＵ４０４により読み出され、実行される。【００９７】
指導内容記憶部４０９は、ステージと指導内容とを対応付けたテーブルであるステージ指導内容テーブルを記憶しており、例えば、ＨＤＤ（Ｈａｒｄ  Ｄｉｓｋ  Ｄｒｉｖｅ）である。【００９８】
ここで、「指導内容」とは、各ステージの対象者に対する指導に関する事柄であり、例えば、各ステージの対象者に適した具体的な助言や指導、または助言や指導の方針などである。医師等の専門家が生活習慣改善支援装置４を使用する場合、指導内容記憶部４０９に各ステージの助言や指導の方針を格納しておくとよい。生活習慣改善支援装置４により提示される助言や指導の方針を参照することで、専門家は対象者に適した具体的な助言・指導を行えるであろう。【００９９】
これに対して、対象者自身が生活習慣改善支援装置４を使用する場合、通常の対象者は助言・指導の方針を提示されるだけでは、それを具体的な自身の課題に変換することは困難である。このような場合、指導内容記憶部４０９に各ステージの具体的な助言・指導が格納されている方が適切である。【０１００】
図５は、実施の形態１に係る指導内容記憶部４０９が記憶しているステージ指導内容テーブルの例を示す図である。本図に例示するステージ指導内容テーブルは、「ステージ」と「指導内容」との２つの項目を含む。本図に示す「指導内容」は、具体的な助言・指導ではなく、助言・指導の方針である例である。【０１０１】
本図に示す例は、「ステージ」を「無関心期」・「関心期」・「第１の準備期」・「第２の準備期」・「実行期」・「維持期」という６つのステージに分類し、各ステージに対応する指導方針が「指導内容」に格納されているテーブルである。また、本図に示す例は、「実行期」および「維持期」の指導方針が同一の例である。【０１０２】
例えば、「ステージ」が「無関心期」に対応する「指導内容」は、「関心を持たせるために、病気や治療に関する知識を提供しましょう。」である。【０１０３】
ここから、図４の説明に戻る。【０１０４】
記憶媒体用端子４１０は、尿中成分測定器１が備える記憶媒体用端子１１３と同様に、記憶媒体２と生活習慣改善支援装置４とを電気的に接続する部位であり、例えば、記憶媒体２の１例であるメモリカードのリーダである。【０１０５】
以上、実施の形態１に係る尿中成分測定器１および生活習慣改善支援装置４が上記の機能を備えることにより、対象者は自身で尿中の塩分濃度を測定することができるため、生活習慣の改善を意識することが可能となる。また、測定日などは記憶媒体２に格納されるため、問診とは異なり、蓄積された客観的なデータから対象者のステージを判定することが可能となる。【０１０６】
次に、記憶媒体２が記憶している内容について、図６を参照して説明する。【０１０７】
図６は、実施の形態１に係る記憶媒体２が記憶している生活習慣の改善に関する情報の例を示す図である。本図に例示する生活の改善に関する情報は、「データ番号」と、「入力日時」と、「目標測定値（ｇ／ｌ）」と、「目標測定回数（回）」と、「測定日時」と、「尿中塩分濃度予想値（ｇ／ｌ）」と、「尿中塩分濃度測定値（ｇ／ｌ）」と、「判定日時」と、「ステージ」と、「実行期・維持期継続期間（ヶ月）」とから構成される。【０１０８】
「データ番号」に格納される情報は、記憶媒体２が記憶している生活習慣の改善に関する情報の固有の番号を示す。この情報は、ＣＰＵ１０６または４０４により自動的に採番される。【０１０９】
「入力日時」に格納される情報は、「目標測定値（ｇ／ｌ）」および「目標測定回数（回）」を入力した日時を示す。「入力日時」に格納される情報は、「目標測定値（ｇ／ｌ）」および「目標測定回数（回）」が記憶媒体２に格納される際にＣＰＵ４０４によりタイマ４０７から取得され、「目標測定値（ｇ／ｌ）」および「目標測定回数（回）」とともにＣＰＵ４０４により格納される。【０１１０】
「目標測定値（ｇ／ｌ）」に格納される情報は、対象者の担当医など、生活習慣の改善を指導する者が設定する対象者の摂取塩分量から算出される尿中塩分濃度の測定値の目標を示す。尿中の塩分濃度は、塩分の摂取量に従って増減する。そのため、対象者は塩分摂取量を適切にコントロールすることで、尿中の塩分濃度の測定値を目標測定値に近づけることができる。「目標測定値（ｇ／ｌ）」に格納される情報は、生活習慣改善支援装置４により格納される。【０１１１】
「目標測定回数（回）」に格納される情報は、対象者が行う尿中塩分濃度の測定回数の目標を示し、「目標測定値（ｇ／ｌ）」に格納される情報と同様に生活習慣の改善を指導する者により設定される。「目標測定回数（回）」に格納される情報は、生活習慣改善支援装置４により格納される。【０１１２】
「測定日時」に格納される情報は、尿中塩分濃度測定値を測定した日時を示す。「測定日時」に格納される情報は、「尿中塩分濃度予想値（ｇ／ｌ）」および「尿中塩分濃度（ｇ／ｌ）」が記憶媒体２に格納される際にＣＰＵ１０６によりタイマ１０８から取得され、「尿中塩分濃度予想値（ｇ／ｌ）」および「尿中塩分濃度（ｇ／ｌ）」とともにＣＰＵ１０６により格納される。【０１１３】
「尿中塩分濃度予想値（ｇ／ｌ）」に格納される情報は、対象者が自身の食事内容から予想される尿中の塩分濃度を示し、対象者が尿中の塩分濃度の測定時に入力部１０２から入力する予想値である。「尿中塩分濃度予想値（ｇ／ｌ）」に格納される情報は、入力部１０２を介してＣＰＵ１０６により取得され、格納される。【０１１４】
尿中の塩分濃度は、食事で摂取した塩分量から算出できる。そのため、食生活に関する正しい知識を身につけた対象者は、食事内容から測定値を予想することができる。【０１１５】
「尿中塩分濃度（ｇ／ｌ）」に格納される情報は、尿中成分測定器１により測定された対象者の尿中塩分濃度の測定値を示し、電気信号測定部１１２から入力される電気信号が尿中の塩分濃度にＣＰＵ１０６により換算され、格納される。【０１１６】
「判定日時」に格納される情報は、対象者のステージを判定した日時を示す。「判定日時」に格納される情報は、「ステージ」および「実行期・維持期継続期間（ヶ月）」が記憶媒体に格納される際にＣＰＵ４０４によりタイマ４０７から取得され、「ステージ」および「実行期・維持期継続期間（ヶ月）」とともにＣＰＵ４０４により格納される。【０１１７】
「ステージ」に格納される情報は、「目標測定値（ｇ／ｌ）」、「目標測定回数（回）」、「尿中塩分濃度予想値（ｇ／ｌ）」、「尿中塩分濃度（ｇ／ｌ）」に格納されている情報などを用いて、生活習慣改善支援装置４が判定する結果であり、対象者の生活習慣改善への取り組みの状態を示す。判定手順の詳細については、図１８を参照して後述する。【０１１８】
「実行期・維持期継続期間（ヶ月）」に格納される情報は、対象者の「ステージ」が「実行期」または「維持期」と判定された継続期間を示す。「実行期・維持期継続期間（ヶ月）」に格納される情報の具体的な決定手順については、図１８を参照して後述する。【０１１９】
以上の項目のうち、「目標測定値（ｇ／ｌ）」および「目標測定回数（回）」に格納される情報は、対象者の生活習慣改善を指導する者が生活習慣改善支援装置４の入力部４０１から入力する情報である。これらは、対象者が本実施の形態に係る健康管理システムを最初に使用したとき、または目標の内容が変更されたときに、入力され、記憶媒体２に格納される。【０１２０】
これらの情報の例は、図６に例示する「データ番号」が「１」により示される情報である。「データ番号」が「１」により示される生活習慣の改善に関する情報は、「目標測定値（ｇ／ｌ）」は「３」であり、「目標測定回数（回）」は「３０」である。また、これらの情報が格納された「入力日時」は、「２００４年９月１日１０時００分」である。【０１２１】
また、「測定日時」、「尿中塩分濃度予想値（ｇ／ｌ）」および「尿中塩分濃度測定値（ｇ／ｌ）」に格納される情報は、対象者の測定時に格納される情報である。【０１２２】
これらの情報の例は、図６に例示する「データ番号」が「２」から「９」までに示される情報である。例えば、「データ番号」が「２」により示される情報は、「測定日時」が「２００４年９月１０日８時３０分」であり、その測定の際の「尿中塩分濃度予想値（ｇ／ｌ）」が「６」であり、「尿中塩分濃度（ｇ／ｌ）」が「８」であることを示す。【０１２３】
「判定日時」、「ステージ」および「実行期・維持期継続期間（ヶ月）」に格納される情報は、生活習慣改善支援装置４におけるステージ判定時に格納される情報である。【０１２４】
これらの情報の例は、図６に例示する「データ番号」が「１０」により示される情報である。「データ番号」が「１０」により示される生活習慣の改善に関する情報は、「判定日時」が「２００４年１０月１日１０時００分」であり、その際に判定された「ステージ」が「関心期」であり、「実行期・維持期継続期間（ヶ月）」が「０」であることを示す。【０１２５】
ところで、医療情報を取り扱う際には、その情報と対象者との関連付けが重要であるが、この測定装置では、対象者個人がそれぞれ固有の記憶媒体を使用することで、その結果と対象者との関連付けを明確化している。もちろん、この方法に限定されることはなく、対象者毎に固有のパスワードを設定し、医療情報と関連付ける方法を用いるなどの方法を用いてもよい。【０１２６】
図７は、実施の形態１に係る判定プログラム記憶部４０８が記憶している第１のプログラムを実行するＣＰＵ４０４が発揮する機能の構成を示すブロック図である。判定プログラム記憶部４０８が記憶している第１のプログラムを実行するＣＰＵ４０４（以下、「第１プログラム実行ＣＰＵ４０４」という。）は、記憶媒体２に蓄積されている対象者の尿中塩分濃度の測定値から対象者が生活改善に取り組む段階を判断し、その判断に基づいた指導方針を提示する。【０１２７】
第１プログラム実行ＣＰＵ４０４は、測定値取得部５０１と、閾値記憶部５０２と、第１ステージ判断部５０３と、第２ステージ判断部５０４と、第３ステージ判断部５０５と、第４ステージ判断部５０６と、第５ステージ判断部５０７と、指導決定部５０９と、表示制御部５１０とを備える。【０１２８】
また、生活習慣改善支援装置４は、ＣＰＵ４０４の外部に入力部４０１と、表示部４０３と、電源４０５と、電源ボタン４０６と、タイマ４０７と、第１のプログラムを記憶している判定プログラム記憶部４０８と、指導内容記憶部４０９と、記憶媒体２との接続部である記憶媒体用端子４１０とを備え、これらと情報を授受する。ＣＰＵ４０４の外部に備える部位について図４を参照して説明したため、ここでの説明は省略する。【０１２９】
測定値取得部５０１は、対象者の生活習慣を反映する値である測定値を取得する測定値取得手段の一例である。また、測定値取得部５０１は、一定の期間に属する測定日に対応する測定値を取得する測定値取得手段の一例である。さらに、測定値取得部５０１は、測定値および対象者が予想する測定値である予想値を取得する手段の一例である。さらに、測定値取得部５０１は、一定の期間に属する測定日に対応する、測定値および予想値を取得する手段の一例である。【０１３０】
さらに、測定値取得部５０１は、前記対象者が測定を行う回数の目標を示す目標測定回数を取得する目標測定回数取得手段および前記対象者の測定値の目標を示す目標測定値を取得する目標測定値取得手段の一例である。【０１３１】
本実施の形態に係る測定値取得部５０１は、記憶媒体２が記憶している対象者の測定値と、目標測定値と、目標測定回数と、予想値とを記憶媒体用端子４１０を介して取得する。本実施の形態において「測定値」とは尿中塩分濃度の測定値であり、「予想値」とは対象者が予想する尿中塩分濃度の測定値である。【０１３２】
閾値記憶部５０２は、対象者の生活習慣の改善への取り組み段階を判断する際に参照される閾値データ５０２ａを記憶している。【０１３３】
図８は、閾値記憶部５０２が記憶している閾値データ５０２ａの第１の例を示す図である。本図に例示する閾値データ５０２ａは、対象者がステージに属するか否かを判断する閾値を内容とする「閾値」と、「閾値」に格納されている値により判断されるステージとの対応を示す情報を内容とする「種類」とにより構成される。「閾値」に格納されている値は、数字、割合、期間などを含む。本実施の形態に係る閾値データ５０２ａは、例えば、第１のステージに対応する閾値の「種類」が「第１の閾値」であり、その「値」が「１」であることを示す。【０１３４】
ここから図７の説明に戻る。【０１３５】
第１ステージ判断部５０３、第２ステージ判断部５０４、第３ステージ判断部５０５、第４ステージ判断部５０６および第５ステージ判断部５０７は、測定値取得部５０１により取得される測定値または測定値取得部５０１により取得される測定値のデータ数である測定回数に基づいて対象者の生活習慣改善への取り組みの段階を判断するステージ判断手段の一例である。【０１３６】
第１ステージ判断部５０３は、対象者の生活習慣改善への取り組みの段階が第１のステージであるかを判断し、第２ステージ判断部５０４対象者の生活習慣改善への取り組みの段階が第２のステージであるかを判断し、第３ステージ判断部５０５対象者の生活習慣改善への取り組みの段階が第３のステージであるかを判断し、第４ステージ判断部５０６対象者の生活習慣改善への取り組みの段階が第４のステージであるかを判断し、第５ステージ判断部５０７は対象者の生活習慣改善への取り組みの段階が第５のステージまたは第６のステージであると判断する。各ステージ判断部５０３から５０７について、以下に詳述する。【０１３７】
第１ステージ判断部５０３は、閾値記憶部５０２が記憶している「第１の閾値」に対応する閾値（以下、「第１の閾値」という。）を取得する。第１ステージ判断部５０３は、測定値取得部５０１が取得する測定値のデータ数である測定回数と第１の閾値とを比較し、比較結果に基づいて対象者の生活習慣改善への取り組みの段階を第１のステージと判断する部位の一例である。【０１３８】
第１のステージの一例は「無関心期」であり、「無関心期」とは例えば、生活習慣の改善に対する関心がない段階をいう。【０１３９】
具体的には、第１ステージ判断部５０３は、測定回数と第１の閾値とを比較し、測定回数が第１の閾値未満である場合に、対象者の生活習慣改善への取り組みの段階を生活習慣の改善に対する関心がない段階である無関心期と判断する部位の一例である。【０１４０】
第２ステージ判断部５０４は、閾値記憶部５０２が記憶している「第２の閾値」に対応する閾値（以下、「第２の閾値」という。）を取得する。第２ステージ判断部５０４は、測定値取得部５０１が取得する測定値のデータ数である測定回数に第２の閾値を乗じることにより得られる数と目標測定回数とを比較し、比較結果に基づいて対象者の生活習慣改善への取り組みの段階を第２のステージと判断する部位の一例である。【０１４１】
第２のステージの一例は「関心期」であり、「関心期」とは例えば、生活習慣の改善に対する関心をもち始めた段階をいう。【０１４２】
具体的には、第２ステージ判断部５０４は、目標測定回数に第２の閾値を乗じることにより得られる数と測定回数とを比較し、目標測定回数に第２の閾値を乗じることにより得られる数が測定回数以下である場合に、対象者の生活習慣改善への取り組みの段階を生活習慣の改善に対する関心を持ち始めた段階である関心期と判断する部位の一例である。【０１４３】
第３ステージ判断部５０５は、閾値記憶部５０２が記憶している「第３の閾値」に対応する閾値（以下、「第３の閾値」という。）を取得する。第３ステージ判断部５０５は、測定値取得部５０１が取得する測定値および予想値の乖離度が一定の値以下であるデータ数の測定回数に対する割合と第３の閾値とを比較し、比較結果に基づいて対象者の生活習慣改善への取り組みの段階を第３のステージと判断する部位の一例である。【０１４４】
第３のステージの一例は「第１の準備期」であり、「第１の準備期」は例えば、生活習慣の改善に取り組み始めたが正しい知識が身についていない段階をいう。【０１４５】
具体的には、第３ステージ判断部５０５は、測定値および予想値の乖離度が一定の値以下であるデータ数の測定回数に対する割合と第３の閾値とを比較し、測定値および予想値の乖離度が一定の値以下であるデータ数の測定回数に対する割合が第３の閾値より小さい場合に、対象者の生活習慣改善への取り組みの段階を生活習慣の改善に取り組み始めたが正しい知識が身についていない段階である第１の準備期と判断する部位の一例である。【０１４６】
第４ステージ判断部５０６は、閾値記憶部５０２が記憶している「第４の閾値」に対応する閾値（以下、「第４の閾値」という。）を取得する。第４ステージ判断部５０６は、測定値取得部５０１が取得する測定値が目標測定値以下であるデータ数の測定回数に対する割合と第４の閾値とを比較し、比較結果に基づいて対象者の生活習慣改善への取り組みの段階を第４のステージと判断する部位の一例である。【０１４７】
第４のステージの一例は「第２の準備期」であり、「第２の準備期」は例えば、身に付いた正しい知識を生活習慣改善に活用できていない段階をいう。【０１４８】
具体的には、第４ステージ判断部５０６は、測定値が目標測定値以下であるデータ数および測定回数の比率と第４の閾値とを比較し、測定値が目標測定値以下であるデータ数および測定回数の比率が第４の閾値より小さい場合に、対象者の生活習慣改善への取り組みの段階を身に付いた正しい知識を生活習慣改善に活用できていない段階である第２の準備期と判断する部位の一例である。【０１４９】
第５ステージ判断部５０７は、閾値記憶部５０２が記憶している第４の閾値と「第５の閾値」に対応する閾値（以下、「第５の閾値」という。）とを取得する。第５ステージ判断部５０７は、測定値取得部５０１が取得する測定値が目標測定値以下であるデータ数の測定回数に対する割合が第４の閾値以上となる継続期間と第５の閾値とを比較し、比較結果に基づいて対象者の生活習慣改善への取り組みの段階を第５のステージまたは第６のステージと判断する部位の一例である。【０１５０】
第５のステージの一例は「実行期」であり、「実行期」は例えば、生活習慣の改善に正しい知識を活用して取り組み始めた段階をいう。【０１５１】
具体的には、第５ステージ判断部５０７は、測定値が目標測定値以下となるデータ数の測定回数に対する割合が第４の閾値以上となる継続期間と第５の閾値とを比較し、継続期間が第５の閾値より小さい場合に、対象者の生活習慣改善への取り組みの段階を生活習慣の改善に正しい知識を活用して取り組み始めた段階である実行期と判断する部位の一例である。【０１５２】
また、第６のステージの一例は「維持期」であり、「維持期」は例えば、対象者の健康のために適切な生活習慣が定着した段階をいう。【０１５３】
具体的には、第５ステージ判断部５０７は、測定値が目標測定値以下となるデータ数の測定回数に対する割合が第４の閾値以上となる継続期間と第５の閾値とを比較し、継続期間が第５の閾値以上の場合に、対象者の生活習慣改善への取り組みの段階を対象者の健康のために適切な生活習慣が定着した段階である維持期と判断する部位の一例である。【０１５４】
なお、本実施の形態において、測定値、目標測定値および目標測定回数は全て同一の記憶媒体２が記憶しているとしているが、異なる記憶媒体に格納されていても構わない。例えば、目標値および目標測定値は、生活習慣改善支援装置４の内部に備える記憶部（図示していない）に格納されていてもよい。【０１５５】
指導決定部５０９は、指導内容記憶部４０９が記憶しているステージ指導内容テーブルを参照することにより、各ステージ判断部５０３から５０７から取得する判断結果に対応する指導内容を決定する。【０１５６】
すなわち、指導決定部５０９は、ステージ判断手段による判断結果から、生活習慣改善への取り組みの段階と生活習慣改善への取り組みの段階に応じた助言または指導方法とが格納されているテーブルを参照することにより、生活習慣改善への取り組みの段階に応じた助言または指導方法を決定する指導決定手段の一例である。【０１５７】
表示制御部５１０は、表示部４０３を制御する部位である。本実施の形態に係る表示制御部５１０は、指導決定部５０９から取得する対象者の生活習慣改善への取り組みの段階および指導内容、対象者の氏名など対象者に関する情報を表示部４０３に表示させる。【０１５８】
すなわち、表示制御部５１０は、ステージ判断手段による判断結果と、指導決定手段により決定された助言または指導方法との少なくとも一方を表示させる第１の表示制御手段の一例であり、さらに一定の測定回数分の前記測定値と、前記予想値と、前記目標値とを表示させる第２の表示制御手段の一例である。【０１５９】
さらに、尿中成分測定器１を用いた尿中成分測定のフローについて、図９を参照して説明する。【０１６０】
図９は、実施の形態１に係る尿中成分測定器１において実行される処理のフローチャートである。【０１６１】
まず、ＣＰＵ１０６は、電源ボタン１０１が押されたか否かを判断する（Ｓ１０１）。電源ボタン１０１が押されていないと判断した場合（Ｓ１０１でＮｏ）、ＣＰＵ１０６は電源ボタン１０１が押されるまで待機している。【０１６２】
電源ボタン１０１が押されたと判断した場合（Ｓ１０１でＹｅｓ）、ＣＰＵ１０６は予想値の入力要求を表示部１０３に表示させる（Ｓ１０２）。【０１６３】
ここで、図１０は、尿中成分測定器１の表示部１０３に表示される予想値の入力要求の例を示す図である。本図に例示する表示部１０３は、「予想値を入力指定下さい」という入力要求を表示する。【０１６４】
対象者は、食事内容から予想される尿中塩分濃度の予想値を、入力部１０２から尿中成分測定器１に入力する。【０１６５】
ここから図９の説明に戻る。【０１６６】
続けて、ＣＰＵ１０６は、予想値が入力されたか否かを判断する（Ｓ１０３）。予想値が入力されていないと判断した場合（Ｓ１０３でＮｏ）、ＣＰＵ１０６は予想値が入力されるまで待機する。【０１６７】
予想値が入力されたと判断した場合（Ｓ１０３でＹｅｓ）、ＣＰＵ１０６は測定チップ３の装着要求を表示部１０３に表示させる（Ｓ１０４）。【０１６８】
ここで、図１１は、尿中成分測定器１の表示部１０３に表示される測定チップ３の装着要求の例を示す図である。本図は、「測定チップを装着してください」という、測定チップ３の装着要求が表示される例を示す。【０１６９】
ここから図９の説明に戻る。【０１７０】
続けて、ＣＰＵ１０６は、装着検知部１０９が測定チップ３の装着を検知した通知を受けたか否かにより、測定チップ３が測定チップ接続口１０５に装着されたか否かを判断する（Ｓ１０５）。【０１７１】
装着検知部１０９から測定チップ３の装着を検知した通知を受けないとき、ＣＰＵ１０６は測定チップ３が装着されていないと判断し（Ｓ１０５でＮｏ）、装着検知部１０９から測定チップ３の装着を検知した通知を受けるまで待機する。【０１７２】
装着検知部１０９から測定チップ３の装着を検知した通知を受けたとき、ＣＰＵ１０６は測定チップ３が装着されていると判断し（Ｓ１０５でＹｅｓ）、ＣＰＵ１０６は測定の準備ができたことを通知するメッセージを表示部１０３に表示させる（Ｓ１０６）。【０１７３】
ここで、図１２は、実施の形態１に係る尿中成分測定器１の表示部１０３に表示される測定準備ができたことを通知するメッセージの例を示す図である。本図は、「測定スタンバイ」という測定準備ができたことを通知するメッセージが表示されている例である。【０１７４】
ここから図９の説明に戻る。【０１７５】
対象者が、あらかじめ紙コップ等の容器に採尿しておいた尿中に、尿中成分測定器１に装着されている測定チップ３の電極３０１部分を浸ける。【０１７６】
続けて、ＣＰＵ１０６は、入力部１０２に何らかの入力がなされたか否かを判断する（Ｓ１０７）。入力部１０２に何も入力がなされていないと判断した場合（Ｓ１０７でＮｏ）、ＣＰＵ１０６は測定準備の状態で待機する。【０１７７】
入力部１０２に何らかの入力がなされたと判断した場合（Ｓ１０７でＹｅｓ）、ＣＰＵ１０６は尿中の塩分濃度の測定を行う（Ｓ１０８）。具体的には、ＣＰＵ１０６は、記憶媒体２に格納されている、抵抗値と塩分濃度との関係を示す検量テーブルを参照して、抵抗値を塩分濃度に換算することにより、尿中の塩分濃度を測定する。なお、検量テーブルは、尿中成分測定器１が備える記憶部（図示していない）に格納されても良い。【０１７８】
続けて、ＣＰＵ１０６は、測定された尿中の塩分濃度である測定値を表示部１０３に、一定の時間だけ表示させる（Ｓ１０９）。【０１７９】
ここで、図１３は、実施の形態１に係る尿中成分測定器１の表示部１０３に表示される測定値の例を示す図である。本図は、測定された尿中の塩分濃度が「１０ｇ/l」である例を示す。【０１８０】
続けて、ＣＰＵ１０６は、タイマ１０８から取得される測定日時と、Ｓ１０８において測定された結果と、Ｓ１０２において表示された入力要求に応じて入力された予想値とを対応付けて記憶媒体２に格納する（Ｓ１１０）。【０１８１】
続けて、ＣＰＵ１０６は、Ｓ１１０の処理において記憶媒体２に格納した予想値、目標値および測定値と同一の予想値、目標値および測定値と、記憶媒体２が記憶している前回測定した時の予想値、目標値および測定値とを表示部１０３に表示させる（Ｓ１１１）。【０１８２】
ここで、図１４は、実施の形態１に係る尿中成分測定器１の表示部１０３に表示される予想値、目標値および測定値の例を示す図である。本実施の形態に係る尿中成分測定器１は、記憶媒体２が記憶している予想値、目標値および測定値をグラフとして表示する。【０１８３】
この表示により対象者は、予想値と測定値とが乖離しているか否か、また目標値と測定値とが乖離しているか否かについて、前回と今回とを一目で比較することができ、自己の生活習慣に取り組みの状態を客観的にかつ容易に捉えることが可能となる。【０１８４】
ここから図９の説明に戻る。【０１８５】
最後に、ＣＰＵ１０６は、電源ボタンが押されたか否かを判断する（Ｓ１１１）。電源ボタン１０６が押されていない場合（Ｓ１１２でＮｏ）、ＣＰＵ１０６はＳ１１０における表示処理を継続する。【０１８６】
電源ボタン１０６が押された場合（Ｓ１１２でＹｅｓ）、ＣＰＵ１０６は電源１０７を切り、処理を終了する。【０１８７】
以上のように、対象者は医師などの専門家の指導の下、日常生活において生活改善に取組みながら、尿中塩分を測定する。例えば、医師から定期的に指導を受ける対象者の場合、その対象者は、例えば１ヶ月に１度、医療機関において医師の診療を受ける際に、測定値が記録された記憶媒体２を医療機関に持参する。医師は、診療所内の生活習慣改善支援装置４を用いて、対象者の測定値などを記憶媒体２から読み取り、解析することで、対象者のステージに応じた生活改善指導を実施する。【０１８８】
尿中の塩分測定の場合、１日１回、起床後に測定を行うことが好ましい。【０１８９】
さらに、実施の形態１に係る生活習慣改善支援装置４におけるステージおよび指導内容の判定について、図１５から図１８を用いて説明する。【０１９０】
図１５は、実施の形態１に係る生活習慣改善支援装置４において実行される処理の流れを示すフローチャートである。本図は、対象者が尿中成分測定器１を用いて尿中の塩分濃度を毎日測定し、その結果を月に一度、生活習慣改善の指導者の下にある生活習慣改善支援装置４により、判定を実行する場合の例を示す。【０１９１】
まず、ＣＰＵ４０４は、電源ボタンが押されたか否かを判断する（Ｓ２０１）。電源ボタンが押されていないと判断した場合（Ｓ２０１でＮｏ）、ＣＰＵ４０４は電源ボタンが押されるまで待機している。【０１９２】
電源ボタンが押されたと判断した場合（Ｓ２０１でＹｅｓ）、次に、ＣＰＵ４０４は記憶媒体２を記憶媒体挿入口４０２に挿入されているか否かを判断する（Ｓ２０２）。【０１９３】
記憶媒体２が挿入されていないと判断した場合（Ｓ２０２でＮｏ）、ＣＰＵ４０４は記憶媒体２を挿入することを促すメッセージを表示部４０３に表示させる（Ｓ２０３）。【０１９４】
図１６は、実施の形態１に係る生活習慣改善支援装置４の表示部４０３に表示される記憶媒体２の挿入を促すメッセージの表示例である。ＣＰＵ４０４が表示部４０３に「メモリカードが確認できません」というメッセージを表示させることにより、ＣＰＵ４０４が利用者に記憶媒体の挿入を促す例である。【０１９５】
記憶媒体２が挿入されていると判断した場合（Ｓ２０２でＹｅｓ）、ＣＰＵ４０４は、ステージ判定プログラムを判定プログラム記憶部４０８から読み出し、そのプログラムを実行することにより、記憶媒体２が記憶されている情報に基づいて対象者のステージおよび指導内容を判定する（Ｓ２０４）。ステージおよび指導内容の判定処理の詳細については後述する。【０１９６】
続けて、ＣＰＵ４０４は、Ｓ２０４において判定された対象者のステージ、および指導内容記憶部４０９が記憶しているステージ指導内容テーブルを参照することにより得られるステージに対応する指導内容を、表示部４０３に表示させる（Ｓ２０５）。【０１９７】
ここで、図１７は、実施の形態１に係る生活習慣改善支援装置４の表示部４０３に表示される、対象者のステージおよび指導内容の表示例を示す図である。【０１９８】
対象者の「名前」、判定された「今月のステージ」およびステージに対応する「指導内容」が表示されている。本図において判定された対象者のステージは「関心期」である。【０１９９】
また、本図は、指導内容記憶部４０９が図５に示すステージ指導内容テーブルを記憶している場合の例であり、「関心期」に対応する「指導内容」である「測定ができない理由を追求し、その障害を取り除くような指導をしましょう。」を指導内容として表示している例を示す。【０２００】
続けて、ＣＰＵ４０４は、Ｓ２０４において判定された対象者のステージと、タイマ４０７から取得する判定終了時刻と、「実行期・維持期継続期間（ヶ月）」とを対応付けて記憶媒体２に格納して（Ｓ２０６）、処理を終了する。【０２０１】
「実行期・維持期継続期間（ヶ月）」に格納される情報は、今回の判定が「実行期」または「維持期」の場合、前回の判定時の「実行期・維持期継続期間（ヶ月）」に、前回の判定時からの経過期間を加算した期間である。「実行期・維持期継続期間（ヶ月）」に格納される情報は、前回の判定時に格納されている「実行期・維持期継続期間（ヶ月）」を参照することにより算出でき、１ヶ月に一度の判定を行っている場合、前回の判定時の「実行期・維持期継続期間（ヶ月）」に１ヶ月を加算した期間となる。【０２０２】
また、今回の判定が「実行期」および「維持期」以外場合、「実行期・維持期継続期間（ヶ月）」に格納される情報は「０」である。【０２０３】
次に、ＣＰＵ４０４が実行するステージおよび指導内容の判定処理の詳細について、図７および図１８を参照して説明する。【０２０４】
図１８は、図１５に示すステージ・指導内容判定処理Ｓ２０４においてＣＰＵ４０４が実行する処理の詳細の第１の例を示すフローチャートである。すなわち、本図は第１プログラム実行ＣＰＵ４０４が実行する処理の例であり、対象者が尿中成分測定器１を用いて尿中の塩分濃度を毎日測定し、その結果を月に一度、生活習慣改善の指導者の下にある生活習慣改善支援装置４により、判定を実行する場合のフローチャートである。【０２０５】
まず、測定値取得部５０１は、過去１ヶ月の生活習慣の改善に関する情報を記憶媒体２から抽出する（Ｓ３０１）。【０２０６】
次に、第１ステージ判断部５０３は、Ｓ３０１において抽出された測定データのデータ数から測定回数を得て、その測定回数と第1の閾値とを比較する。本図に示す例は、Ｓ３０１において抽出された測定データがあるか否かを判断しており（Ｓ３０２）、第１の閾値を「１」とした例である。過去１ヶ月間の測定データがないと判断した場合（Ｓ３０２でＮｏ）、第１ステージ判断部５０３は対象者のステージを「無関心期」と判断する（Ｓ３０３）。指導決定部５０９は、第１ステージ判断部５０３の判断が「無関心期」であることを取得し、指導内容記憶部４０９が記憶しているステージ指導内容テーブルを参照して、「無関心期」に対応する指導内容を決定する（Ｓ３０４）。【０２０７】
過去１ヶ月間の測定データが１つ以上あると判断した場合（Ｓ３０２でＹｅｓ）、続けて、第２ステージ判断部５０４は、抽出された過去１ヶ月間の測定データ数から得られる、対象者が１ヶ月間に行った測定回数をＡとする（Ｓ３０５）。記憶媒体２に格納されている生活習慣の改善に関する情報に含まれる目標測定回数を参照して、Ａが目標測定回数に第２の閾値を乗じた値より大きいか否かを判断する。本図に示す例は、Ａが目標測定回数に１／２を乗じた値より大きいか否かを判断しており（Ｓ３０６）、第２の閾値を「１／２」とした例である。【０２０８】
Ａが目標測定回数の１／２より大きくないと判断した場合（Ｓ３０６でＮｏ）、対象者は測定に関心を示してはいるものの、生活習慣改善の指導者から指導された目標測定回数の１／２以下しか達成出来ていないことから、第２ステージ判断部５０４は対象者のステージを「関心期」と判定する（Ｓ３０７）。指導決定部５０９は、指導内容記憶部４０９が記憶しているステージ指導内容テーブルを参照して、「関心期」に対応する指導内容を決定する（Ｓ３０８）。【０２０９】
Ａが目標測定回数の１／２より大きいと判断された場合（Ｓ３０６でＹｅｓ）、続けて、第３ステージ判断部５０５は、抽出された過去１ヶ月間の測定データから、各測定において予想値と測定値の乖離度が一定の割合以下である測定の、過去１ヶ月間の測定回数に対する割合を算出してそれをＢとする。本図に示す例は、抽出された過去１ヶ月間の測定データから、各測定において予想値と測定値の乖離度が２０％以下である測定の、過去１ヶ月間の測定回数に対する割合を算出してそれをＢとする（Ｓ３０９）。【０２１０】
続けて、第３ステージ判断部５０５はＢが第３の閾値以上であるか否かを判断する。本図に示す例は、Ｂが８０％以上であるか否かを判断しており（Ｓ３１０）、第３の閾値を「８０％」とした例である。【０２１１】
Ｂが８０％以上でないと判断した場合（Ｓ３１０でＮｏ）、対象者は目標測定回数以上の測定を実行しているため改善への関心は認められるが、予想値との乖離が大きいことから実際に摂取する食事の塩分量に関する知識が不足していると考えられるため、第３ステージ判断部５０５は対象者のステージを「第１の準備期」と判定する（Ｓ３１１）。第３ステージ判断部５０５は、指導内容記憶部４０９が記憶しているステージ指導内容テーブルを参照して、「第１の準備期」に対応する指導内容を決定する（Ｓ３１２）。【０２１２】
Ｂが８０％以上であると判断した場合（Ｓ３１０でＹｅｓ）、続けて、第４ステージ判断部５０６は、抽出された過去１ヶ月間の測定データから、各測定において測定値が目標値以下である測定の、過去１ヶ月間の全測定の回数に対する割合を算出してこれをＣとする（Ｓ３１３）。【０２１３】
続けて、第４ステージ判断部５０６はＣが第４の閾値以上であるか否かを判断する。本図に示す例は、Ｃが８０％以上であるか否かを判断しており（Ｓ３１４）、第４の閾値を「８０％」とした例である。【０２１４】
Ｃが８０％以上でないと判断した場合（Ｓ３１４でＮｏ）、対象者は意欲もあり、自分が摂取している食事の塩分量を把握するための知識と意欲を持っているが、食事の塩分量を減らす知識やノウハウを理解していない状態であるため、第４ステージ判断部５０６は対象者のステージを「第２の準備期」と判定する（Ｓ３１５）。第４ステージ判断部５０６は、指導内容記憶部４０９が記憶しているステージ指導内容テーブルを参照して、「第２の準備期」に対応する指導内容を決定する（Ｓ３１６）。【０２１５】
Ｃが８０％以上であると判断した場合（Ｓ３１４でＹｅｓ）、第５ステージ判断部５０７は、記憶媒体２に格納されている生活習慣の改善に関する情報に含まれる「実行期・維持期継続期間（ヶ月）」を参照し、「実行期・維持期継続期間（ヶ月）」に格納されている期間をＤとする（Ｓ３１７）。【０２１６】
続けて、第５ステージ判断部５０７はＤが第５の閾値以上であるか否かを判断する。本図に示す例において、第５ステージ判断部５０７はＤが６ヶ月以上であるか否かを判断しており（Ｓ３１８）、第５の閾値を「６ヶ月」とした例である。【０２１７】
Ｄが６ヶ月以上でないと判断した場合（Ｓ３１８でＮｏ）、第５ステージ判断部５０７は対象者のステージを「実行期」と判定する（Ｓ３１９）。Ｄが６ヶ月以上であると判断した場合（Ｓ３１８でＹｅｓ）、第５ステージ判断部５０８は対象者のステージを「維持期」と判定する（Ｓ３２０）。続けて、指導決定部５０９は、指導内容記憶部４０９が記憶しているステージ指導内容テーブルを参照して、「実行期」および「維持期」にそれぞれ対応する指導内容を決定する（Ｓ３２１）。【０２１８】
このように第１プログラム実行ＣＰＵ４０４は対象者に適した指導内容を決定する。生活習慣改善の指導者は、図１５のＳ２０５において表示された指導内容に基づき、対象者に対して指導を行う。【０２１９】
ステージが「無関心期」にあると判定された場合に、表示された指導内容に基づき、対象者に関心を持たせるような指導や、病気に関する知識を指導する。【０２２０】
ステージが「関心期」にあると判定された場合は、測定には関心があるが、現在その測定が実行できない理由について考え、その障害を取り除くような指導を行う。具体的には、例えば、測定を実施するときに対象者が受ける利益と実施しないことによる不利益の提示などである。【０２２１】
ステージが「第１の準備期」にあると判定された場合、摂取した食事からの塩分の算出方法に関する指導を重点的に実施する。具体的には、例えば、食品管理表による塩分量の見積もり方法や、食事の内容を忘れないための方法の提示である。【０２２２】
ステージが「第２の準備期」にあると判定された場合、具体的に食事の塩分量を削減するための改善方法の提案を行う。その際、ただ単に量を減らすだけでなく、味気ない食事にならないような工夫を併せて提示すると、より対象者の生活改善を効率よくすることが可能となる。【０２２３】
最後にステージが「実行期」、「維持期」にあると判定された場合、対象者にいかにその生活改善を続けてもらうかというところにポイントを絞った指導を実践すればよい。例えば、家族などの協力を求めることで周囲の環境を整備することで、一度習慣づいた生活改善を後戻りさせないなどの指導である。【０２２４】
さらに、指導内容記憶部４０９が記憶しているステージ指導内容テーブルが図５に示す内容であり、記憶媒体２が記憶している生活習慣の改善に関する情報が図６に示す内容である場合を例に、図１５および図１８を参照して、図１５に示すステージ・指導内容の判定処理（Ｓ２０４）の詳細、指導内容の表示処理（Ｓ２０５）および記録媒体への格納処理（Ｓ２０６）において第１プログラム実行ＣＰＵ４０４による処理の具体例を示す。ここで、ステージ判定を実行する日時は、「２００４年１０月１日１０時００分」とし、生活習慣改善指導の周期は１ヶ月とする。【０２２５】
第１プログラム実行ＣＰＵ４０４は、ステージ・指導内容の判定処理（Ｓ２０４）において、まず、過去１ヶ月間のデータを記憶媒体２から抽出する（Ｓ３０１）。本具体例において、「測定日時」が、２００４年９月１日から２００４年９月３０日までの測定データであり、図６に示す「データ番号」が「２」から「９」までにより示される測定情報が抽出される。【０２２６】
次に、第１ステージ判断部５０３は、測定データがあるか否かを判断する（Ｓ３０２）。本具体例において、上記のように測定データがあるため、第１ステージ判断部５０３は測定データがあると判断する（Ｓ３０２でＹｅｓ）。【０２２７】
続けて、第２ステージ判断部５０４は、測定データの数をＡとする（Ｓ３０５）。本具体例において、測定データの数は８個であるため、Ａは８となる。【０２２８】
続けて、第２ステージ判断部５０４は、目標測定回数を参照し、目標測定回数を２で除した値よりＡが大きいか否かを判断する（Ｓ３０６）。本具体例において、目標測定回数は図６に示すように「３０」であるため、２で除した値は１５となる。Ａは８であるから、目標測定回数を２で除した値よりＡが大きいことはないと判断する（Ｓ３０６でＮｏ）。【０２２９】
続けて、第２ステージ判断部５０４は、本具体例に係る「ステージ」を「関心期」と判断する（Ｓ３０７）。【０２３０】
続けて、指導決定部５０９は図５に示す指導内容記憶部４０９を参照して指導内容を「測定できない理由を追及し、その障害を取り除くような指導をしましょう。」と決定する。【０２３１】
続けて、表示制御部５１０は、判定したステージおよび指導内容を表示部４０３に表示させる（Ｓ２０５）。上記の図１７は、上記の処理の結果が表示部４０３に表示された例である。【０２３２】
続けて、第１プログラム実行ＣＰＵ４０４は、判定したステージを記憶媒体２に格納し（Ｓ２０６）、処理を終了する。図６の「データ番号」が「１０」により示される情報は、本具体例に係る判定結果が格納された例である。ここで、判定される「ステージ」が「関心期」であるため、「実行期・維持期継続期間（ヶ月）」は「０」となる。【０２３３】
以上のように、実施の形態１に係る生活習慣改善支援装置４により、行動科学の理論に基づいた対象者の状態（ステージ）を客観的な測定データから評価することができることから、対象者のステージを正しく判定することができる。したがって、医師が正確にステージを把握することができるようになるので、対象者に対してより的確な指導を実施することが可能となる。【０２３４】
なお、本実施の形態では、尿中成分測定器１と生活習慣改善支援装置４との間における対象者の生活習慣の改善に関する情報の授受を、記憶媒体であるメモリカードを介して行った。記憶媒体はメモリカードに限定されず、例えば、フレキシブルディスクやＭＯ（Ｍａｇｎｅｔｏ−Ｏｐｔｉｃａｌ  ｄｉｓｋ）、ＵＳＢ（Ｕｎｉｖｅｒｓａｌ  Ｓｅｒｉａｌ  Ｂｕｓ）メモリなどを使用してもよい。【０２３５】
また、記憶媒体は、装置から取り外し可能な記憶媒体であるメモリカードなどの他、装置内に格納されたメモリやハードディスクであってもよい。この場合、尿中成分測定器１と生活習慣改善支援装置４との間の情報の授受は、両者を有線あるいは無線通信で繋ぐことでデータの送受信を行う。【０２３６】
さらに、本実施の形態では、記憶媒体２に格納されたデータを生活習慣改善支援装置４に入力する方法として、生活習慣改善支援装置４内に設けられた記憶媒体用端子４１０を用いたが、これに限定されない。例えば、記憶媒体用端子４１０に代えて、記憶媒体２のリーダを備えた携帯電話やＰＤＡ（携帯情報端末：Ｐｅｒｓｏｎａｌ  Ｄｉｇｉｔａｌ  Ａｓｓｉｓｔａｎｃｅ）端末を用いて、このリーダに記憶媒体を装着し、記憶媒体を装着した携帯電話やＰＤＡ端末から無線通信を利用して、測定値を生活習慣改善支援装置４に設けられた受信部（図示していない）に送信してもよい。この際、測定値は対象者の個人情報であることから、データを暗号化し送信することが望ましい。【０２３７】
さらに、尿中成分測定器１と生活習慣改善支援装置４との間におけるデータ授受は、公衆回線網を介して行われても良い。【０２３８】
図１９は、実施の形態１に係る生活習慣改善支援システムの構成の第１の変形例を示す概略図である。本図に示す尿中成分測定器１及び診療所端末４は、それぞれデータ送受信部を備え、公衆回線網を介して相互にデータの送受信を行う。【０２３９】
これにより、データの送受信のために記憶媒体２を持ち歩く必要がないため、紛失などのリスクを回避することが可能となる。この時、尿中成分測定器１及び診療所端末４と公衆回線網との接続方法は有線、無線のどちらでもよい。【０２４０】
さらに、本実施の形態では、ステージの判定の際に、測定回数と、測定値と、目標値と、予想値を利用したが、予想値を使用しない構成であっても構わない。この場合、本実施の形態で示した「第１の準備期」と「第２の準備期」とを１つのステージ、例えば「準備期」として判定することで対象者のステージを判定することが可能である。【０２４１】
図２０は、実施の形態１の第２の変形例に係る判定プログラム記憶部１８０８が記憶している第２のプログラムを実行するＣＰＵ４０４が発揮する機能の構成を示すブロック図である。判定プログラム記憶部１８０８が記憶している第２のプログラムを実行するＣＰＵ４０４（以下、「第２プログラム実行ＣＰＵ４０４」という。）は、記憶媒体２に蓄積されている対象者の尿中塩分濃度の測定値から対象者が生活改善に取り組む段階を判断し、その判断に基づいた指導方針を提示する。【０２４２】
ここで、第１プログラム実行ＣＰＵ４０４において判断されるステージが「無関心期」・「関心期」・「第１の準備期」・「第２の準備期」・「実行期」・「維持期」の６つであるのに対して、第２プログラム実行ＣＰＵ４０４において判断されるステージは、上記のように「無関心期」・「関心期」・「準備期」・「実行期」・「維持期」の５つである。【０２４３】
第２プログラム実行ＣＰＵ４０４は、測定値取得部５０１と、閾値記憶部１８０２と、第１ステージ判断部５０３と、第２ステージ判断部５０４と、第４ステージ判断部１８０５と、第５ステージ判断部５０７と、指導決定部５０９と、表示制御部５１０とを備える。図７を参照して説明した第１プログラム実行ＣＰＵ４０４と同じ機能を有する部位には、同一の参照符号を付しており、ここでの説明は省略する。【０２４４】
また、生活習慣改善支援装置４は、ＣＰＵ４０４の外部に入力部４０１と、表示部４０３と、電源４０５と、電源ボタン４０６と、タイマ４０７と、第２のプログラムを記憶している判定プログラム記憶部１８０８と、指導内容記憶部４０９と、記憶媒体２との接続部である記憶媒体用端子４１０とを備え、これらと情報を授受する。ＣＰＵ４０４の外部に備える部位について図４を参照して説明したため、ここでの説明は省略する。【０２４５】
閾値記憶部１８０２は、対象者の生活習慣の改善への取り組み段階を判断する際に参照される閾値データ１８０２ａを記憶している。【０２４６】
図２１は、閾値記憶部１８０２が記憶している閾値データ１８０２ａの第２の例を示す図である。閾値データ１８０２ａの構成は、図８を参照して説明した第１プログラム実行ＣＰＵ４０４に係る閾値記憶部５０２が記憶している閾値データ５０２ａの構成と同一であるため、ここでの説明は省略する。【０２４７】
第１プログラム実行ＣＰＵ４０４に係る閾値データ５０２ａと第２プログラム実行ＣＰＵ４０４に係る閾値データ１８０２ａとの違いは、第１プログラム実行ＣＰＵ４０４に係る閾値データ５０２ａに「第３の閾値」が含まれているのに対して、第２プログラム実行ＣＰＵ４０４に係る閾値データ１８０２ａに「第３の閾値」が含まれていない点にある。【０２４８】
第４ステージ判断部１８０５は、閾値記憶部１８０２が記憶している第４の閾値を取得する。第４ステージ判断部１８０５は、測定値取得部５０１が取得する測定値が目標測定値以下であるデータ数の測定回数に対する割合と第４の閾値とを比較し、比較結果に基づいて対象者の生活習慣改善への取り組みの段階を第４のステージと判断する部位の一例である。【０２４９】
すなわち、第４ステージ判断部１８０５は、測定値が目標測定値以下であるデータ数および測定回数の比率と第４の閾値とを比較し、測定値が目標測定値以下であるデータ数および測定回数の比率が第４の閾値より小さい場合に、対象者の生活習慣改善への取り組みの段階を生活習慣の改善の取り組みを始めた段階である準備期と判断する部位の一例である。【０２５０】
図２２は、図１５に示すステージ・指導内容判定処理Ｓ２０４においてＣＰＵ４０４が実行する処理の詳細の第２の例を示すフローチャートである。本図に示すフローチャートは、第２プログラム実行ＣＰＵ４０４における処理を示しており、図１８に示すフローチャートからＳ３０９からＳ３１２までにおける処理を削除し、Ｓ３１５において実行されるステージ判定の結果を「準備期」と変更した図である（Ｓ３１５１）。また、Ｓ３１５１における処理は第４ステージ判断部１８０５が実行する。【０２５１】
本図の参照番号は、図１８に示すフローチャートと同様の処理について同一の参照符号である。そのため、ここでの説明は省略する。【０２５２】
これにより、対象者が予想値を入力する工程（図９のＳ１０２およびＳ１０３）を省くことが出来るため、対象者の負担を少なくしたステージ判定が可能となる。【０２５３】
さらに、図１８および図２２に示す、Ｓ３０６、Ｓ３１０、Ｓ３１４およびＳ３１８においてＣＰＵ４０４が実行する判断処理の基準は、図示したものに限らない。適切な判断基準を設定することにより、尿中成分測定器１により測定される客観的な値から対象者のステージ判定を的確に実行することが可能になる。【０２５４】
（実施の形態２）
次に、実施の形態２に係る生活習慣改善支援装置について説明する。【０２５５】
本実施の形態に係る生活習慣改善支援装置は、実施の形態１に係る尿中成分測定器１が判定プログラム記憶部及び指導内容記憶部を、さらに備える点である。これにより、対象者は、尿中の塩分濃度の測定だけでなく、ステージの判定をも自身で行うことができる。【０２５６】
図２３は、実施の形態２に係る生活習慣改善支援装置１０の機能的構成を示すブロック図である。実施の形態２に係る生活習慣改善支援装置１０は、実施の形態１に係る尿中成分測定器１が、ステージ判定の機能をも備えた装置である。【０２５７】
実施の形態２に係る生活習慣改善支援装置１０は、電源ボタン１０１と、入力部１０２と、表示部１０３と、電源１０７と、タイマ１０８と、装着検知部１０９と、測定チップ用端子１１０と、電圧印加部１１１と、電気信号測定部１１２と、記憶媒体用端子１１３と、判定プログラム記憶部１１４と、指導内容記憶部１１５、ステージ判定ボタン１１６と、ＣＰＵ１００６とを備える。【０２５８】
ここで、本図に示す機能ブロックに付された参照符号は、図４に示す機能ブロックと同一の機能を有する部位について、図４と機能が同一である。そのため、同一の参照符号を付した機能ブロックの説明は省略する。【０２５９】
ステージ判定ボタン１１６は、ステージ判定プログラムを起動させるボタンである。【０２６０】
ＣＰＵ１００６は、各種の処理を実行する処理部である。ＣＰＵ１００６が実行する処理の詳細は、図２４を参照して説明する。【０２６１】
次に、実施の形態２に係る生活習慣改善支援装置１０が実行する処理について、図９、図１５および図２４を参照して説明する。【０２６２】
図２４は、実施の形態２に係る生活習慣改善支援装置１０が実行する処理を示すフローチャートである。【０２６３】
ＣＰＵ１００６は、図９に示す電源ボタン１０１の押下の判断（図９のＳ１０１）および予想値の入力要求の表示処理（図９のＳ１０２）と同一の処理（Ｓ１０１およびＳ１０２）を実行した後、予想値が入力されたか否かを判断する（Ｓ１０３）。予想値が入力されたと判断すると（Ｓ１０３でＹｅｓ）、ＣＰＵ１００６は、図９に示す測定チップ３の装着要求の表示処理（図９のＳ１０４）から結果のグラフ表示処理（図９のＳ１１１）までの処理を実行する（Ｓ１０４からＳ１１１まで）。【０２６４】
予想値が入力されていないと判断すると（Ｓ１０３でＮｏ）、ＣＰＵ１００６はステージ判定ボタン１１６が押されたか否かを判断する（Ｓ２０１１）。ステージ判定ボタン１１６が押されていないと判断すると（Ｓ２０１１でＮｏ）、ＣＰＵ１００６は予想値の入力判断処理（Ｓ１０３）に戻る。【０２６５】
予想値が入力されていると判断すると（Ｓ１０３でＹｅｓ）、ＣＰＵ１００６は図１５に示すステージ・指導内容の判定処理（図１５のＳ２０４）から記憶媒体２への格納処理（図１５のＳ２０６）までを実行する（Ｓ２０２からＳ２０６まで）。【０２６６】
続けて、ＣＰＵ１００６は、電源ボタン１０７が押されたか否かを判断する（Ｓ１１２）。電源ボタン１０７が押されていないと判断すると（Ｓ１１２でＮｏ）、ＣＰＵ１００６は電源ボタンがおされるまで待機する。電源ボタン１０７が押されていると判断すると（Ｓ１１２でＮｏ）、ＣＰＵ１００６は電源を切り、処理を終了する。【０２６７】
図２５は、実施の形態２に係る生活習慣改善支援装置１０の表示部１０３に表示される、対象者のステージの表示例を示す図である。対象者のステージは、対象者や医師などが、入力部１０２から対象者のステージを表示させる入力を行うことにより表示される。【０２６８】
表示部１０３には、「名前」と、「現在のステージ」とが表示される。本図に示す例は、名前が「○○」であり、現在のステージが「関心期」の場合である。【０２６９】
更に、ステージと指導内容／助言を関連づけておき、同時に表示してもよい。例えば、「第２の準備期」と判断した場合、減塩メニューを併せて提示するなどである。【０２７０】
以上のようなステージ判定プログラムを使用することにより、対象者の状態（ステージ）を客観データから評価することができることから、医師が正確にステージを把握することができるようになり対象者に対してより的確な治療を実施することが可能となる。また対象者自身もその内容を随時確認することができることから、対象者の生活改善に対する意欲を高める効果がある。【０２７１】
なお、本実施の形態において、目標値および目標回数の入力方法は実施の形態１と同様であり、目標値および目標回数は生活習慣改善の指導者がコンピュータ端末などを用いて記憶媒体に格納する。ただし、この入力方法については、これに限定されず、生活習慣改善支援装置１０の入力部１０２から入力しても良い。【０２７２】
以上、本発明の実施の形態１および実施の形態２に係る生活習慣改善支援装置について説明したが、本発明は、これらの実施の形態に限定されるものではない。【０２７３】
例えば、実施の形態１においては対象者がステージの判定を実行する周期および生活習慣の改善の指導を受ける周期を１ヶ月とし、また実施の形態２においては対象者が生活習慣改善の指導を受ける周期を１ヶ月としたが、これらの周期は１ヶ月に限られるものではない。この周期は、通常、生活習慣改善の指導を行う者が対象者に適切な周期を判断することにより決定される。【０２７４】
また、本発明の実施の形態では、対象者の塩分摂取に関する生活習慣を示す情報として尿中塩分濃度を用いたが、その値を用いて１日塩分摂取量に換算した値を用いてもよい。例えば、１回の排尿における尿中塩分濃度をクレアチニン濃度あるいは排尿量で補正することで１日尿中塩分排泄量を算出し使用すればよい。その場合は、図６に示される目標値、予想値、測定値についても塩分濃度ではなく１日塩分量として入力、保存される。このようにすると、対象者がより把握しやすい単位（グラム：ｇ）での標記となり、より指導の効果が大きくなる。【０２７５】
また例えば、対象者の生活習慣を示す情報は、実施の形態１および実施の形態２に例示する尿中塩分濃度測定値の他に、対象者の生活習慣を示す測定値であれば構わない。例えば、尿または血液中の物質の濃度などの生体情報や、運動習慣を示す一日の歩数などがある。【０２７６】
さらに例えば、本実施の形態において、生活習慣改善支援装置の結果、例えばステージや指導内容／助言の通知方法は、表示部に表示する方法としたが、それに限定されるものではない。例えば、音声で通知する方法や、紙などに印刷することで通知する方法であってもよい。音声で通知する方法は、目が不自由で表示が見にくい場合に有効である。紙への印刷で通知する方法は、対象者の手元に結果が残るため対象者がいつでも状態を確認することができ、対象者の生活改善をより効果的にサポートすることができる。これらの場合、生活習慣改善支援装置は、音声で通知するためのマイクおよび音声回路、または、印刷するためのプリント部を備える。【０２７７】
また、これらの通知方法、すなわち、表示、音声、印刷の内、２つ以上の機能を備える構成としてもよい。このような場合、生活習慣改善支援装置は、表示部と、マイクおよび音声回路と、プリント部とのいずれかを備える。【０２７８】
また、本実施の形態において、更に生活習慣改善支援装置が公衆回線、ＬＡＮおよびＷＡＮ等を通じて他のＰＣ、ＰＤＡ、または携帯電話と繋がる構成としてもよい。このようにすると、生活習慣改善支援装置と他のＰＣ、ＰＤＡ、または携帯電話との間で入出力データの受け渡しが可能となる。具体的には、例えば、生活習慣改善支援装置の出力データであるステージや指導内容／助言などの内容を、対象者の携帯電話等に送信する。これにより、対象者はいつでも結果のデータを確認することができ、対象者の生活改善をより効率的にサポートすることが可能となる。この場合の公衆回線、ＬＡＮおよびＷＡＮ等は、有線であっても無線であってもよい。
【産業上の利用可能性】
【０２７９】
本発明は、生活習慣の改善が必要な者を支援する装置およびその方法に適用でき、特に生活習慣病対象者への適切かつ効果的な指導または指導方法を提示する生活習慣改善支援装置およびその方法に適用できる。
【図１】
2007083610.tif 000003
【図２】
2007083610.tif 000004
【図３】
2007083610.tif 000005
【図４】
2007083610.tif 000006
【図５】
2007083610.tif 000007
【図６】
2007083610.tif 000008
【図７】
2007083610.tif 000009
【図８】
2007083610.tif 000010
【図９】
2007083610.tif 000011
【図１０】
2007083610.tif 000012
【図１１】
2007083610.tif 000013
【図１２】
2007083610.tif 000014
【図１３】
2007083610.tif 000015
【図１４】
2007083610.tif 000016
【図１５】
2007083610.tif 000017
【図１６】
2007083610.tif 000018
【図１７】
2007083610.tif 000019
【図１８】
2007083610.tif 000020
【図１９】
2007083610.tif 000021
【図２０】
2007083610.tif 000022
【図２１】
2007083610.tif 000023
【図２２】
2007083610.tif 000024
【図２３】
2007083610.tif 000025
【図２４】
2007083610.tif 000026
【図２５】
2007083610.tif 000027
【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
対象者の生活習慣改善を支援する生活習慣改善支援装置であって、
前記対象者の生活習慣を反映する値である測定値を取得する測定値取得手段と、
前記測定値取得手段により取得される前記測定値または前記測定値取得手段により取得される前記測定値のデータ数である測定回数に基づいて前記対象者の生活習慣改善への取り組みの段階を判断するステージ判断手段と
を備える生活習慣改善支援装置。
【請求項２】
前記生活習慣改善支援装置は、さらに、前記対象者が前記測定値の測定を行う回数の目標を示す目標測定回数を取得する目標測定回数取得手段を備え、
前記ステージ判断手段は、前記測定回数および前記目標測定回数に基づいて前記対象者の生活習慣改善への取り組みの段階を判断する
請求項１に記載の生活習慣改善支援装置。
【請求項３】
前記生活習慣改善支援装置は、さらに、前記対象者の前記測定値の目標を示す目標測定値を取得する目標測定値取得手段を備え、
前記ステージ判断手段は、前記測定値、前記測定回数および前記目標測定値に基づいて前記対象者の生活習慣改善への取り組みの段階を判断する
請求項１に記載の生活習慣改善支援装置。
【請求項４】
前記測定値取得手段は、一定の期間に属する測定日に対応する前記測定値を取得し、
前記ステージ判断手段は、一定の期間に属する測定日に対応する前記測定値または前記測定回数に基づいて前記対象者の前記生活習慣改善への取り組みの段階を判断する
請求項１に記載の生活習慣改善支援装置。
【請求項５】
前記測定値取得手段は、前記測定値および前記対象者が予想する測定値である予想値を取得し、
前記ステージ判断手段は、前記測定値、前記予想値および前記測定回数に基づいて前記対象者の前記生活習慣改善への取り組みの段階を判断する
請求項１に記載の生活習慣改善支援装置。
【請求項６】
前記測定値取得手段は、一定の期間に属する測定日に対応する、前記測定値および前記予想値を取得し、
前記ステージ判断手段は、一定の期間に属する測定日に対応する前記測定値、前記測定回数および前記予想値に基づいて前記対象者の前記生活習慣改善への取り組みの段階を判断する
請求項５に記載の生活習慣改善支援装置。
【請求項７】
前記生活習慣改善支援装置は、さらに、前記ステージ判断手段による判断結果から、前記生活習慣改善への取り組みの段階と前記生活習慣改善への取り組みの段階に応じた助言または指導方法とが格納されているテーブルを参照することにより、前記生活習慣改善への取り組みの段階に応じた助言または指導方法を決定する指導決定手段を備える
請求項１に記載の生活習慣改善支援装置。
【請求項８】
前記ステージ判断手段は、前記測定回数と第１の閾値とを比較し、比較結果に基づいて前記対象者の前記生活習慣改善への取り組みの段階を第１のステージと判断する第１ステージ判断部を有する
請求項１に記載の生活習慣改善支援装置。
【請求項９】
前記第１ステージ判断部は、前記測定回数と前記第１の閾値とを比較し、前記測定回数が前記第１の閾値未満である場合に、前記対象者の前記生活習慣改善への取り組みの段階を生活習慣の改善に対する関心がない段階である無関心期と判断する
請求項８に記載の生活習慣改善支援装置。
【請求項１０】
前記ステージ判断手段は、前記目標測定回数に第２の閾値を乗じることにより得られる数と前記測定回数とを比較し、比較結果に基づいて前記対象者の前記生活習慣改善への取り組みの段階を第２のステージと判断する第２ステージ判断部を有する
請求項２に記載の生活習慣改善支援装置。
【請求項１１】
前記第２ステージ判断部は、前記目標測定回数に前記第２の閾値を乗じることにより得られる数と前記測定回数とを比較し、前記目標測定回数に前記第２の閾値を乗じることにより得られる数が前記測定回数以下である場合に、前記対象者の前記生活習慣改善への取り組みの段階を生活習慣の改善に対する関心を持ち始めた段階である関心期と判断する
請求項１０に記載の生活習慣改善支援装置。
【請求項１２】
前記ステージ判断手段は、前記測定値および前記予想値の乖離度が一定の値以下であるデータ数の前記測定回数に対する割合と第３の閾値とを比較し、比較結果に基づいて前記対象者の前記生活習慣改善への取り組みの段階を第３のステージと判断する第３ステージ判断部を有する
請求項５に記載の生活習慣改善支援装置。
【請求項１３】
前記第３ステージ判断部は、前記測定値および前記予想値の乖離度が一定の値以下であるデータ数の前記測定回数に対する割合と前記第３の閾値とを比較し、前記測定値および前記予想値の乖離度が一定の値以下であるデータ数の前記測定回数に対する割合が前記第３の閾値より小さい場合に、前記対象者の前記生活習慣改善への取り組みの段階を生活習慣の改善に取り組み始めたが正しい知識が身についていない段階である第１の準備期と判断する
請求項１２に記載の生活習慣改善支援装置。
【請求項１４】
前記ステージ判断手段は、前記測定値が前記目標測定値以下であるデータ数の前記測定回数に対する割合と第４の閾値とを比較し、比較結果に基づいて前記対象者の前記生活習慣改善への取り組みの段階を第４のステージと判断する第４ステージ判断部を有する
請求項３に記載の生活習慣改善支援装置。
【請求項１５】
前記第４ステージ判断部は、前記測定値が前記目標測定値以下であるデータ数の前記測定回数に対する割合と前記第４の閾値とを比較し、前記測定値が前記目標測定値以下であるデータ数の前記測定回数に対する割合が前記第４の閾値より小さい場合に、前記対象者の前記生活習慣改善への取り組みの段階を、身に付いた正しい知識を生活習慣改善に活用できていない段階である第２の準備期と判断する
請求項１４に記載の生活習慣改善支援装置。
【請求項１６】
前記第４ステージ判断部は、前記測定値が前記目標測定値以下であるデータ数の前記測定回数に対する割合と前記第４の閾値とを比較し、前記測定値が前記目標測定値以下であるデータ数の前記測定回数に対する割合が前記第４の閾値より小さい場合に、前記対象者の前記生活習慣改善への取り組みの段階を生活習慣の改善の取り組みを始めた段階である準備期と判断する
請求項１４に記載の生活習慣改善支援装置。
【請求項１７】
前記ステージ判断手段は、前記測定値が前記目標測定値以下となるデータ数の前記測定回数に対する割合が第４の閾値以上となる期間の長さと第５の閾値とを比較し、比較結果に基づいて前記対象者の前記生活習慣改善への取り組みの段階を第５のステージまたは第６のステージと判断する第５ステージ判断部を有する
請求項３に記載の生活習慣改善支援装置。
【請求項１８】
前記第５ステージ判断部は、前記測定値が前記目標測定値以下となるデータ数の前記測定回数に対する割合が前記第４の閾値以上となる期間の長さと前記第５の閾値とを比較し、前記期間の長さが前記第５の閾値より小さい場合に、前記対象者の前記生活習慣改善への取り組みの段階を生活習慣の改善に正しい知識を活用して取り組み始めた段階である実行期と判断する
請求項１７に記載の生活習慣改善支援装置。
【請求項１９】
前記第５ステージ判断部は、前記測定値が前記目標測定値以下となるデータ数の前記測定回数に対する割合が前記第４の閾値以上となる期間の長さと前記第５の閾値とを比較し、前記期間の長さが前記第５の閾値以上の場合に、前記対象者の前記生活習慣改善への取り組みの段階を前記対象者の健康のために適切な生活習慣が定着した段階である維持期と判断する
請求項１７に記載の生活習慣改善支援装置。
【請求項２０】
前記対象者の生活習慣を反映する値は、前記対象者の尿中に含まれる塩分の濃度または量である
請求項１に記載の生活習慣改善支援装置。
【請求項２１】
前記生活習慣改善支援装置は、さらに、前記ステージ判断手段による判断結果と、前記指導決定手段により決定された助言または指導方法との少なくとも一方を表示させる第１の表示制御手段を備える
請求項７に記載の生活習慣改善支援装置。
【請求項２２】
前記生活習慣改善支援装置は、さらに、前記測定値を測定する測定手段と、
前記対象者の測定値の目標を示す目標測定値および前記対象者が前記測定値の測定を行う回数の目標を示す目標測定回数の入力を受け付ける目標受付手段と、
前記対象者が測定した日時である測定日時、前記目標受付手段により受け付けられる前記目標測定値および前記目標測定回数、並びに前記測定手段により測定される前記測定値を記憶手段に格納する格納手段とを備え、
前記測定値取得手段は、前記記憶手段から前記測定日時、前記目標測定値、前記目標測定回数および前記測定値を取得する
請求項１に記載の生活習慣改善支援装置。
【請求項２３】
前記生活習慣改善支援装置は、さらに、前記測定値を測定する測定手段と、
前記対象者の測定値の目標を示す目標測定値および前記対象者が前記測定値の測定を行う回数の目標を示す目標測定回数の入力を受け付ける目標受付手段と、
予想値の入力を受け付ける予想値受付手段と、
前記対象者が測定した日時である測定日時、前記目標受付手段により受け付けられる前記目標測定値および前記目標測定回数、前記測定手段により測定される前記測定値、並びに前記予想値受付手段により受け付けられる前記予想値を記憶手段に格納する格納手段とを備え、
前記測定値取得手段は、前記記憶手段から前記測定日時、前記目標測定値、前記目標測定回数、前記測定値および前記予想値を取得する
請求項１に記載の生活習慣改善支援装置。
【請求項２４】
前記測定値取得手段は、前記生活習慣改善支援装置の外部から取り外し可能な記憶媒体である記憶手段から前記測定値を取得する
請求項１に記載の生活習慣改善支援装置。
【請求項２５】
対象者の生活習慣改善を支援する生活習慣改善支援方法であって、
前記対象者の生活習慣を反映する値の測定値を取得する測定値取得ステップと、
前記測定値取得ステップにより取得される前記測定値または前記測定値取得ステップにより取得される前記測定値のデータ数から算出される測定回数に基づいて前記対象者の生活習慣改善への取り組みの段階を判断するステージ判断ステップとを含む生活習慣改善支援方法。
【請求項２６】
対象者の生活習慣改善を支援する生活習慣改善支援プログラムであって、
前記対象者の生活習慣を反映する値の測定値を取得する測定値取得ステップと、
前記測定値取得ステップにより取得される前記測定値または前記測定値取得ステップにより取得される前記測定値のデータ数から算出される測定回数に基づいて前記対象者の生活習慣改善への取り組みの段階を判断するステージ判断ステップとをコンピュータに実行させる生活習慣改善支援プログラム。
【手続補正２】
【補正対象書類名】明細書
【補正対象項目名】全文
【補正方法】変更
【補正の内容】
【発明の詳細な説明】
【技術分野】
【０００１】
本発明は、生活習慣の改善が必要な対象者に適した生活習慣改善支援の助言および指導方法を提供する生活習慣改善支援装置および方法に関する。
【背景技術】
【０００２】
生活習慣病の予防および治療において、対象者の現在の生活習慣から、その対象者に適した理想的な生活習慣を把握し、さらに理想的な生活習慣への改善を実施することは基本的な取組み課題である。生活習慣の例としては、食事、運動、たばこ、飲酒などの習慣などが挙げられる。
【０００３】
ここで「対象者」とは、生活習慣改善の対象者であり、生活習慣病であるまたは生活習慣病となるおそれがあるなどのために、生活習慣の改善が必要である者をいい、以下においても同様である。
【０００４】
従来、生活習慣改善の効果的な指導を行うため、行動科学の理論であるステージ理論が取り入れられている。具体的には、対象者の治療に対する状態（知識や意欲、実践度）を把握することで対象者を複数のステージに分類し、各ステージに応じた指導を実践するというような指導方法である。このような行動科学の理論は、対象者の状態に応じた指導を可能とする。
【０００５】
ステージ理論を治療に取り入れるために、まず対象者のステージを判定することが必要となる。
【０００６】
従来の対象者のステージの判定法としては、質問票の使用がある。すなわち、医療従事者が対象者に対して生活改善にする意欲の度合いを質問し、その回答により、「無関心期」・「関心期」・「準備期」・「実行期」・「維持期」という５つのステージに分類する。
【０００７】
各ステージにおける生活改善に対する状態の一例として、「無関心期」は、生活改善に対する意欲がない状態を示す。「関心期」は、生活改善に対する意欲はあるがまだうまく取り組めていない状態を示す。「準備期」は、自分なりに生活改善に取り組んでいるかあるいは取り組んだ経験がある状態を示す。「実行期」は、正しい生活改善に取り組んでいるが、まだ継続期間が６ヶ月に到達していない状態を示す。「維持期」は、その生活改善への取り組みが６ヶ月以上継続している状態を示す。
【０００８】
このような従来のステージ判定方法を禁煙に適用した例について、図１及び図２を参照して説明する。
【０００９】
図１は、従来のステージ判定方法における質問および回答の例を示す図である。本図に示す例は、「禁煙しようと思いますか？」という質問に対して、「５）いいえ、禁煙を６ヶ月以内に始めようと考えていません」、「４）いいえ、しかし６ヶ月以内に禁煙を始めようと考えています」、「３）いいえ、しかし１ヶ月以内に禁煙を始めようと考えています（過去に行ったことがあります）」、「２）はい、禁煙を６ヶ月未満続けています」、「１）はい、禁煙を６ヶ月以上続けています」の５つの回答を想定している。
【００１０】
図２は、従来のステージ判定方法における回答結果とステージとの対応を示す図である。本図は、図１に示す質問に対する各回答とステージとの対応を示す。
【００１１】
すなわち本図は、「禁煙しようと思いますか？」という質問に対して、「５）いいえ、禁煙を６ヶ月以内に始めようと考えていません」と回答した対象者のステージを「無関心期」、「４）いいえ、しかし６ヶ月以内に禁煙を始めようと考えています」と回答した対象者のステージを「関心期」、「３）いいえ、しかし１ヶ月以内に禁煙を始めようと考えています（過去に行ったことがあります）」と回答した対象者のステージを「準備期」、「２）はい、禁煙を６ヶ月未満続けています」と回答した対象者のステージを「実行期」、「１）はい、禁煙を６ヶ月以上続けています」と回答した対象者のステージを「維持期」としている例を示す（例えば、非特許文献１参照）。
【００１２】
また、従来、ステージ理論を用いた生活習慣改善支援装置が提案されている（例えば、特許文献１、特許文献２参照）。
【００１３】
特許文献１記載の装置では、生活習慣改善に対する意欲を調べるための設問が画面上に表示され、その設問に対して利用者が回答を入力する。その回答に基づいて、利用者の取組み意欲を段階的に表したステージが割り付けられる構成となっている。
【００１４】
また、特許文献２記載の装置では、保健指導対象者の生活習慣改善に対する意識レベルを確認するための質問が表示された画面を見ながら、保健指導者が保健指導対象者に対する面談を行い、保健指導対象者の回答を入力する。その回答に基づいて、保健指導対象者の意識レベルがどのステージに相当するのかが判定される。
【非特許文献１】畑栄一、土井由利子編、「行動科学−健康づくりのための理論と応用」、南江堂、２００３年１０月２５日、ｐ．７３−７５
【特許文献１】特開２００１−２２８３７号公報
【特許文献２】特開２００２−３５８３７２号公報
【発明の開示】
【発明が解決しようとする課題】
【００１５】
しかしながら、対象者のステージを判定するために、従来の技術は対象者への問診により対象者の生活習慣を把握する。そのため、その対象者のステージの判定を必ずしも正確に行うことができないという問題がある。
【００１６】
例えば、減塩の指導を行う場合、対象者の減塩の状態を的確に把握するためには、その対象者の食生活について詳細な聞き取り調査を行う必要がある。
【００１７】
聞き取りは対象者の記憶または記録している食事内容に基づくため、聞き取り調査が正確でない場合がある。対象者が回答する食事内容が不正確であれば、その対象者の状態を的確に把握することは困難であり、その結果、その対象者のステージを正確に判定できない。
【００１８】
また、このような目的が明確な質問の場合、その質問の意図が対象者に伝わるため、対象者が自身の状態と一致しない回答をする可能性がある。対象者が自身の状態と一致しない回答をすれば、その対象者の状態を的確に把握することはできず、その結果、その対象者のステージを正確に判定できない。その結果、対象者のステージを正確に判定できない場合があった。
【００１９】
さらに、このような問診は手間であり、対象者が食事内容の記録を失念するなどのミスを誘発し、対象者の不正確な回答の原因となる。
【００２０】
そこで本発明は、上記の問題点に鑑み、対象者の生活習慣改善への取り組みの段階を反映するステージをより正確に判定することを可能とする生活習慣改善支援装置およびその方法を提供することを目的とする。
【課題を解決するための手段】
【００２１】
上記目的を達成するために、本発明に係る生活習慣改善支援装置は、対象者の生活習慣改善を支援する生活習慣改善支援装置であって、前記対象者の生活習慣を反映する値である測定値を取得する測定値取得手段と、前記測定値取得手段により取得される前記測定値または前記測定値取得手段により取得される前記測定値のデータ数である測定回数に基づいて前記対象者の生活習慣改善への取り組みの段階を判断するステージ判断手段とを備える。
【発明の効果】
【００２２】
本発明に係る生活習慣改善支援装置およびその方法によれば、対象者のステージを正確に判定することができ、対象者に対して、より適切な助言・指導を行うことが可能となる。
【発明を実施するための最良の形態】
【００２３】
本発明に係る生活改善支援装置は、対象者の生活習慣改善を支援する生活習慣改善支援装置であって、前記対象者の生活習慣を反映する値である測定値を取得する測定値取得手段と、前記測定値取得手段により取得される前記測定値または前記測定値取得手段により取得される前記測定値のデータ数である測定回数に基づいて前記対象者の生活習慣改善への取り組みの段階を判断するステージ判断手段とを備える。
【００２４】
このように、測定手段により測定された測定値という客観的なデータから対象者の生活習慣改善への取り組み段階を判断することにより、対象者のステージを正確に判定することができ、対象者に対して、より適切な助言・指導を行うことが可能となる。
【００２５】
好ましくは、前記生活習慣改善支援装置は、さらに、前記対象者が測定値の測定を行う回数の目標を示す目標測定回数を取得する目標測定回数取得手段を備え、前記ステージ判断手段は、前記測定回数および前記目標測定回数に基づいて前記対象者の生活習慣改善への取り組みの段階を判断する。
【００２６】
また、前記生活習慣改善支援装置は、さらに、前記対象者の測定値の目標を示す目標測定値を取得する目標測定値取得手段を備え、前記ステージ判断手段は、前記測定値、前記測定回数および前記目標測定値に基づいて前記対象者の生活習慣改善への取り組みの段階を判断する。
【００２７】
このように、対象者のステージ判断に目標測定回数、目標測定値を用いることにより、より詳細に対象者のステージを分類することができるため、より的確なステージ判断が可能となる。
【００２８】
さらに好ましくは、前記測定値取得手段は、一定の期間に属する測定日に対応する前記測定値を取得し、前記ステージ判断手段は、一定の期間に属する測定日に対応する前記測定値または前記測定回数に基づいて前記対象者の前記生活習慣改善への取り組みの段階を判断する。
【００２９】
このように、期間ごとに適切に選択したデータに基づいて対象者の生活習慣改善への取り組みの段階を判断するため、より適切なステージ判断を行うことが可能となる。
【００３０】
さらに好ましくは、前記測定値取得手段は、前記測定値および前記対象者が予想する測定値である予想値を取得し、前記ステージ判断手段は、前記測定値、前記予想値および前記測定回数に基づいて前記対象者の前記生活習慣改善への取り組みの段階を判断する。
【００３１】
また、前記測定値取得手段は、一定の期間に属する測定日に対応する、前記測定値および前記予想値を取得し、前記ステージ判断手段は、一定の期間に属する測定日に対応する前記測定値、前記測定回数および前記予想値に基づいて前記対象者の前記生活習慣改善への取り組みの段階を判断する。
【００３２】
対象者が生活習慣の改善に関する正しい知識を有していれば、予想値と測定値は近い値となる。そのため、対象者が入力する予想値と測定値とを用いてステージ判断を行うことにより、対象者が生活習慣の改善に関する正しい知識を身につけているか否かをも考慮して、対象者の生活習慣改善への取り組みの段階を判断することが可能となる。
【００３３】
さらに好ましくは、前記生活習慣改善支援装置は、さらに、前記ステージ判断手段による判断結果から、前記生活習慣改善への取り組みの段階と前記生活習慣改善への取り組みの段階に応じた助言または指導方法とが格納されているテーブルを参照することにより、前記生活習慣改善への取り組みの段階に応じた助言または指導方法を決定する指導決定手段を備える。
【００３４】
これにより、生活習慣改善支援装置により対象者の生活習慣改善の取り組み段階を判定した対象者または対象者に対して生活習慣の改善の指導をする者は、生活習慣改善支援装置により提示される、正確なステージ判定に基づく助言または指導方法を参考にすることができ、対象者は適切な助言を得て生活習慣の改善に取り組むことができるため、効果的な生活習慣改善への取り組みが可能となる。
【００３５】
さらに好ましくは、前記ステージ判断手段は、前記測定回数と第１の閾値とを比較し、比較結果に基づいて前記対象者の前記生活習慣改善への取り組みの段階を第１のステージと判断する第１ステージ判断部を有する。
【００３６】
また、前記第１ステージ判断部は、前記測定回数と前記第１の閾値とを比較し、前記測定回数が前記第１の閾値未満である場合に、前記対象者の前記生活習慣改善への取り組みの段階を生活習慣の改善に対する関心がない段階である無関心期と判断する。
【００３７】
このように、測定値の全データ数を用いて対象者の生活習慣改善への取り組みの段階を判断することで、客観的なデータに基づいて対象者が生活習慣改善の第１ステージにあるか否か、例えば、対象者の生活習慣の改善に対する関心があるか否かを判断することが可能となる。
【００３８】
さらに好ましくは、前記ステージ判断手段は、前記目標測定回数に第２の閾値を乗じることにより得られる数と前記測定回数とを比較し、比較結果に基づいて前記対象者の前記生活習慣改善への取り組みの段階を第２のステージと判断する第２ステージ判断部を有する。
【００３９】
また、前記第２ステージ判断部は、前記目標測定回数に前記第２の閾値を乗じることにより得られる数と前記測定回数とを比較し、前記目標測定回数に前記第２の閾値を乗じることにより得られる数が前記測定回数以下である場合に、前記対象者の前記生活習慣改善への取り組みの段階を生活習慣の改善に対する関心をもち始めた段階である関心期と判断する。
【００４０】
このように、測定値の全データ数を用いて対象者の生活習慣改善への取り組みの段階を判断することで、客観的なデータに基づいて対象者が生活習慣改善の第２ステージにあるか否か、例えば、対象者の生活習慣の改善に対する関心をもち始めたか否かを判断することが可能となる。
【００４１】
さらに好ましくは、前記ステージ判断手段は、前記測定値および前記予想値の乖離度が一定の値以下であるデータ数の前記測定回数に対する割合と第３の閾値とを比較し、比較結果に基づいて前記対象者の前記生活習慣改善への取り組みの段階を第３のステージと判断する第３ステージ判断部を有する。
【００４２】
また、前記第３ステージ判断部は、前記測定値および前記予想値の乖離度が一定の値以下であるデータ数の前記測定回数に対する割合と前記第３の閾値とを比較し、前記測定値および前記予想値の乖離度が一定の値以下であるデータ数の前記測定回数に対する割合が前記第３の閾値より小さい場合に、前記対象者の前記生活習慣改善への取り組みの段階を生活習慣の改善に取り組み始めたが正しい知識が身についていない段階である第１の準備期と判断する。
【００４３】
このように、測定値と予想値とを用いて対象者の生活習慣改善への取り組みの段階を判断することで、客観的なデータに基づいて対象者が生活習慣改善の第３ステージにあるか否か、例えば、生活習慣に関する正しい知識が身についているか否かを判断することが可能となる。
【００４４】
さらに好ましくは、前記ステージ判断手段は、前記測定値が前記目標測定値以下であるデータ数および前記測定回数の割合と第４の閾値とを比較し、比較結果に基づいて前記対象者の前記生活習慣改善への取り組みの段階を第４のステージと判断する第４ステージ判断部を有する。
【００４５】
また、前記第４ステージ判断部は、前記測定値が前記目標測定値以下であるデータ数の前記測定回数に対する割合と前記第４の閾値とを比較し、前記測定値が前記目標測定値以下であるデータ数の前記測定回数に対する割合が前記第４の閾値より小さい場合に、前記対象者の前記生活習慣改善への取り組みの段階を、身に付いた正しい知識を生活習慣改善に活用できていない段階である第２の準備期と判断する。
【００４６】
さらに、前記第４ステージ判断部は、前記測定値が前記目標測定値以下であるデータ数の前記測定回数に対する割合と前記第４の閾値とを比較し、前記測定値が前記目標測定値以下であるデータ数の前記測定回数に対する割合が前記第４の閾値より小さい場合に、前記対象者の前記生活習慣改善への取り組みの段階を、生活習慣の改善の取り組みを始めた段階である準備期と判断する。
【００４７】
このように、測定値のデータ数と目標測定回数とを用いて対象者の生活習慣改善への取り組みの段階を判断することで、客観的なデータに基づいて対象者が生活習慣改善の第４ステージにあるか否か、例えば、身に付いた正しい知識を生活習慣改善に活用できているか否か、または生活習慣の改善の取り組みを始めたか否かを判断することが可能となる。
【００４８】
さらに好ましくは、前記ステージ判断手段は、前記測定値が前記目標測定値以下となるデータ数の前記測定回数に対する割合が第４の閾値以上となる期間の長さと第５の閾値とを比較し、比較結果に基づいて前記対象者の前記生活習慣改善への取り組みの段階を第５のステージまたは第６のステージと判断する第５ステージ判断部を有する。
【００４９】
また、前記第５ステージ判断部は、前記測定値が前記目標測定値以下となるデータ数の前記測定回数に対する割合が前記第４の閾値以上となる期間の長さと前記第５の閾値とを比較し、前記期間の長さが前記第５の閾値より小さい場合に、前記対象者の前記生活習慣改善への取り組みの段階を生活習慣の改善に正しい知識を活用して取り組み始めた段階である実行期と判断する。
【００５０】
さらに、前記第５ステージ判断部は、前記測定値が前記目標測定値以下となるデータ数の前記測定回数に対する割合が前記第４の閾値以上となる期間の長さと前記第５の閾値とを比較し、前記期間の長さが前記第５の閾値以上の場合に、前記対象者の前記生活習慣改善への取り組みの段階を前記対象者の健康のために適切な生活習慣が定着した段階である維持期と判断する。
【００５１】
このように、測定値および予想値を用いて対象者の生活習慣改善への取り組みの段階を判断することで、客観的なデータに基づいて対象者が生活習慣改善の第５ステージと第６ステージとのいずれであるかを判断することが可能となる。第５ステージは、例えば、身についた正しい知識を生活習慣改善に活用して取り組み始めた段階であり、第６ステージは、例えば、前記対象者の健康のために適切な生活習慣が定着した段階である。
【００５２】
さらに好ましくは、前記対象者の生活習慣を反映する値は、前記対象者の尿中に含まれる塩分の濃度または量である。
【００５３】
尿中塩分濃度の測定値から対象者の塩分摂取量が算出できるため、尿中塩分濃度は対象者の生活習慣を反映する値の１つである。そのため、尿中塩分濃度の測定値から対象者の塩分摂取に関する生活習慣の改善を支援することが可能になる。
【００５４】
さらに好ましくは、前記生活習慣改善支援装置は、さらに、前記ステージ判断手段による判断結果と、前記指導決定手段により決定された助言または指導方法との少なくとも一方を表示させる第１の表示制御手段を備える。
【００５５】
また、前記生活習慣改善支援装置は、さらに、一定の測定回数分の前記測定値と、前記予想値と、前記目標測定回数と、前記目標測定値とを表示させる第２の表示制御手段を備える。
【００５６】
このように第１表示制御手段を備えることにより、判断結果や助言・指導方法、各値を表示することができ、また第２表示制御手段を備えることにより、対象者は表示手段により表示された内容から自己の取り組み状況を理解することで、意欲的な取り組みを促すことが可能となる。また、対象者に生活習慣改善の指導を行う者は的確な判断結果から生活習慣改善の指導を行うことが可能となる。
【００５７】
さらに好ましくは、前記生活習慣改善支援装置は、さらに、前記測定値を測定する測定手段と、前記対象者の測定値の目標を示す目標測定値および前記対象者が測定値の測定を行う回数の目標を示す目標測定回数の入力を受け付ける目標受付手段と、前記対象者が測定した日時である測定日時、前記目標受付手段により受け付けられる前記目標測定値および前記目標測定回数、並びに前記測定手段により測定される前記測定値を記憶手段に格納する格納手段とを備え、前記測定値取得手段は、前記記憶手段から前記測定日時、前記目標測定値、前記目標測定回数および前記測定値を取得する。
【００５８】
また、前記生活習慣改善支援装置は、さらに、前記測定値を測定する測定手段と、前記対象者の測定値の目標を示す目標測定値および前記対象者が測定値の測定を行う回数の目標を示す目標測定回数の入力を受け付ける目標受付手段と、予想値の入力を受け付ける予想値受付手段と、前記対象者が測定した日時である測定日時、前記目標受付手段により受け付けられる前記目標測定値および前記目標測定回数、前記測定手段により測定される前記測定値、並びに前記予想値受付手段により受け付けられる前記予想値を記憶手段に格納する格納手段とを備え、前記測定値取得手段は、前記記憶手段から前記測定日時、前記目標測定値、前記目標測定回数、前記測定値および前記予想値を取得する。
【００５９】
このように、生活習慣改善支援装置が、測定器および入力機器を備えることにより、対象者は自身でステージ判断を行うことができるため対象者が生活習慣改善を意識する機会を増やすことができ、生活習慣改善への意欲を向上させることが可能となる。
【００６０】
さらに好ましくは、前記測定値取得手段は、前記生活習慣改善支援装置の外部から取り外し可能な記憶媒体である記憶手段から前記測定値を取得する。
【００６１】
これにより、クライアントは前記測定装置で記録したデータを容易に持ち運ぶことが可能となり利便性が向上する。
【００６２】
なお、本発明は、このような手段を備える生活習慣改善支援装置として実現することができるだけでなく、生活習慣改善支援装置に含まれる手段をステップとする生活習慣改善支援方法として実現したり、生活習慣改善支援装置に含まれる手段をステップとしてコンピュータに実行させるプログラムとして実現することもできる。そして、そのようなプログラムは、ＣＤ−ＲＯＭ（Ｃｏｍｐａｃｔ  Ｄｉｓｃ−Ｒｅａｄ  Ｏｎｌｙ  Ｍｅｍｏｒｙ）等の記録媒体やインターネット等の通信ネットワークを介して流通させることができる。また、本発明は、このような手段を備える生活習慣改善支援システムとして実現することもできる。
【００６３】
以下、本発明に係る実施の形態について、図面を参照してさらに詳しく説明する。
【００６４】
（実施の形態１）
まず、実施の形態１に係る生活習慣改善支援システムの構成について図３及び図４を用いて説明する。
【００６５】
図３は、実施の形態１に係る生活習慣改善支援システムの構成を示す概略図である。実施の形態１に係る生活習慣改善支援システムは、尿中成分測定器と生活習慣改善支援装置とが記憶媒体を介して情報のやり取りを行うことにより、生活習慣改善支援装置が、尿中成分測定器を用いて測定した対象者の尿中塩分濃度の測定値から当該対象者の生活習慣改善への取り組みのステージを判定するためのシステムであり、尿中成分測定器１と、生活習慣改善支援装置４とから構成される。
【００６６】
ここで、「ステージ」は、行動科学のステージ理論に基づくものであり、本実施の形態に係るステージは、「無関心期」・「関心期」・「準備期」・「実行期」・「維持期」の５つのステージの分類を基本として、「準備期」をさらに、「第１の準備期」および「第２の準備期」の２つのステージに分類する。
【００６７】
実施の形態１に係る尿中成分測定器１は、尿中の塩分濃度を測定するための機器であり、電源ボタン１０１と、入力部１０２と、表示部１０３と、記憶媒体挿入口１０４と、測定チップ接続口１０５とを備える。
【００６８】
電源ボタン１０１は、対象者が押下することにより尿中成分測定器１の作動の入および切の切り換えを行うボタンである。
【００６９】
入力部１０２は、ユーザが情報の入力を行う際に利用する操作処理部であり、例えば、テンキーボタン、キーボード、タッチパネル、音声入力器などである。
【００７０】
表示部１０３は、尿中成分測定器１により測定された測定値や入力部１０２を介して入力された情報を表示する部位であり、例えば、ＬＣＤ（Ｌｉｑｕｉｄ  Ｃｒｙｓｔａｌ  Ｄｉｓｐｌａｙ）などである。
【００７１】
記憶媒体挿入口１０４は、記憶媒体２を挿入する部位である。記憶媒体２は、対象者が計測した尿中の塩分量などの生活習慣の改善に関する情報が格納される記憶媒体であり、例えば、メモリカードなどである。
【００７２】
測定チップ接続口１０５は、一対の電極３０１が配置された測定チップ３を接続するための開口部である。対象者は、尿を付着させた測定チップ３を測定チップ接続口１０５に接続することにより、尿中の塩分量を計測する。
【００７３】
ここで、測定チップ３は、樹脂製である絶縁性の基板上に一対の電極３０１が配置されたチップである。測定チップ３は使い捨てにしてもよく、使用後に洗浄することにより繰り返して使用してもよい。
【００７４】
また、実施の形態１に係る生活習慣改善支援装置４は、入力部４０１と、記憶媒体挿入口４０２と、表示部４０３とを備える。生活習慣改善支援装置４は、記憶媒体挿入口４０２に挿入された記憶媒体２から測定値を読み出し、その測定値に基づいて対象者のステージ判定を行う装置であり、例えば、ＰＣ（Ｐｅｒｓｏｎａｌ  Ｃｏｍｐｕｔｅｒ）である。
【００７５】
入力部４０１は、利用者による生活習慣改善支援装置４への入力を受け付ける部位であり、例えば、キーボードやマウスなどである。
【００７６】
記憶媒体挿入口４０２は、記憶媒体２を挿入する部位であり、尿中成分測定器１が備える記憶媒体挿入口１０４と同一の機能を有する。
【００７７】
表示部４０３は、入力部４０１が受け付けた利用者の入力、記憶媒体２から読み出した内容、生活習慣改善支援装置４における処理の結果などを表示する部位であり、例えば、モニタなどである。
【００７８】
図４は、実施の形態１に係る生活習慣改善支援システムにおける尿中成分測定器１および生活習慣改善支援装置４の機能的構成を示すブロック図である。
【００７９】
尿中成分測定器１は、電源ボタン１０１と、入力部１０２と、表示部１０３と、ＣＰＵ（Ｃｅｎｔｒａｌ  Ｐｒｏｃｅｓｓｉｎｇ  Ｕｎｉｔ）１０６と、電源１０７と、タイマ１０８と、装着検知部１０９と、測定チップ用端子１１０と、電圧印加部１１１と、電気信号測定部１１２と、記憶媒体用端子１１３とを備える。電源ボタン１０１と、入力部１０２と、表示部１０３とは、図３を参照して説明したため、ここではその説明を省略する。
【００８０】
ＣＰＵ１０６は、各種の処理を実行する処理部である。ＣＰＵ１０６が実行する処理の詳細は、尿中成分測定器１が備える関連部位において説明し、また図９を参照して説明する。
【００８１】
電源１０７は、電源ボタン１０１が押下されることにより電源が入になると、ＣＰＵ１０６に電力を供給する部位である。
【００８２】
タイマ１０８は、時刻を計測する部位であり、例えば、時計である。タイマ１０８は、ＣＰＵ１０６から出力される時刻の取得要求を受け付けると、そのときの時刻をＣＰＵ１０６に出力する。
【００８３】
装着検知部１０９は、測定チップ接続口１０５に測定チップ３が接続されたことを検知する部位である。装着検知部１０９は、測定チップ接続口１０５に測定チップ３が接続されたことを検知すると、それをＣＰＵ１０６に通知する。
【００８４】
測定チップ用端子１１０は、測定チップ３の一対の電極３０１と電気的に接続する端子であり、例えば、金属端子である。
【００８５】
電圧印加部１１１は、ＣＰＵ１０６の制御に従って、測定チップ用端子１１０を介して測定チップ３の一対の電極３０１に電圧を印加する部位である。
【００８６】
電気信号測定部１１２は、測定チップ３の一対の電極３０１間に電圧印加部１１１が測定チップ用端子１１０を介して電圧を印加したときに得られる電気信号を測定する。ここで「電気信号」は、例えば、抵抗値または導電率である。すなわち、電気信号測定部１１２は、電圧印加部１１１が電圧を印加したときの、測定チップ３の一対の電極３０１間の抵抗値または導電率を測定する。
【００８７】
尿中の塩分濃度は、対象者の尿を付着させた測定チップ３の一対の電極３０１に、測定チップ用端子１１０から電圧印加部１１１が印加する電圧に応じて、電気信号測定部１１２により測定される抵抗や導電率を塩分濃度に換算することにより測定される。
【００８８】
記憶媒体用端子１１３は、記憶媒体２と尿中成分測定器１とを電気的に接続する部位であり、例えば、記憶媒体２の１例であるメモリカードのリーダである。
【００８９】
このような機能を備える尿中成分測定器１を用いることにより、対象者自身が容易に尿中の塩分濃度を測定することができる。以下、尿中成分測定器１の操作は対象者が行うこととして説明するが、それ以外の者が操作をしても構わないのは勿論である。
【００９０】
次に、生活習慣改善支援装置４は、入力部４０１と、記憶媒体挿入口４０２と、表示部４０３と、ＣＰＵ４０４と、電源４０５と、電源ボタン４０６と、タイマ４０７と、判定プログラム記憶部４０８と、指導内容記憶部４０９と、記憶媒体用端子４１０とを備える。入力部４０１と、記憶媒体挿入口４０２と、表示部４０３とは、図３において説明したため、ここでは説明を省略する。
【００９１】
ＣＰＵ４０４は、各種の処理を実行する処理部である。ＣＰＵ４０４が備える機能および実行する処理の詳細は、生活習慣改善支援装置４が備える他の関連部位において説明し、また図７、図１３および図１４を参照して説明する。
【００９２】
電源４０５は、ＣＰＵ４０４に電力を供給する部位であり、電源ボタン４０６は、利用者が押下することにより生活習慣改善支援装置４の作動の入および切の切り換えを行うボタンである。電源４０５は、電源ボタン４０６が押下されることにより電源が入になると、ＣＰＵ４０４に電力を供給する。
【００９３】
タイマ４０７は、時刻を計測する部位であり、例えば、時計である。タイマ４０７は、ＣＰＵ４０４から出力される時刻の取得要求を受け付けると、そのときの時刻をＣＰＵ４０４に出力する。
【００９４】
判定プログラム記憶部４０８は、ステージ判定を行うプログラムを記憶しており、例えば、ＨＤＤ（Ｈａｒｄ  Ｄｉｓｋ  Ｄｒｉｖｅ）である。判定プログラム記憶部４０８が記憶しているプログラムは、ＣＰＵ４０４により読み出され、実行される。
【００９５】
指導内容記憶部４０９は、ステージと指導内容とを対応付けたテーブルであるステージ指導内容テーブルを記憶しており、例えば、ＨＤＤ（Ｈａｒｄ  Ｄｉｓｋ  Ｄｒｉｖｅ）である。
【００９６】
ここで、「指導内容」とは、各ステージの対象者に対する指導に関する事柄であり、例えば、各ステージの対象者に適した具体的な助言や指導、または助言や指導の方針などである。医師等の専門家が生活習慣改善支援装置４を使用する場合、指導内容記憶部４０９に各ステージの助言や指導の方針を格納しておくとよい。生活習慣改善支援装置４により提示される助言や指導の方針を参照することで、専門家は対象者に適した具体的な助言・指導を行えるであろう。
【００９７】
これに対して、対象者自身が生活習慣改善支援装置４を使用する場合、通常の対象者は助言・指導の方針を提示されるだけでは、それを具体的な自身の課題に変換することは困難である。このような場合、指導内容記憶部４０９に各ステージの具体的な助言・指導が格納されている方が適切である。
【００９８】
図５は、実施の形態１に係る指導内容記憶部４０９が記憶しているステージ指導内容テーブルの例を示す図である。本図に例示するステージ指導内容テーブルは、「ステージ」と「指導内容」との２つの項目を含む。本図に示す「指導内容」は、具体的な助言・指導ではなく、助言・指導の方針である例である。
【００９９】
本図に示す例は、「ステージ」を「無関心期」・「関心期」・「第１の準備期」・「第２の準備期」・「実行期」・「維持期」という６つのステージに分類し、各ステージに対応する指導方針が「指導内容」に格納されているテーブルである。また、本図に示す例は、「実行期」および「維持期」の指導方針が同一の例である。
【０１００】
例えば、「ステージ」が「無関心期」に対応する「指導内容」は、「関心を持たせるために、病気や治療に関する知識を提供しましょう。」である。
【０１０１】
ここから、図４の説明に戻る。
【０１０２】
記憶媒体用端子４１０は、尿中成分測定器１が備える記憶媒体用端子１１３と同様に、記憶媒体２と生活習慣改善支援装置４とを電気的に接続する部位であり、例えば、記憶媒体２の１例であるメモリカードのリーダである。
【０１０３】
以上、実施の形態１に係る尿中成分測定器１および生活習慣改善支援装置４が上記の機能を備えることにより、対象者は自身で尿中の塩分濃度を測定することができるため、生活習慣の改善を意識することが可能となる。また、測定日などは記憶媒体２に格納されるため、問診とは異なり、蓄積された客観的なデータから対象者のステージを判定することが可能となる。
【０１０４】
次に、記憶媒体２が記憶している内容について、図６を参照して説明する。
【０１０５】
図６は、実施の形態１に係る記憶媒体２が記憶している生活習慣の改善に関する情報の例を示す図である。本図に例示する生活の改善に関する情報は、「データ番号」と、「入力日時」と、「目標測定値（ｇ／ｌ）」と、「目標測定回数（回）」と、「測定日時」と、「尿中塩分濃度予想値（ｇ／ｌ）」と、「尿中塩分濃度測定値（ｇ／ｌ）」と、「判定日時」と、「ステージ」と、「実行期・維持期継続期間（ヶ月）」とから構成される。
【０１０６】
「データ番号」に格納される情報は、記憶媒体２が記憶している生活習慣の改善に関する情報の固有の番号を示す。この情報は、ＣＰＵ１０６または４０４により自動的に採番される。
【０１０７】
「入力日時」に格納される情報は、「目標測定値（ｇ／ｌ）」および「目標測定回数（回）」を入力した日時を示す。「入力日時」に格納される情報は、「目標測定値（ｇ／ｌ）」および「目標測定回数（回）」が記憶媒体２に格納される際にＣＰＵ４０４によりタイマ４０７から取得され、「目標測定値（ｇ／ｌ）」および「目標測定回数（回）」とともにＣＰＵ４０４により格納される。
【０１０８】
「目標測定値（ｇ／ｌ）」に格納される情報は、対象者の担当医など、生活習慣の改善を指導する者が設定する対象者の摂取塩分量から算出される尿中塩分濃度の測定値の目標を示す。尿中の塩分濃度は、塩分の摂取量に従って増減する。そのため、対象者は塩分摂取量を適切にコントロールすることで、尿中の塩分濃度の測定値を目標測定値に近づけることができる。「目標測定値（ｇ／ｌ）」に格納される情報は、生活習慣改善支援装置４により格納される。
【０１０９】
「目標測定回数（回）」に格納される情報は、対象者が行う尿中塩分濃度の測定回数の目標を示し、「目標測定値（ｇ／ｌ）」に格納される情報と同様に生活習慣の改善を指導する者により設定される。「目標測定回数（回）」に格納される情報は、生活習慣改善支援装置４により格納される。
【０１１０】
「測定日時」に格納される情報は、尿中塩分濃度測定値を測定した日時を示す。「測定日時」に格納される情報は、「尿中塩分濃度予想値（ｇ／ｌ）」および「尿中塩分濃度測定値（ｇ／ｌ）」が記憶媒体２に格納される際にＣＰＵ１０６によりタイマ１０８から取得され、「尿中塩分濃度予想値（ｇ／ｌ）」および「尿中塩分濃度測定値（ｇ／ｌ）」とともにＣＰＵ１０６により格納される。
【０１１１】
「尿中塩分濃度予想値（ｇ／ｌ）」に格納される情報は、対象者が自身の食事内容から予想される尿中の塩分濃度を示し、対象者が尿中の塩分濃度の測定時に入力部１０２から入力する予想値である。「尿中塩分濃度予想値（ｇ／ｌ）」に格納される情報は、入力部１０２を介してＣＰＵ１０６により取得され、格納される。
【０１１２】
尿中の塩分濃度は、食事で摂取した塩分量から算出できる。そのため、食生活に関する正しい知識を身につけた対象者は、食事内容から測定値を予想することができる。
【０１１３】
「尿中塩分濃度（ｇ／ｌ）」に格納される情報は、尿中成分測定器１により測定された対象者の尿中塩分濃度の測定値を示し、電気信号測定部１１２から入力される電気信号が尿中の塩分濃度にＣＰＵ１０６により換算され、格納される。
【０１１４】
「判定日時」に格納される情報は、対象者のステージを判定した日時を示す。「判定日時」に格納される情報は、「ステージ」および「実行期・維持期継続期間（ヶ月）」が記憶媒体に格納される際にＣＰＵ４０４によりタイマ４０７から取得され、「ステージ」および「実行期・維持期継続期間（ヶ月）」とともにＣＰＵ４０４により格納される。
【０１１５】
「ステージ」に格納される情報は、「目標測定値（ｇ／ｌ）」、「目標測定回数（回）」、「尿中塩分濃度予想値（ｇ／ｌ）」、「尿中塩分濃度（ｇ／ｌ）」に格納されている情報などを用いて、生活習慣改善支援装置４が判定する結果であり、対象者の生活習慣改善への取り組みの状態を示す。判定手順の詳細については、図１８を参照して後述する。
【０１１６】
「実行期・維持期継続期間（ヶ月）」に格納される情報は、対象者の「ステージ」が「実行期」または「維持期」と判定された継続期間を示す。「実行期・維持期継続期間（ヶ月）」に格納される情報の具体的な決定手順については、図１８を参照して後述する。
【０１１７】
以上の項目のうち、「目標測定値（ｇ／ｌ）」および「目標測定回数（回）」に格納される情報は、対象者の生活習慣改善を指導する者が生活習慣改善支援装置４の入力部４０１から入力する情報である。これらは、対象者が本実施の形態に係る健康管理システムを最初に使用したとき、または目標の内容が変更されたときに、入力され、記憶媒体２に格納される。
【０１１８】
これらの情報の例は、図６に例示する「データ番号」が「１」により示される情報である。「データ番号」が「１」により示される生活習慣の改善に関する情報は、「目標測定値（ｇ／ｌ）」は「３」であり、「目標測定回数（回）」は「３０」である。また、これらの情報が格納された「入力日時」は、「２００４年９月１日１０時００分」である。
【０１１９】
また、「測定日時」、「尿中塩分濃度予想値（ｇ／ｌ）」および「尿中塩分濃度測定値（ｇ／ｌ）」に格納される情報は、対象者の測定時に格納される情報である。
【０１２０】
これらの情報の例は、図６に例示する「データ番号」が「２」から「９」までに示される情報である。例えば、「データ番号」が「２」により示される情報は、「測定日時」が「２００４年９月１０日８時３０分」であり、その測定の際の「尿中塩分濃度予想値（ｇ／ｌ）」が「６」であり、「尿中塩分濃度（ｇ／ｌ）」が「８」であることを示す。
【０１２１】
「判定日時」、「ステージ」および「実行期・維持期継続期間（ヶ月）」に格納される情報は、生活習慣改善支援装置４におけるステージ判定時に格納される情報である。
【０１２２】
これらの情報の例は、図６に例示する「データ番号」が「１０」により示される情報である。「データ番号」が「１０」により示される生活習慣の改善に関する情報は、「判定日時」が「２００４年１０月１日１０時００分」であり、その際に判定された「ステージ」が「関心期」であり、「実行期・維持期継続期間（ヶ月）」が「０」であることを示す。
【０１２３】
ところで、医療情報を取り扱う際には、その情報と対象者との関連付けが重要であるが、この測定装置では、対象者個人がそれぞれ固有の記憶媒体を使用することで、その情報と対象者との関連付けを明確化している。もちろん、この方法に限定されることはなく、対象者毎に固有のパスワードを設定し、医療情報と関連付ける方法を用いるなどの方法を用いてもよい。
【０１２４】
図７は、実施の形態１に係る判定プログラム記憶部４０８が記憶している第１のプログラムを実行するＣＰＵ４０４が発揮する機能の構成を示すブロック図である。判定プログラム記憶部４０８が記憶している第１のプログラムを実行するＣＰＵ４０４（以下、「第１プログラム実行ＣＰＵ４０４」という。）は、記憶媒体２に蓄積されている対象者の尿中塩分濃度の測定値から対象者が生活改善に取り組む段階を判断し、その判断に基づいた指導方針を提示する。
【０１２５】
第１プログラム実行ＣＰＵ４０４は、測定値取得部５０１と、閾値記憶部５０２と、第１ステージ判断部５０３と、第２ステージ判断部５０４と、第３ステージ判断部５０５と、第４ステージ判断部５０６と、第５ステージ判断部５０７と、指導決定部５０９と、表示制御部５１０とを備える。
【０１２６】
また、生活習慣改善支援装置４は、ＣＰＵ４０４の外部に入力部４０１と、表示部４０３と、電源４０５と、電源ボタン４０６と、タイマ４０７と、第１のプログラムを記憶している判定プログラム記憶部４０８と、指導内容記憶部４０９と、記憶媒体２との接続部である記憶媒体用端子４１０とを備え、これらと情報を授受する。ＣＰＵ４０４の外部に備える部位について図４を参照して説明したため、ここでの説明は省略する。
【０１２７】
測定値取得部５０１は、対象者の生活習慣を反映する値である測定値を取得する測定値取得手段の一例である。また、測定値取得部５０１は、一定の期間に属する測定日に対応する測定値を取得する測定値取得手段の一例である。さらに、測定値取得部５０１は、測定値および対象者が予想する測定値である予想値を取得する手段の一例である。さらに、測定値取得部５０１は、一定の期間に属する測定日に対応する、測定値および予想値を取得する手段の一例である。
【０１２８】
さらに、測定値取得部５０１は、前記対象者が測定を行う回数の目標を示す目標測定回数を取得する目標測定回数取得手段および前記対象者の測定値の目標を示す目標測定値を取得する目標測定値取得手段の一例である。
【０１２９】
本実施の形態に係る測定値取得部５０１は、記憶媒体２が記憶している対象者の測定値と、目標測定値と、目標測定回数と、予想値とを記憶媒体用端子４１０を介して取得する。本実施の形態において「測定値」とは尿中塩分濃度の測定値であり、「予想値」とは対象者が予想する尿中塩分濃度の測定値である。
【０１３０】
閾値記憶部５０２は、対象者の生活習慣の改善への取り組み段階を判断する際に参照される閾値データ５０２ａを記憶している。
【０１３１】
図８は、閾値記憶部５０２が記憶している閾値データ５０２ａの第１の例を示す図である。本図に例示する閾値データ５０２ａは、対象者がステージに属するか否かを判断する閾値を内容とする「閾値」と、「閾値」に格納されている値により判断されるステージと対応付けられた情報を内容とする「種類」とにより構成される。「閾値」に格納されている値は、数字、割合、期間などを含む。本実施の形態に係る閾値データ５０２ａは、例えば、第１のステージに対応する閾値の「種類」が「第１の閾値」であり、その「値」が「１」であることを示す。
【０１３２】
ここから図７の説明に戻る。
【０１３３】
第１ステージ判断部５０３、第２ステージ判断部５０４、第３ステージ判断部５０５、第４ステージ判断部５０６および第５ステージ判断部５０７は、測定値取得部５０１により取得される測定値または測定値取得部５０１により取得される測定値のデータ数である測定回数に基づいて対象者の生活習慣改善への取り組みの段階を判断するステージ判断手段の一例である。
【０１３４】
第１ステージ判断部５０３は、対象者の生活習慣改善への取り組みの段階が第１のステージであるかを判断し、第２ステージ判断部５０４対象者の生活習慣改善への取り組みの段階が第２のステージであるかを判断し、第３ステージ判断部５０５対象者の生活習慣改善への取り組みの段階が第３のステージであるかを判断し、第４ステージ判断部５０６対象者の生活習慣改善への取り組みの段階が第４のステージであるかを判断し、第５ステージ判断部５０７は対象者の生活習慣改善への取り組みの段階が第５のステージまたは第６のステージであると判断する。各ステージ判断部５０３から５０７について、以下に詳述する。
【０１３５】
第１ステージ判断部５０３は、閾値記憶部５０２が記憶している「第１の閾値」に対応する閾値（以下、「第１の閾値」という。）を取得する。第１ステージ判断部５０３は、測定値取得部５０１が取得する測定値のデータ数である測定回数と第１の閾値とを比較し、比較結果に基づいて対象者の生活習慣改善への取り組みの段階を第１のステージと判断する部位の一例である。
【０１３６】
第１のステージの一例は「無関心期」であり、「無関心期」とは例えば、生活習慣の改善に対する関心がない段階をいう。
【０１３７】
具体的には、第１ステージ判断部５０３は、測定回数と第１の閾値とを比較し、測定回数が第１の閾値未満である場合に、対象者の生活習慣改善への取り組みの段階を生活習慣の改善に対する関心がない段階である無関心期と判断する部位の一例である。
【０１３８】
第２ステージ判断部５０４は、閾値記憶部５０２が記憶している「第２の閾値」に対応する閾値（以下、「第２の閾値」という。）を取得する。第２ステージ判断部５０４は、測定値取得部５０１が取得する測定値のデータ数である測定回数に第２の閾値を乗じることにより得られる数と目標測定回数とを比較し、比較結果に基づいて対象者の生活習慣改善への取り組みの段階を第２のステージと判断する部位の一例である。
【０１３９】
第２のステージの一例は「関心期」であり、「関心期」とは例えば、生活習慣の改善に対する関心をもち始めた段階をいう。
【０１４０】
具体的には、第２ステージ判断部５０４は、目標測定回数に第２の閾値を乗じることにより得られる数と測定回数とを比較し、目標測定回数に第２の閾値を乗じることにより得られる数が測定回数以下である場合に、対象者の生活習慣改善への取り組みの段階を生活習慣の改善に対する関心を持ち始めた段階である関心期と判断する部位の一例である。
【０１４１】
第３ステージ判断部５０５は、閾値記憶部５０２が記憶している「第３の閾値」に対応する閾値（以下、「第３の閾値」という。）を取得する。第３ステージ判断部５０５は、測定値取得部５０１が取得する測定値および予想値の乖離度が一定の値以下であるデータ数の測定回数に対する割合と第３の閾値とを比較し、比較結果に基づいて対象者の生活習慣改善への取り組みの段階を第３のステージと判断する部位の一例である。
【０１４２】
第３のステージの一例は「第１の準備期」であり、「第１の準備期」は例えば、生活習慣の改善に取り組み始めたが正しい知識が身についていない段階をいう。
【０１４３】
具体的には、第３ステージ判断部５０５は、測定値および予想値の乖離度が一定の値以下であるデータ数の測定回数に対する割合と第３の閾値とを比較し、測定値および予想値の乖離度が一定の値以下であるデータ数の測定回数に対する割合が第３の閾値より小さい場合に、対象者の生活習慣改善への取り組みの段階を生活習慣の改善に取り組み始めたが正しい知識が身についていない段階である第１の準備期と判断する部位の一例である。
【０１４４】
第４ステージ判断部５０６は、閾値記憶部５０２が記憶している「第４の閾値」に対応する閾値（以下、「第４の閾値」という。）を取得する。第４ステージ判断部５０６は、測定値取得部５０１が取得する測定値が目標測定値以下であるデータ数の測定回数に対する割合と第４の閾値とを比較し、比較結果に基づいて対象者の生活習慣改善への取り組みの段階を第４のステージと判断する部位の一例である。
【０１４５】
第４のステージの一例は「第２の準備期」であり、「第２の準備期」は例えば、身に付いた正しい知識を生活習慣改善に活用できていない段階をいう。
【０１４６】
具体的には、第４ステージ判断部５０６は、測定値が目標測定値以下であるデータ数および測定回数の割合と第４の閾値とを比較し、測定値が目標測定値以下であるデータ数および測定回数の割合が第４の閾値より小さい場合に、対象者の生活習慣改善への取り組みの段階を、身に付いた正しい知識を生活習慣改善に活用できていない段階である第２の準備期と判断する部位の一例である。
【０１４７】
第５ステージ判断部５０７は、閾値記憶部５０２が記憶している第４の閾値と「第５の閾値」に対応する閾値（以下、「第５の閾値」という。）とを取得する。第５ステージ判断部５０７は、測定値取得部５０１が取得する測定値が目標測定値以下であるデータ数の測定回数に対する割合が第４の閾値以上となる継続期間と第５の閾値とを比較し、比較結果に基づいて対象者の生活習慣改善への取り組みの段階を第５のステージまたは第６のステージと判断する部位の一例である。
【０１４８】
第５のステージの一例は「実行期」であり、「実行期」は例えば、生活習慣の改善に正しい知識を活用して取り組み始めた段階をいう。
【０１４９】
具体的には、第５ステージ判断部５０７は、測定値が目標測定値以下となるデータ数の測定回数に対する割合が第４の閾値以上となる継続期間と第５の閾値とを比較し、継続期間が第５の閾値より小さい場合に、対象者の生活習慣改善への取り組みの段階を生活習慣の改善に正しい知識を活用して取り組み始めた段階である実行期と判断する部位の一例である。
【０１５０】
また、第６のステージの一例は「維持期」であり、「維持期」は例えば、対象者の健康のために適切な生活習慣が定着した段階をいう。
【０１５１】
具体的には、第５ステージ判断部５０７は、測定値が目標測定値以下となるデータ数の測定回数に対する割合が第４の閾値以上となる継続期間と第５の閾値とを比較し、継続期間が第５の閾値以上の場合に、対象者の生活習慣改善への取り組みの段階を対象者の健康のために適切な生活習慣が定着した段階である維持期と判断する部位の一例である。
【０１５２】
なお、本実施の形態において、測定値、目標測定値および目標測定回数は全て同一の記憶媒体２が記憶しているとしているが、異なる記憶媒体に格納されていても構わない。例えば、目標値および目標測定値は、生活習慣改善支援装置４の内部に備える記憶部（図示していない）に格納されていてもよい。
【０１５３】
指導決定部５０９は、指導内容記憶部４０９が記憶しているステージ指導内容テーブルを参照することにより、各ステージ判断部５０３から５０７から取得する判断結果に対応する指導内容を決定する。
【０１５４】
すなわち、指導決定部５０９は、ステージ判断手段による判断結果から、生活習慣改善への取り組みの段階と生活習慣改善への取り組みの段階に応じた助言または指導方法とが格納されているテーブルを参照することにより、生活習慣改善への取り組みの段階に応じた助言または指導方法を決定する指導決定手段の一例である。
【０１５５】
表示制御部５１０は、表示部４０３を制御する部位である。本実施の形態に係る表示制御部５１０は、指導決定部５０９から取得する対象者の生活習慣改善への取り組みの段階および指導内容、対象者の氏名など対象者に関する情報を表示部４０３に表示させる。
【０１５６】
すなわち、表示制御部５１０は、ステージ判断手段による判断結果と、指導決定手段により決定された助言または指導方法との少なくとも一方を表示させる第１の表示制御手段の一例であり、さらに一定の測定回数分の前記測定値と、前記予想値と、前記目標値とを表示させる第２の表示制御手段の一例である。
【０１５７】
さらに、尿中成分測定器１を用いた尿中成分測定のフローについて、図９を参照して説明する。
【０１５８】
図９は、実施の形態１に係る尿中成分測定器１において実行される処理のフローチャートである。
【０１５９】
まず、ＣＰＵ１０６は、電源ボタン１０１が押されたか否かを判断する（Ｓ１０１）。電源ボタン１０１が押されていないと判断した場合（Ｓ１０１でＮｏ）、ＣＰＵ１０６は電源ボタン１０１が押されるまで待機している。
【０１６０】
電源ボタン１０１が押されたと判断した場合（Ｓ１０１でＹｅｓ）、ＣＰＵ１０６は予想値の入力要求を表示部１０３に表示させる（Ｓ１０２）。
【０１６１】
ここで、図１０は、尿中成分測定器１の表示部１０３に表示される予想値の入力要求の例を示す図である。本図に例示する表示部１０３は、「予想値を入力指定下さい」という入力要求を表示する。
【０１６２】
対象者は、食事内容から予想される尿中塩分濃度の予想値を、入力部１０２から尿中成分測定器１に入力する。
【０１６３】
ここから図９の説明に戻る。
【０１６４】
続けて、ＣＰＵ１０６は、予想値が入力されたか否かを判断する（Ｓ１０３）。予想値が入力されていないと判断した場合（Ｓ１０３でＮｏ）、ＣＰＵ１０６は予想値が入力されるまで待機する。
【０１６５】
予想値が入力されたと判断した場合（Ｓ１０３でＹｅｓ）、ＣＰＵ１０６は測定チップ３の装着要求を表示部１０３に表示させる（Ｓ１０４）。
【０１６６】
ここで、図１１は、尿中成分測定器１の表示部１０３に表示される測定チップ３の装着要求の例を示す図である。本図は、「測定チップを装着してください」という、測定チップ３の装着要求が表示される例を示す。
【０１６７】
ここから図９の説明に戻る。
【０１６８】
続けて、ＣＰＵ１０６は、装着検知部１０９が測定チップ３の装着を検知した通知を受けたか否かにより、測定チップ３が測定チップ接続口１０５に装着されたか否かを判断する（Ｓ１０５）。
【０１６９】
装着検知部１０９から測定チップ３の装着を検知した通知を受けないとき、ＣＰＵ１０６は測定チップ３が装着されていないと判断し（Ｓ１０５でＮｏ）、装着検知部１０９から測定チップ３の装着を検知した通知を受けるまで待機する。
【０１７０】
装着検知部１０９から測定チップ３の装着を検知した通知を受けたとき、ＣＰＵ１０６は測定チップ３が装着されていると判断し（Ｓ１０５でＹｅｓ）、ＣＰＵ１０６は測定の準備ができたことを通知するメッセージを表示部１０３に表示させる（Ｓ１０６）。
【０１７１】
ここで、図１２は、実施の形態１に係る尿中成分測定器１の表示部１０３に表示される測定準備ができたことを通知するメッセージの例を示す図である。本図は、「測定スタンバイ」という測定準備ができたことを通知するメッセージが表示されている例である。
【０１７２】
ここから図９の説明に戻る。
【０１７３】
対象者が、あらかじめ紙コップ等の容器に採尿しておいた尿中に、尿中成分測定器１に装着されている測定チップ３の電極３０１部分を浸ける。
【０１７４】
続けて、ＣＰＵ１０６は、入力部１０２に何らかの入力がなされたか否かを判断する（Ｓ１０７）。入力部１０２に何も入力がなされていないと判断した場合（Ｓ１０７でＮｏ）、ＣＰＵ１０６は測定準備の状態で待機する。
【０１７５】
入力部１０２に何らかの入力がなされたと判断した場合（Ｓ１０７でＹｅｓ）、ＣＰＵ１０６は尿中の塩分濃度の測定を行う（Ｓ１０８）。具体的には、ＣＰＵ１０６は、記憶媒体２に格納されている、抵抗値と塩分濃度との関係を示す検量テーブルを参照して、抵抗値を塩分濃度に換算することにより、尿中の塩分濃度を測定する。なお、検量テーブルは、尿中成分測定器１が備える記憶部（図示していない）に格納されても良い。
【０１７６】
続けて、ＣＰＵ１０６は、測定された尿中の塩分濃度である測定値を表示部１０３に、一定の時間だけ表示させる（Ｓ１０９）。
【０１７７】
ここで、図１３は、実施の形態１に係る尿中成分測定器１の表示部１０３に表示される測定値の例を示す図である。本図は、測定された尿中の塩分濃度が「１０ｇ／ｌ」である例を示す。
【０１７８】
続けて、ＣＰＵ１０６は、タイマ１０８から取得される測定日時と、Ｓ１０８において測定された結果と、Ｓ１０２において表示された入力要求に応じて入力された予想値とを対応付けて記憶媒体２に格納する（Ｓ１１０）。
【０１７９】
続けて、ＣＰＵ１０６は、Ｓ１１０の処理において記憶媒体２に格納した予想値、目標値および測定値と同一の予想値、目標値および測定値と、記憶媒体２が記憶している前回測定した時の予想値、目標値および測定値とを表示部１０３に表示させる（Ｓ１１１）。
【０１８０】
ここで、図１４は、実施の形態１に係る尿中成分測定器１の表示部１０３に表示される予想値、目標値および測定値の例を示す図である。本実施の形態に係る尿中成分測定器１は、記憶媒体２が記憶している予想値、目標値および測定値をグラフとして表示する。
【０１８１】
この表示により対象者は、予想値と測定値とが乖離しているか否か、また目標値と測定値とが乖離しているか否かについて、前回と今回とを一目で比較することができ、自己の生活習慣に取り組みの状態を客観的にかつ容易に捉えることが可能となる。
【０１８２】
ここから図９の説明に戻る。
【０１８３】
最後に、ＣＰＵ１０６は、電源ボタン１０１が押されたか否かを判断する（Ｓ１１１）。電源ボタン１０１が押されていない場合（Ｓ１１２でＮｏ）、ＣＰＵ１０６はＳ１１０における表示処理を継続する。
【０１８４】
電源ボタン１０１が押された場合（Ｓ１１２でＹｅｓ）、ＣＰＵ１０６は電源１０７を切り、処理を終了する。
【０１８５】
以上のように、対象者は医師などの専門家の指導の下、日常生活において生活改善に取組みながら、尿中塩分を測定する。例えば、医師から定期的に指導を受ける対象者の場合、その対象者は、例えば１ヶ月に１度、医療機関において医師の診療を受ける際に、測定値が記録された記憶媒体２を医療機関に持参する。医師は、診療所内の生活習慣改善支援装置４を用いて、対象者の測定値などを記憶媒体２から読み取り、解析することで、対象者のステージに応じた生活改善指導を実施する。
【０１８６】
尿中の塩分測定の場合、１日１回、起床後に測定を行うことが好ましい。
【０１８７】
さらに、実施の形態１に係る生活習慣改善支援装置４におけるステージおよび指導内容の判定について、図１５から図１８を用いて説明する。
【０１８８】
図１５は、実施の形態１に係る生活習慣改善支援装置４において実行される処理の流れを示すフローチャートである。本図は、対象者が尿中成分測定器１を用いて尿中の塩分濃度を毎日測定し、その結果を月に一度、生活習慣改善の指導者の下にある生活習慣改善支援装置４により、判定を実行する場合の例を示す。
【０１８９】
まず、ＣＰＵ４０４は、電源ボタン４０６が押されたか否かを判断する（Ｓ２０１）。電源ボタン４０６が押されていないと判断した場合（Ｓ２０１でＮｏ）、ＣＰＵ４０４は電源ボタン４０６が押されるまで待機している。
【０１９０】
電源ボタン４０６が押されたと判断した場合（Ｓ２０１でＹｅｓ）、次に、ＣＰＵ４０４は記憶媒体２を記憶媒体挿入口４０２に挿入されているか否かを判断する（Ｓ２０２）。
【０１９１】
記憶媒体２が挿入されていないと判断した場合（Ｓ２０２でＮｏ）、ＣＰＵ４０４は記憶媒体２を挿入することを促すメッセージを表示部４０３に表示させる（Ｓ２０３）。
【０１９２】
図１６は、実施の形態１に係る生活習慣改善支援装置４の表示部４０３に表示される記憶媒体２の挿入を促すメッセージの表示例である。ＣＰＵ４０４が表示部４０３に「メモリカードが確認できません」というメッセージを表示させることにより、ＣＰＵ４０４が利用者に記憶媒体の挿入を促す例である。
【０１９３】
記憶媒体２が挿入されていると判断した場合（Ｓ２０２でＹｅｓ）、ＣＰＵ４０４は、ステージ判定プログラムを判定プログラム記憶部４０８から読み出し、そのプログラムを実行することにより、記憶媒体２が記憶されている情報に基づいて対象者のステージおよび指導内容を判定する（Ｓ２０４）。ステージおよび指導内容の判定処理の詳細については後述する。
【０１９４】
続けて、ＣＰＵ４０４は、Ｓ２０４において判定された対象者のステージ、および指導内容記憶部４０９が記憶しているステージ指導内容テーブルを参照することにより得られるステージに対応する指導内容を、表示部４０３に表示させる（Ｓ２０５）。
【０１９５】
ここで、図１７は、実施の形態１に係る生活習慣改善支援装置４の表示部４０３に表示される、対象者のステージおよび指導内容の表示例を示す図である。
【０１９６】
対象者の「名前」、判定された「今月のステージ」およびステージに対応する「指導内容」が表示されている。本図において判定された対象者のステージは「関心期」である。
【０１９７】
また、本図は、指導内容記憶部４０９が図５に示すステージ指導内容テーブルを記憶している場合の例であり、「関心期」に対応する「指導内容」である「測定ができない理由を追求し、その障害を取り除くような指導をしましょう。」を指導内容として表示している例を示す。
【０１９８】
続けて、ＣＰＵ４０４は、Ｓ２０４において判定された対象者のステージと、タイマ４０７から取得する判定終了時刻と、「実行期・維持期継続期間（ヶ月）」とを対応付けて記憶媒体２に格納して（Ｓ２０６）、処理を終了する。
【０１９９】
「実行期・維持期継続期間（ヶ月）」に格納される情報は、今回の判定が「実行期」または「維持期」の場合、前回の判定時の「実行期・維持期継続期間（ヶ月）」に、前回の判定時からの経過期間を加算した期間である。「実行期・維持期継続期間（ヶ月）」に格納される情報は、前回の判定時に格納されている「実行期・維持期継続期間（ヶ月）」を参照することにより算出でき、１ヶ月に一度の判定を行っている場合、前回の判定時の「実行期・維持期継続期間（ヶ月）」に１ヶ月を加算した期間となる。
【０２００】
また、今回の判定が「実行期」および「維持期」以外場合、「実行期・維持期継続期間（ヶ月）」に格納される情報は「０」である。
【０２０１】
次に、ＣＰＵ４０４が実行するステージおよび指導内容の判定処理の詳細について、図７および図１８を参照して説明する。
【０２０２】
図１８は、図１５に示すステージ・指導内容判定処理Ｓ２０４においてＣＰＵ４０４が実行する処理の詳細の第１の例を示すフローチャートである。すなわち、本図は第１プログラム実行ＣＰＵ４０４が実行する処理の例であり、対象者が尿中成分測定器１を用いて尿中の塩分濃度を毎日測定し、その結果を月に一度、生活習慣改善の指導者の下にある生活習慣改善支援装置４により、判定を実行する場合のフローチャートである。
【０２０３】
まず、測定値取得部５０１は、過去１ヶ月の生活習慣の改善に関する情報を記憶媒体２から抽出する（Ｓ３０１）。
【０２０４】
次に、第１ステージ判断部５０３は、Ｓ３０１において抽出された測定データのデータ数から測定回数を得て、その測定回数と第１の閾値とを比較する。本図に示す例は、Ｓ３０１において抽出された測定データがあるか否かを判断しており（Ｓ３０２）、第１の閾値を「１」とした例である。過去１ヶ月間の測定データがないと判断した場合（Ｓ３０２でＮｏ）、第１ステージ判断部５０３は対象者のステージを「無関心期」と判断する（Ｓ３０３）。指導決定部５０９は、第１ステージ判断部５０３の判断が「無関心期」であることを取得し、指導内容記憶部４０９が記憶しているステージ指導内容テーブルを参照して、「無関心期」に対応する指導内容を決定する（Ｓ３０４）。
【０２０５】
過去１ヶ月間の測定データが１つ以上あると判断した場合（Ｓ３０２でＹｅｓ）、続けて、第２ステージ判断部５０４は、抽出された過去１ヶ月間の測定データ数から得られる、対象者が１ヶ月間に行った測定回数をＡとする（Ｓ３０５）。記憶媒体２に格納されている生活習慣の改善に関する情報に含まれる目標測定回数を参照して、Ａが目標測定回数に第２の閾値を乗じた値より大きいか否かを判断する。本図に示す例は、Ａが目標測定回数に１／２を乗じた値より大きいか否かを判断しており（Ｓ３０６）、第２の閾値を「１／２」とした例である。
【０２０６】
Ａが目標測定回数の１／２より大きくないと判断した場合（Ｓ３０６でＮｏ）、対象者は測定に関心を示してはいるものの、生活習慣改善の指導者から指導された目標測定回数の１／２以下しか達成出来ていないことから、第２ステージ判断部５０４は対象者のステージを「関心期」と判定する（Ｓ３０７）。指導決定部５０９は、指導内容記憶部４０９が記憶しているステージ指導内容テーブルを参照して、「関心期」に対応する指導内容を決定する（Ｓ３０８）。
【０２０７】
Ａが目標測定回数の１／２より大きいと判断された場合（Ｓ３０６でＹｅｓ）、続けて、第３ステージ判断部５０５は、抽出された過去１ヶ月間の測定データから、各測定において予想値と測定値の乖離度が一定の割合以下である測定の、過去１ヶ月間の測定回数に対する割合を算出してそれをＢとする。本図に示す例は、抽出された過去１ヶ月間の測定データから、各測定において予想値と測定値の乖離度が２０％以下である測定の、過去１ヶ月間の測定回数に対する割合を算出してそれをＢとする（Ｓ３０９）。
【０２０８】
続けて、第３ステージ判断部５０５はＢが第３の閾値以上であるか否かを判断する。本図に示す例は、Ｂが８０％以上であるか否かを判断しており（Ｓ３１０）、第３の閾値を「８０％」とした例である。
【０２０９】
Ｂが８０％以上でないと判断した場合（Ｓ３１０でＮｏ）、対象者は目標測定回数以上の測定を実行しているため改善への関心は認められるが、予想値との乖離が大きいことから実際に摂取する食事の塩分量に関する知識が不足していると考えられるため、第３ステージ判断部５０５は対象者のステージを「第１の準備期」と判定する（Ｓ３１１）。第３ステージ判断部５０５は、指導内容記憶部４０９が記憶しているステージ指導内容テーブルを参照して、「第１の準備期」に対応する指導内容を決定する（Ｓ３１２）。
【０２１０】
Ｂが８０％以上であると判断した場合（Ｓ３１０でＹｅｓ）、続けて、第４ステージ判断部５０６は、抽出された過去１ヶ月間の測定データから、各測定において測定値が目標値以下である測定の、過去１ヶ月間の全測定の回数に対する割合を算出してこれをＣとする（Ｓ３１３）。
【０２１１】
続けて、第４ステージ判断部５０６はＣが第４の閾値以上であるか否かを判断する。本図に示す例は、Ｃが８０％以上であるか否かを判断しており（Ｓ３１４）、第４の閾値を「８０％」とした例である。
【０２１２】
Ｃが８０％以上でないと判断した場合（Ｓ３１４でＮｏ）、対象者は意欲もあり、自分が摂取している食事の塩分量を把握するための知識と意欲を持っているが、食事の塩分量を減らす知識やノウハウを理解していない状態であるため、第４ステージ判断部５０６は対象者のステージを「第２の準備期」と判定する（Ｓ３１５）。第４ステージ判断部５０６は、指導内容記憶部４０９が記憶しているステージ指導内容テーブルを参照して、「第２の準備期」に対応する指導内容を決定する（Ｓ３１６）。
【０２１３】
Ｃが８０％以上であると判断した場合（Ｓ３１４でＹｅｓ）、第５ステージ判断部５０７は、記憶媒体２に格納されている生活習慣の改善に関する情報に含まれる「実行期・維持期継続期間（ヶ月）」を参照し、「実行期・維持期継続期間（ヶ月）」に格納されている期間をＤとする（Ｓ３１７）。
【０２１４】
続けて、第５ステージ判断部５０７はＤが第５の閾値以上であるか否かを判断する。本図に示す例において、第５ステージ判断部５０７はＤが６ヶ月以上であるか否かを判断しており（Ｓ３１８）、第５の閾値を「６ヶ月」とした例である。
【０２１５】
Ｄが６ヶ月以上でないと判断した場合（Ｓ３１８でＮｏ）、第５ステージ判断部５０７は対象者のステージを「実行期」と判定する（Ｓ３１９）。Ｄが６ヶ月以上であると判断した場合（Ｓ３１８でＹｅｓ）、第５ステージ判断部５０７は対象者のステージを「維持期」と判定する（Ｓ３２０）。続けて、指導決定部５０９は、指導内容記憶部４０９が記憶しているステージ指導内容テーブルを参照して、「実行期」および「維持期」にそれぞれ対応する指導内容を決定する（Ｓ３２１）。
【０２１６】
このように第１プログラム実行ＣＰＵ４０４は対象者に適した指導内容を決定する。生活習慣改善の指導者は、図１５のＳ２０５において表示された指導内容に基づき、対象者に対して指導を行う。
【０２１７】
ステージが「無関心期」にあると判定された場合に、表示された指導内容に基づき、対象者に関心を持たせるような指導や、病気に関する知識を指導する。
【０２１８】
ステージが「関心期」にあると判定された場合は、測定には関心があるが、現在その測定が実行できない理由について考え、その障害を取り除くような指導を行う。具体的には、例えば、測定を実施するときに対象者が受ける利益と実施しないことによる不利益の提示などである。
【０２１９】
ステージが「第１の準備期」にあると判定された場合、摂取した食事からの塩分の算出方法に関する指導を重点的に実施する。具体的には、例えば、食品管理表による塩分量の見積もり方法や、食事の内容を忘れないための方法の提示である。
【０２２０】
ステージが「第２の準備期」にあると判定された場合、具体的に食事の塩分量を削減するための改善方法の提案を行う。その際、ただ単に量を減らすだけでなく、味気ない食事にならないような工夫を併せて提示すると、より対象者の生活改善を効率よくすることが可能となる。
【０２２１】
最後にステージが「実行期」、「維持期」にあると判定された場合、対象者にいかにその生活改善を続けてもらうかというところにポイントを絞った指導を実践すればよい。例えば、家族などの協力を求めることで周囲の環境を整備することで、一度習慣づいた生活改善を後戻りさせないなどの指導である。
【０２２２】
さらに、指導内容記憶部４０９が記憶しているステージ指導内容テーブルが図５に示す内容であり、記憶媒体２が記憶している生活習慣の改善に関する情報が図６に示す内容である場合を例に、図１５および図１８を参照して、図１５に示すステージ・指導内容の判定処理（Ｓ２０４）の詳細、指導内容の表示処理（Ｓ２０５）および記憶媒体への格納処理（Ｓ２０６）において第１プログラム実行ＣＰＵ４０４による処理の具体例を示す。ここで、ステージ判定を実行する日時は、「２００４年１０月１日１０時００分」とし、生活習慣改善指導の周期は１ヶ月とする。
【０２２３】
第１プログラム実行ＣＰＵ４０４は、ステージ・指導内容の判定処理（Ｓ２０４）において、まず、過去１ヶ月間のデータを記憶媒体２から抽出する（Ｓ３０１）。本具体例において、「測定日時」が、２００４年９月１日から２００４年９月３０日までの測定データであり、図６に示す「データ番号」が「２」から「９」までにより示される測定情報が抽出される。
【０２２４】
次に、第１ステージ判断部５０３は、測定データがあるか否かを判断する（Ｓ３０２）。本具体例において、上記のように測定データがあるため、第１ステージ判断部５０３は測定データがあると判断する（Ｓ３０２でＹｅｓ）。
【０２２５】
続けて、第２ステージ判断部５０４は、測定データの数をＡとする（Ｓ３０５）。本具体例において、測定データの数は８個であるため、Ａは８となる。
【０２２６】
続けて、第２ステージ判断部５０４は、目標測定回数を参照し、目標測定回数を２で除した値よりＡが大きいか否かを判断する（Ｓ３０６）。本具体例において、目標測定回数は図６に示すように「３０」であるため、２で除した値は１５となる。Ａは８であるから、目標測定回数を２で除した値よりＡが大きいことはないと判断する（Ｓ３０６でＮｏ）。
【０２２７】
続けて、第２ステージ判断部５０４は、本具体例に係る「ステージ」を「関心期」と判断する（Ｓ３０７）。
【０２２８】
続けて、指導決定部５０９は図５に示す指導内容記憶部４０９を参照して指導内容を「測定できない理由を追及し、その障害を取り除くような指導をしましょう。」と決定する。
【０２２９】
続けて、表示制御部５１０は、判定したステージおよび指導内容を表示部４０３に表示させる（Ｓ２０５）。上記の図１７は、上記の処理の結果が表示部４０３に表示された例である。
【０２３０】
続けて、第１プログラム実行ＣＰＵ４０４は、判定したステージを記憶媒体２に格納し（Ｓ２０６）、処理を終了する。図６の「データ番号」が「１０」により示される情報は、本具体例に係る判定結果が格納された例である。ここで、判定される「ステージ」が「関心期」であるため、「実行期・維持期継続期間（ヶ月）」は「０」となる。
【０２３１】
以上のように、実施の形態１に係る生活習慣改善支援装置４により、行動科学の理論に基づいた対象者の状態（ステージ）を客観的な測定データから評価することができることから、対象者のステージを正しく判定することができる。したがって、医師が正確にステージを把握することができるようになるので、対象者に対してより的確な指導を実施することが可能となる。
【０２３２】
なお、本実施の形態では、尿中成分測定器１と生活習慣改善支援装置４との間における対象者の生活習慣の改善に関する情報の授受を、記憶媒体であるメモリカードを介して行った。記憶媒体はメモリカードに限定されず、例えば、フレキシブルディスクやＭＯ（Ｍａｇｎｅｔｏ−Ｏｐｔｉｃａｌ  ｄｉｓｋ）、ＵＳＢ（Ｕｎｉｖｅｒｓａｌ  Ｓｅｒｉａｌ  Ｂｕｓ）メモリなどを使用してもよい。
【０２３３】
また、記憶媒体は、装置から取り外し可能な記憶媒体であるメモリカードなどの他、装置内に格納されたメモリやハードディスクであってもよい。この場合、尿中成分測定器１と生活習慣改善支援装置４との間の情報の授受は、両者を有線あるいは無線通信で繋ぐことでデータの送受信を行う。
【０２３４】
さらに、本実施の形態では、記憶媒体２に格納されたデータを生活習慣改善支援装置４に入力する方法として、生活習慣改善支援装置４内に設けられた記憶媒体用端子４１０を用いたが、これに限定されない。例えば、記憶媒体用端子４１０に代えて、記憶媒体２のリーダを備えた携帯電話やＰＤＡ（携帯情報端末：Ｐｅｒｓｏｎａｌ  Ｄｉｇｉｔａｌ  Ａｓｓｉｓｔａｎｃｅ）端末を用いて、このリーダに記憶媒体を装着し、記憶媒体を装着した携帯電話やＰＤＡ端末から無線通信を利用して、測定値を生活習慣改善支援装置４に設けられた受信部（図示していない）に送信してもよい。この際、測定値は対象者の個人情報であることから、データを暗号化し送信することが望ましい。
【０２３５】
さらに、尿中成分測定器１と生活習慣改善支援装置４との間におけるデータ授受は、公衆回線網を介して行われても良い。
【０２３６】
図１９は、実施の形態１に係る生活習慣改善支援システムの構成の第１の変形例を示す概略図である。本図に示す尿中成分測定器１及び診療所端末４は、それぞれデータ送受信部を備え、公衆回線網を介して相互にデータの送受信を行う。
【０２３７】
これにより、データの送受信のために記憶媒体２を持ち歩く必要がないため、紛失などのリスクを回避することが可能となる。この時、尿中成分測定器１及び診療所端末４と公衆回線網との接続方法は有線、無線のどちらでもよい。
【０２３８】
さらに、本実施の形態では、ステージの判定の際に、測定回数と、測定値と、目標値と、予想値を利用したが、予想値を使用しない構成であっても構わない。この場合、本実施の形態で示した「第１の準備期」と「第２の準備期」とを１つのステージ、例えば「準備期」として判定することで対象者のステージを判定することが可能である。
【０２３９】
図２０は、実施の形態１の第２の変形例に係る判定プログラム記憶部１８０８が記憶している第２のプログラムを実行するＣＰＵ４０４が発揮する機能の構成を示すブロック図である。判定プログラム記憶部１８０８が記憶している第２のプログラムを実行するＣＰＵ４０４（以下、「第２プログラム実行ＣＰＵ４０４」という。）は、記憶媒体２に蓄積されている対象者の尿中塩分濃度の測定値から対象者が生活改善に取り組む段階を判断し、その判断に基づいた指導方針を提示する。
【０２４０】
ここで、第１プログラム実行ＣＰＵ４０４において判断されるステージが「無関心期」・「関心期」・「第１の準備期」・「第２の準備期」・「実行期」・「維持期」の６つであるのに対して、第２プログラム実行ＣＰＵ４０４において判断されるステージは、上記のように「無関心期」・「関心期」・「準備期」・「実行期」・「維持期」の５つである。
【０２４１】
第２プログラム実行ＣＰＵ４０４は、測定値取得部５０１と、閾値記憶部１８０２と、第１ステージ判断部５０３と、第２ステージ判断部５０４と、第４ステージ判断部１８０５と、第５ステージ判断部５０７と、指導決定部５０９と、表示制御部５１０とを備える。図７を参照して説明した第１プログラム実行ＣＰＵ４０４と同じ機能を有する部位には、同一の参照符号を付しており、ここでの説明は省略する。
【０２４２】
また、生活習慣改善支援装置４は、ＣＰＵ４０４の外部に入力部４０１と、表示部４０３と、電源４０５と、電源ボタン４０６と、タイマ４０７と、第２のプログラムを記憶している判定プログラム記憶部１８０８と、指導内容記憶部４０９と、記憶媒体２との接続部である記憶媒体用端子４１０とを備え、これらと情報を授受する。ＣＰＵ４０４の外部に備える部位について図４を参照して説明したため、ここでの説明は省略する。
【０２４３】
閾値記憶部１８０２は、対象者の生活習慣の改善への取り組み段階を判断する際に参照される閾値データ１８０２ａを記憶している。
【０２４４】
図２１は、閾値記憶部１８０２が記憶している閾値データ１８０２ａの第２の例を示す図である。閾値データ１８０２ａの構成は、図８を参照して説明した第１プログラム実行ＣＰＵ４０４に係る閾値記憶部５０２が記憶している閾値データ５０２ａの構成と同一であるため、ここでの説明は省略する。
【０２４５】
第１プログラム実行ＣＰＵ４０４に係る閾値データ５０２ａと第２プログラム実行ＣＰＵ４０４に係る閾値データ１８０２ａとの違いは、第１プログラム実行ＣＰＵ４０４に係る閾値データ５０２ａに「第３の閾値」が含まれているのに対して、第２プログラム実行ＣＰＵ４０４に係る閾値データ１８０２ａに「第３の閾値」が含まれていない点にある。
【０２４６】
第４ステージ判断部１８０５は、閾値記憶部１８０２が記憶している第４の閾値を取得する。第４ステージ判断部１８０５は、測定値取得部５０１が取得する測定値が目標測定値以下であるデータ数の測定回数に対する割合と第４の閾値とを比較し、比較結果に基づいて対象者の生活習慣改善への取り組みの段階を第４のステージと判断する部位の一例である。
【０２４７】
すなわち、第４ステージ判断部１８０５は、測定値が目標測定値以下であるデータ数および測定回数の割合と第４の閾値とを比較し、測定値が目標測定値以下であるデータ数および測定回数の割合が第４の閾値より小さい場合に、対象者の生活習慣改善への取り組みの段階を生活習慣の改善の取り組みを始めた段階である準備期と判断する部位の一例である。
【０２４８】
図２２は、図１５に示すステージ・指導内容判定処理Ｓ２０４においてＣＰＵ４０４が実行する処理の詳細の第２の例を示すフローチャートである。本図に示すフローチャートは、第２プログラム実行ＣＰＵ４０４における処理を示しており、図１８に示すフローチャートからＳ３０９からＳ３１２までにおける処理を削除し、Ｓ３１５において実行されるステージ判定の結果を「準備期」と変更した図である（Ｓ３１５１）。また、Ｓ３１５１における処理は第４ステージ判断部１８０５が実行する。
【０２４９】
本図の参照番号は、図１８に示すフローチャートと同様の処理について同一の参照符号である。そのため、ここでの説明は省略する。
【０２５０】
これにより、対象者が予想値を入力する工程（図９のＳ１０２およびＳ１０３）を省くことが出来るため、対象者の負担を少なくしたステージ判定が可能となる。
【０２５１】
さらに、図１８および図２２に示す、Ｓ３０６、Ｓ３１０、Ｓ３１４およびＳ３１８においてＣＰＵ４０４が実行する判断処理の基準は、図示したものに限らない。適切な判断基準を設定することにより、尿中成分測定器１により測定される客観的な値から対象者のステージ判定を的確に実行することが可能になる。
【０２５２】
（実施の形態２）
次に、実施の形態２に係る生活習慣改善支援装置について説明する。
【０２５３】
本実施の形態に係る生活習慣改善支援装置は、実施の形態１に係る尿中成分測定器１が判定プログラム記憶部及び指導内容記憶部を、さらに備える。これにより、対象者は、尿中の塩分濃度の測定だけでなく、ステージの判定をも自身で行うことができる。
【０２５４】
図２３は、実施の形態２に係る生活習慣改善支援装置１０の機能的構成を示すブロック図である。実施の形態２に係る生活習慣改善支援装置１０は、実施の形態１に係る尿中成分測定器１が、ステージ判定の機能をも備えた装置である。
【０２５５】
実施の形態２に係る生活習慣改善支援装置１０は、電源ボタン１０１と、入力部１０２と、表示部１０３と、電源１０７と、タイマ１０８と、装着検知部１０９と、測定チップ用端子１１０と、電圧印加部１１１と、電気信号測定部１１２と、記憶媒体用端子１１３と、判定プログラム記憶部１１４と、指導内容記憶部１１５、ステージ判定ボタン１１６と、ＣＰＵ１００６とを備える。
【０２５６】
ここで、本図に示す機能ブロックに付された参照符号は、図４に示す機能ブロックと同一の機能を有する部位について、図４と機能が同一である。そのため、同一の参照符号を付した機能ブロックの説明は省略する。
【０２５７】
ステージ判定ボタン１１６は、ステージ判定プログラムを起動させるボタンである。
【０２５８】
ＣＰＵ１００６は、各種の処理を実行する処理部である。ＣＰＵ１００６が実行する処理の詳細は、図２４を参照して説明する。
【０２５９】
次に、実施の形態２に係る生活習慣改善支援装置１０が実行する処理について、図９、図１５および図２４を参照して説明する。
【０２６０】
図２４は、実施の形態２に係る生活習慣改善支援装置１０が実行する処理を示すフローチャートである。
【０２６１】
ＣＰＵ１００６は、図９に示す電源ボタン１０１の押下の判断（図９のＳ１０１）および予想値の入力要求の表示処理（図９のＳ１０２）と同一の処理（Ｓ１０１およびＳ１０２）を実行した後、予想値が入力されたか否かを判断する（Ｓ１０３）。予想値が入力されたと判断すると（Ｓ１０３でＹｅｓ）、ＣＰＵ１００６は、図９に示す測定チップ３の装着要求の表示処理（図９のＳ１０４）から結果のグラフ表示処理（図９のＳ１１１）までの処理を実行する（Ｓ１０４からＳ１１１まで）。
【０２６２】
予想値が入力されていないと判断すると（Ｓ１０３でＮｏ）、ＣＰＵ１００６はステージ判定ボタン１１６が押されたか否かを判断する（Ｓ２０１１）。ステージ判定ボタン１１６が押されていないと判断すると（Ｓ２０１１でＮｏ）、ＣＰＵ１００６は予想値の入力判断処理（Ｓ１０３）に戻る。
【０２６３】
予想値が入力されていると判断すると（Ｓ１０３でＹｅｓ）、ＣＰＵ１００６は図１５に示すステージ・指導内容の判定処理（図１５のＳ２０４）から記憶媒体２への格納処理（図１５のＳ２０６）までを実行する（Ｓ２０２からＳ２０６まで）。
【０２６４】
続けて、ＣＰＵ１００６は、電源ボタン１０１が押されたか否かを判断する（Ｓ１１２）。電源ボタン１０１が押されていないと判断すると（Ｓ１１２でＮｏ）、ＣＰＵ１００６は電源ボタン１０１がおされるまで待機する。電源ボタン１０１が押されていると判断すると（Ｓ１１２でＹｅｓ）、ＣＰＵ１００６は電源を切り、処理を終了する。
【０２６５】
図２５は、実施の形態２に係る生活習慣改善支援装置１０の表示部１０３に表示される、対象者のステージの表示例を示す図である。対象者のステージは、対象者や医師などが、入力部１０２から対象者のステージを表示させる入力を行うことにより表示される。
【０２６６】
表示部１０３には、「名前」と、「現在のステージ」とが表示される。本図に示す例は、名前が「○○」であり、現在のステージが「関心期」の場合である。
【０２６７】
更に、ステージと指導内容／助言を関連づけておき、同時に表示してもよい。例えば、「第２の準備期」と判断した場合、減塩メニューを併せて提示するなどである。
【０２６８】
以上のようなステージ判定プログラムを使用することにより、対象者の状態（ステージ）を客観データから評価することができることから、医師が正確にステージを把握することができるようになり対象者に対してより的確な治療を実施することが可能となる。また対象者自身もその内容を随時確認することができることから、対象者の生活改善に対する意欲を高める効果がある。
【０２６９】
なお、本実施の形態において、目標値および目標回数の入力方法は実施の形態１と同様であり、目標値および目標回数は生活習慣改善の指導者がコンピュータ端末などを用いて記憶媒体に格納する。ただし、この入力方法については、これに限定されず、生活習慣改善支援装置１０の入力部１０２から入力しても良い。
【０２７０】
以上、本発明の実施の形態１および実施の形態２に係る生活習慣改善支援装置について説明したが、本発明は、これらの実施の形態に限定されるものではない。
【０２７１】
例えば、実施の形態１においては対象者がステージの判定を実行する周期および生活習慣の改善の指導を受ける周期を１ヶ月とし、また実施の形態２においては対象者が生活習慣改善の指導を受ける周期を１ヶ月としたが、これらの周期は１ヶ月に限られるものではない。この周期は、通常、生活習慣改善の指導を行う者が対象者に適切な周期を判断することにより決定される。
【０２７２】
また、本発明の実施の形態では、対象者の塩分摂取に関する生活習慣を示す情報として尿中塩分濃度を用いたが、その値を用いて１日塩分摂取量に換算した値を用いてもよい。例えば、１回の排尿における尿中塩分濃度をクレアチニン濃度あるいは排尿量で補正することで１日尿中塩分排泄量を算出し使用すればよい。その場合は、図６に示される目標値、予想値、測定値についても塩分濃度ではなく１日塩分量として入力、保存される。このようにすると、対象者がより把握しやすい単位（グラム：ｇ）での標記となり、より指導の効果が大きくなる。
【０２７３】
また例えば、対象者の生活習慣を示す情報は、実施の形態１および実施の形態２に例示する尿中塩分濃度測定値の他に、対象者の生活習慣を示す測定値であれば構わない。例えば、尿または血液中の物質の濃度などの生体情報や、運動習慣を示す一日の歩数などがある。
【０２７４】
さらに例えば、本実施の形態において、生活習慣改善支援装置の結果、例えばステージや指導内容／助言の通知方法は、表示部に表示する方法としたが、それに限定されるものではない。例えば、音声で通知する方法や、紙などに印刷することで通知する方法であってもよい。音声で通知する方法は、目が不自由で表示が見にくい場合に有効である。紙への印刷で通知する方法は、対象者の手元に結果が残るため対象者がいつでも状態を確認することができ、対象者の生活改善をより効果的にサポートすることができる。これらの場合、生活習慣改善支援装置は、音声で通知するためのマイクおよび音声回路、または、印刷するためのプリント部を備える。
【０２７５】
また、これらの通知方法、すなわち、表示、音声、印刷の内、２つ以上の機能を備える構成としてもよい。このような場合、生活習慣改善支援装置は、表示部と、マイクおよび音声回路と、プリント部とのいずれかを備える。
【０２７６】
また、本実施の形態において、更に生活習慣改善支援装置が公衆回線、ＬＡＮおよびＷＡＮ等を通じて他のＰＣ、ＰＤＡ、または携帯電話と繋がる構成としてもよい。このようにすると、生活習慣改善支援装置と他のＰＣ、ＰＤＡ、または携帯電話との間で入出力データの受け渡しが可能となる。具体的には、例えば、生活習慣改善支援装置の出力データであるステージや指導内容／助言などの内容を、対象者の携帯電話等に送信する。これにより、対象者はいつでも結果のデータを確認することができ、対象者の生活改善をより効率的にサポートすることが可能となる。この場合の公衆回線、ＬＡＮおよびＷＡＮ等は、有線であっても無線であってもよい。
【産業上の利用可能性】
【０２７７】
本発明は、生活習慣の改善が必要な者を支援する装置およびその方法に適用でき、特に生活習慣病対象者への適切かつ効果的な指導または指導方法を提示する生活習慣改善支援装置およびその方法に適用できる。
【図面の簡単な説明】
【０２７８】
【図１】図１は、従来のステージ判定方法における質問および回答の例を示す図である。
【図２】図２は、従来のステージ判定方法における回答結果とステージとの対応を示す図である。
【図３】図３は、実施の形態１に係る生活習慣改善支援システムの構成を示す概略図である。
【図４】図４は、実施の形態１に係る生活習慣改善支援システムにおける尿中成分測定器および生活習慣改善支援装置の機能的構成を示すブロック図である。
【図５】図５は、実施の形態１に係る指導内容記憶部が記憶しているステージ指導内容テーブルの例を示す図である。
【図６】図６は、実施の形態１に係る記憶媒体が記憶している生活習慣の改善に関する情報の例を示す図である。
【図７】図７は、実施の形態１に係る判定プログラム記憶部４０８が記憶している第１のプログラムを実行するＣＰＵが発揮する機能の構成を示すブロック図である。
【図８】図８は、閾値記憶部が記憶している閾値データの第１の例を示す図である。
【図９】図９は、実施の形態１に係る尿中成分測定器において実行される処理のフローチャートである。
【図１０】図１０は、実施の形態１に係る尿中成分測定器の表示部に表示される予想値の入力要求の例を示す図である。
【図１１】図１１は、実施の形態１に係る尿中成分測定器の表示部に表示される測定チップの装着要求の例を示す図である。
【図１２】図１２は、実施の形態１に係る尿中成分測定器の表示部に表示される測定準備ができたことを通知するメッセージの例を示す図である。
【図１３】図１３は、実施の形態１に係る尿中成分測定器の表示部に表示される測定値の例を示す図である。
【図１４】図１４は、実施の形態１に係る尿中成分測定器の表示部に表示される予想値、目標値および測定値の例を示す図である。
【図１５】図１５は、実施の形態１に係る生活習慣改善支援装置４において実行される処理の流れを示すフローチャートである。
【図１６】図１６は、実施の形態１に係る生活習慣改善支援装置の表示部に表示される記憶媒体の挿入を促すメッセージの表示例である。
【図１７】図１７は、実施の形態１に係る生活習慣改善支援装置の表示部に表示される、対象者のステージおよび指導内容の表示例を示す図である。
【図１８】図１８は、図１５に示すステージ・指導内容判定処理Ｓ２０４においてＣＰＵが実行する処理の詳細の第１の例を示すフローチャートである。
【図１９】図１９は、実施の形態１に係る生活習慣改善支援システムの構成の第１の変形例を示す概略図である。
【図２０】図２０は、実施の形態１の第２の変形例に係る判定プログラム記憶部１８０８が記憶している第２のプログラムを実行するＣＰＵが発揮する機能の構成を示すブロック図である。
【図２１】図２１は、閾値記憶部５０２が記憶している閾値データの第２の例を示す図である。
【図２２】図２２は、図１５に示すステージ・指導内容判定処理Ｓ２０４においてＣＰＵが実行する処理の詳細の第２の例を示すフローチャートである。
【図２３】図２３は、実施の形態２に係る生活習慣改善支援装置の機能的構成を示すブロック図である。
【図２４】図２４は、実施の形態２に係る生活習慣改善支援装置１０が実行する処理を示すフローチャートである。
【図２５】図２５は、実施の形態２に係る生活習慣改善支援装置の表示部に表示される、対象者のステージの表示例を示す図である。
【符号の説明】
【０２７９】
１  尿中成分測定器
２  記憶媒体
３  測定チップ
４、１０  生活習慣改善支援装置
１０１、４０６  電源ボタン
１０２、４０１  入力部
１０３、４０３  表示部
１０４、４０２  記憶媒体挿入口
１０５  測定チップ接続口
１０６、４０４  ＣＰＵ
１０７、４０５  電源
１０８、４０７  タイマ
１０９  装着検知部
１１０  測定チップ用端子
１１１  電圧印加部
１１２  電気信号測定部
１１３、４１０  記憶媒体用端子
１１４、４０８  判定プログラム記憶部
１１５、４０９  指導内容記憶部
１１６  ステージ判定ボタン
３０１  電極
【手続補正３】
【補正対象書類名】図面
【補正対象項目名】全図
【補正方法】変更
【補正の内容】
【図１】
2007083610.tif 000028
【図２】
2007083610.tif 000029
【図３】
2007083610.tif 000030
【図４】
2007083610.tif 000031
【図５】
2007083610.tif 000032
【図６】
2007083610.tif 000033
【図７】
2007083610.tif 000034
【図８】
2007083610.tif 000035
【図９】
2007083610.tif 000036
【図１０】
2007083610.tif 000037
【図１１】
2007083610.tif 000038
【図１２】
2007083610.tif 000039
【図１３】
2007083610.tif 000040
【図１４】
2007083610.tif 000041
【図１５】
2007083610.tif 000042
【図１６】
2007083610.tif 000043
【図１７】
2007083610.tif 000044
【図１８】
2007083610.tif 000045
【図１９】
2007083610.tif 000046
【図２０】
2007083610.tif 000047
【図２１】
2007083610.tif 000048
【図２２】
2007083610.tif 000049
【図２３】
2007083610.tif 000050
【図２４】
2007083610.tif 000051
【図２５】
2007083610.tif 000052
【国際調査報告】
2007083610.tif 000053
2007083610.tif 000054
2007083610.tif 000055
2007083610.tif 000056